(57)【要約】      （修正有）【課題】遊技媒体の受付の可否とは別に、不正行為による遊技媒体を選別することで、正規の遊技媒体が用いられていると誤認させる不正行為を高精度に検知可能な遊技機を提供する。【解決手段】パチスロは、第１の導光体２６１が、ＬＥＤが配置された端部２６５ａと、撮像領域を照射する外側面２６１ａと、を有し、第２の導光体２６２が、ＬＥＤが配置された端部２６８と、撮像領域を照射する外側面２６２ａと、を有し、第１の導光体２６１及び第２の導光体２６２には、端部２６５ａ及び端部２６８から入射した光を、撮像領域に照射するための反射溝２６７及び反射溝２７０が刻設されている。【選択図】図２２
2020114493.tif 000002
【特許請求の範囲】
【請求項１】
遊技媒体を投入する投入口と、
前記投入口から投入された遊技媒体を検出する遊技媒体検出手段と、を備え、
前記遊技媒体検出手段は、
前記遊技媒体が通過する通路を形成する通路形成部と、
前記通路の撮像領域を通過する物体である通過物体を撮像する撮像手段と、
前記撮像手段が撮像した前記通過物体の画像データに基づいて前記遊技媒体を判定する媒体判定手段と、
導入光を面状に照射可能な複数の導光体と、
前記導入光のための複数の光源と、
撮像タイミングに応じて前記光源を駆動制御する駆動制御手段と、
を有し、
前記複数の導光体内の第１の導光体は、前記光源の内の第１の光源が配置された第１の開放端部と、前記撮像手段による前記撮像領域を照射する第１の照射面と、を有し、
前記複数の導光体内の第２の導光体は、前記光源の内の第２の光源が配置された第２の開放端部と、前記撮像手段による前記撮像領域を照射する第２の照射面と、を有し、
前記第１の導光体及び前記第２の導光体には、前記第１の開放端部及び前記第２の開放端部から入射した光りを、前記撮像領域に照射するための反射溝が刻設されていることを特徴とする遊技機。
【請求項２】
前記第１の導光体及び前記第２の導光体に刻設された前記反射溝は、前記第１の光源及び前記第２の光源の近傍より遠ざかる方が間隔が狭くなることを特徴とする請求項１に記載の遊技機。
【発明の詳細な説明】
【技術分野】
【０００１】
本発明は、遊技機に関する。
【背景技術】
【０００２】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０００３】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０００４】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０００５】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０００６】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
【先行技術文献】
【特許文献】
【０００７】
【特許文献１】特開２００２−３４２８１４号公報
【特許文献２】特許第５３１７２５０号公報
【発明の概要】
【発明が解決しようとする課題】
【０００８】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０００９】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【００１０】
また、特許文献２に記載された技術は、適正な入力画像が撮像されることで、対象物が正しいか否かを判定できるが、撮像された画像が乱れていたり、判定の対象が写っていなければ適正な判定はできない。このため、遊技媒体を用いた不正行為の検知するために、判定の対象となる遊技媒体を高精度に検知する必要がある。
【００１１】
本発明の目的は、遊技媒体の受付の可否とは別に、不正行為による遊技媒体を選別することで、正規の遊技媒体が用いられていると誤認させる不正行為を高精度に検知可能な遊技機を提供することにある。
【課題を解決するための手段】
【００１２】
上記目的を達成するために、本発明は、以下のような構成の遊技機を提供する。各構成要素が実施形態と対応する要素を括弧内に記載するが、本発明の構成はこれに限定されるものではない。
【００１３】
本発明に係る第１形態は、
遊技媒体を投入する投入口（例えば、メダル投入口２１）と、
前記投入口から投入された遊技媒体を検出する遊技媒体検出手段（例えば、メダルセレクタ２０１）と、を備え、
前記遊技媒体検出手段は、
前記遊技媒体が通過する通路を形成する通路形成部（例えば、メダルレール２１０）と、
前記通路の撮像領域を通過する物体である通過物体を撮像する撮像手段（例えば、ＣＭＯＳイメージセンサ２３２）と、
前記撮像手段が撮像した前記通過物体の画像データに基づいて前記遊技媒体を判定する媒体判定手段（例えば、制御ＬＳＩ２３４）と、
導入光を面状に照射可能な複数の導光体（例えば、第１の導光体２６１、第２の導光体２６２等）と、
前記導入光のための複数の光源（例えば、ＬＥＤ２３３Ｌａ、ＬＥＤ２３３Ｌｂ等）と、
撮像タイミングに応じて前記光源を駆動制御する駆動制御手段（例えば、ＬＥＤ駆動部２５２）と、
を有し、
前記複数の導光体内の第１の導光体（例えば、第１の導光体２６１）は、前記光源の内の第１の光源（例えば、ＬＥＤ２３３Ｌａ）が配置された第１の開放端部（例えば、端部２６５ａ）と、前記撮像手段による前記撮像領域を照射する第１の照射面（例えば、外側面２６１ａ）と、を有し、
前記複数の導光体内の第２の導光体（例えば、第２の導光体２６２）は、前記光源の内の第２の光源（例えば、ＬＥＤ２３３Ｌｂ）が配置された第２の開放端部（例えば、端部２６８）と、前記撮像手段による前記撮像領域を照射する第２の照射面（例えば、外側面２６２ａ）と、を有し、
前記第１の導光体及び前記第２の導光体には、前記第１の開放端部及び前記第２の開放端部から入射した光りを、前記撮像領域に照射するための反射溝（例えば、反射溝２６７、反射溝２７０）が刻設されていることを特徴とする遊技機である。
【００１４】
本発明に係る第２形態は、
前記第１の導光体及び前記第２の導光体に刻設された前記反射溝は、前記第１の光源及び前記第２の光源の近傍より遠ざかる方が間隔が狭くなることを特徴とする遊技機である。
【発明の効果】
【００１５】
本発明によれば、遊技媒体の受付の可否とは別に、不正行為による遊技媒体を選別することで、正規の遊技媒体が用いられていると誤認させる不正行為を高精度に検知可能な遊技機を提供できる。
【図面の簡単な説明】
【００１６】
【図１】本発明の一実施形態の遊技機における機能フローを説明する説明図である。
【図２】本発明の一実施形態の遊技機における外観構成例を示す斜視図である。
【図３】本発明の一実施形態の遊技機における内部構造を示すものであり、ミドルドアを閉じた状態の斜視図である。
【図４】本発明の一実施形態の遊技機における内部構造を示すものであり、ミドルドアを開けた状態の斜視図である。
【図５】本発明の一実施形態の遊技機におけるキャビネットの内部を示す説明図である。
【図６】本発明の一実施形態の遊技機におけるフロントドアの裏面側を示す説明図である。
【図７】本発明の一実施形態の遊技機におけるメダルセレクタを組み立てた状態を示す斜視図である。
【図８】本発明の一実施形態の遊技機におけるメダルセレクタの分解斜視図である。
【図９】本発明の一実施形態の遊技機におけるメダルセレクタを遊技機の斜め前方から見た斜視図である。
【図１０】本発明の一実施形態の遊技機におけるメダルセレクタのキャンセルシュータの分解斜視図である。
【図１１】本発明の一実施形態の遊技機におけるメダルセレクタの中間部材の開口部が形成された部分の断面図である。
【図１２】本発明の一実施形態の遊技機におけるメダルセレクタのキャンセルシュータにおけるハーネスを固定するための構成を説明する図である。
【図１３】本発明の一実施形態の遊技機におけるメダルセレクタのセレクトプレートの斜視図である。
【図１４】本発明の一実施形態の遊技機におけるメダルセレクタがメダルをホッパー装置へ案内する場合のメダルの経路を示す図である。
【図１５】本発明の一実施形態の遊技機におけるメダルセレクタがメダルをメダルシュートに案内する場合のメダルの経路を示す図である。
【図１６】本発明の一実施形態の遊技機におけるメダルレールとカメラユニットとの位置関係を説明する分解図である。
【図１７】本発明の一実施形態の遊技機におけるメダルセレクタに取り付けられるカメラユニットの分解図である。
【図１８】本発明の一実施形態の遊技機におけるメダルセレクタのカメラユニットの断面構造及びユニットに用いるレンズホルダの断面を示す図である。
【図１９】図１８で示したレンズホルダの素材における配合比でガラスフィラーを混合し成形した環境試験結果を示す図である。
【図２０】本発明の一実施形態の遊技機におけるメダルセレクタで用いるレンズを介して得られた樽型歪みを表す画像データ領域を示す図である。
【図２１】本発明の一実施形態の遊技機におけるメダルセレクタのレンズホルダを基板上に組み立てる組立手順を示すフローチャートである。
【図２２】本発明の一実施形態の遊技機におけるメダルセレクタで用いる第１の導光体及び第２の導光体の外観斜視図である。
【図２３】本発明の一実施形態の遊技機におけるメダルセレクタで用いる第３の導光体２６３の外観斜視図である。
【図２４】本発明の一実施形態の遊技機におけるメダルセレクタの第１〜第３の各導光体に用いる取付部材を示す図である。
【図２５】本発明の一実施形態の遊技機におけるメダルセレクタの第１〜第３の各導光体の配置関係を示す図である。
【図２６】本発明の一実施形態の遊技機におけるメダルセレクタで使用されるＬＥＤの発光波長特性グラフである。
【図２７】本発明の一実施形態の遊技機における制御系を示すブロック図である。
【図２８】本発明の一実施形態の遊技機における主制御回路の構成例を示すブロック図である。
【図２９】本発明の一実施形態の遊技機における副制御回路の構成例を示すブロック図である。
【図３０】本発明の一実施形態の遊技機におけるメダルセレクタの回路構成例を示すブロック図である。
【図３１】本発明の一実施形態の遊技機における制御ＬＳＩの回路構成例を示すブロック図である。
【図３２】本発明の一実施形態の遊技機に用いられる正規メダルの一例を示す図であり、Ａは正規メダルの一方の面を示し、Ｂは正規メダルの画像データを示し、Ｃは正規メダルの勾配平均画像データを示す図である。
【図３３】本発明の一実施形態の遊技機における制御ＬＳＩの正規メダル判別処理を説明するための図である。
【図３４】不正メダルの一例を示す図であり、Ａはこの不正メダルの一方の面を示し、Ｂはこの不正メダルの画像データを示す図である。
【図３５】不正メダルの他の例を示す図であり、Ａはこの不正メダルの一方の面を示し、Ｂはこの不正メダルの画像データを示し、Ｃはこの不正メダルの勾配平均画像データを示す図である。
【図３６】本発明の一実施形態のメダルセレクタにより実行される画像データのオフセット補正を行うオフセット補正処理を示すフローチャートである。
【図３７】図３６で示したオフセット補正処理で行われるオフセット値と温度の関係を示すグラフである。
【図３８】本発明の一実施形態の遊技機におけるメダルセレクタで用いるＬＥＤ駆動部の構成例を示すブロック図である。
【図３９】図３８で示したＬＥＤ駆動部の具体的な回路構成図である。
【図４０】本発明の一実施形態の遊技機におけるメダルセレクタのＬＥＤの駆動における動作電圧及び電流の変化を示すタイミングチャートである。
【図４１】本発明の一実施形態の変形例に係るメダルセレクタのベース板部及びサブプレートの分解斜視図である。
【図４２】本発明の一実施形態の変形例に係るメダルセレクタのベース板部をパチスロの斜め前方から見た斜視図である。
【図４３】本発明の一実施形態の変形例に係るメダルセレクタのサブプレートをパチスロの斜め前方から見た斜視図である。
【図４４】本発明の一実施形態の変形例に係るサブプレートの動作を説明する図である。
【図４５】本発明の一実施形態の変形例に係るサブプレートの動作を説明する図である。
【図４６】本発明の一実施形態の変形例に係るコネクタの斜視図である。
【図４７】本発明の一実施形態の変形例に係るコネクタの第１部材と第２部材とを互いに係合する方向から見た図である。
【図４８】図４７に示すコネクタの第１部材と第２部材とは別の態様の第１部材と第２部材を示す図である。
【図４９】図４７に示すコネクタの第１部材と第２部材とは別の態様の第１部材と第２部材を示す図である。
【図５０】本発明の一実施形態の変形例に係るメダルセレクタの回路構成例を示すブロック図である。
【図５１】本発明の実施形態の応用例１に係る遊技用装置を上面から見た平面図である。
【図５２】本発明の実施形態の応用例１に係る遊技用装置の内部構成を示す斜視図である。
【図５３】本発明の実施形態の応用例２に係る計数用ホッパの断面図である。
【図５４】本発明の一実施形態の応用例３に係る遊技用装置の内部構造例を示す斜視図である。
【発明を実施するための形態】
【００１７】
［本発明の一実施形態］
以下、本発明の一実施形態を示す遊技機であるパチスロについて、図１〜図４０を参照しながら説明する。
【００１８】
＜機能フロー＞
まず、図１を参照して、パチスロの機能フローについて説明する。
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１９】
遊技者によりメダルが投入され、スタートレバーが操作されると、予め定められた数値の範囲（例えば、０〜６５５３５）の乱数から１つの値（以下、乱数値）が抽出される。
【００２０】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２２】
パチスロでは、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定期間が１９０ｍｓｅｃである場合には、滑り駒数の最大数を図柄４個分に定め、規定期間が７５ｍｓｅｃである場合には、滑り駒数の最大数を図柄１個分に定める。
【００２３】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２４】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロでは、以上のような一連の流れが１回の遊技として行われる。
【００２５】
また、パチスロでは、前述した一連の流れの中で、液晶表示装置等の表示装置により行う映像の表示、各種ランプにより行う光の出力、スピーカにより行う音の出力、あるいはこれらの組合せを利用して様々な演出が行われる。
【００２６】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２７】
演出内容が決定されると、演出実行手段は、リールの回転開始時、各リールの回転停止時、入賞の有無の判定時等の各契機に連動させて対応する演出を実行する。このように、パチスロでは、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２８】
＜パチスロの構造＞
次に、図２〜図６を参照して、一実施形態に係るパチスロ１の構造について説明する。
【００２９】
［外観構造］
図２は、パチスロ１の外部構造を示す斜視図である。
【００３０】
図２に示すように、パチスロ１は、外装体２を備えている。外装体２は、後述するホッパー装置５１やメダル補助収納庫５２等（図５参照）を収容するキャビネット２ａと、キャビネット２ａに対して開閉可能に取り付けられるフロントドア２ｂとを有している。
キャビネット２ａの両側面には、把手７が設けられている（図２では一側面の把手７のみを示す）。この把手７は、パチスロ１を運搬するときに手をかける凹部である。
【００３１】
外装体２の内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。シート材の表面には、複数（例えば２０個）の図柄が周方向に沿って所定の間隔をあけて描かれている。
【００３２】
フロントドア２ｂは、ドア本体９と、フロントパネル１０と、表示装置の一具体例を示す液晶表示装置１１とを備えている。
【００３３】
ドア本体９は、ヒンジ（不図示）を用いてキャビネット２ａに取り付けられており、キャビネット２ａの開口部を開閉する。ヒンジは、パチスロ１の前方からドア本体９を見た場合に、ドア本体９における左側の端部に設けられている。液晶表示装置１１は、ドア本体９の上部に取り付けられている。この液晶表示装置１１は、表示部（表示画面）１１ａを備えており、液晶表示装置１１を用いて映像の表示による演出が実行される。
【００３４】
フロントパネル１０は、液晶表示装置１１の表示部１１ａ側に重畳して配置され、液晶表示装置１１の表示部１１ａを露出させるパネル開口１０ａを有する枠状に形成されている。フロントパネル１０には、ランプ群１８が設けられている。ランプ群１８は、ＬＥＤ（Light Emitting Diode）等で構成され、演出内容に対応するパターンで、光を点灯及び消灯する。
【００３５】
フロントドア２ｂの中央には、台座部１２が形成されている。この台座部１２には、図柄表示領域４と、遊技者による操作の対象となる各種装置が設けられている。
【００３６】
図柄表示領域４は、正面から見て３つのリール３Ｌ，３Ｃ，３Ｒに重畳する手前側に配置されており、３つのリール３Ｌ，３Ｃ，３Ｒに対応して設けられている。この図柄表示領域４は、表示窓としての機能を果たすものであり、その背後に設けられた各リール３Ｌ，３Ｃ，３Ｒを透過することが可能な構成になっている。以下、図柄表示領域４を、リール表示窓４という。
【００３７】
リール表示窓４は、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。本実施の形態では、リール表示窓４の上段、中段及び下段からなる３つの領域のうち予め定められたいずれかを組合せて構成される擬似的なラインを、入賞か否かの判定を行う対象となるライン（入賞判定ライン）として定義する。
【００３８】
リール表示窓４は、台座部１２に設けられた枠部材１３により形成されている。この枠部材１３は、リール表示窓４と、情報表示窓１４と、ストップボタン取付部１５を有している。
【００３９】
情報表示窓１４は、リール表示窓４の下部に連続して設けられており、上方に向かって開口している。すなわち、リール表示窓４と情報表示窓１４は、連続する１つの開口部として形成されている。この情報表示窓１４及びリール表示窓４は、透明の窓カバー１６によって覆われている。
【００４０】
窓カバー１６は、枠部材１３の内面側に配置されており、フロントドア２ｂの前面側から取り外し不可能になっている。また、枠部材１３は、窓カバー１６を挟んで情報表示窓１４の開口に対向するシート載置部１７を有している。そして、シート載置部１７と窓カバー１６との間には、遊技に関する情報が記載されたシート部材（情報シート）が配置されている。したがって、情報シートは、凹凸や隙間の無い滑らかな表面を有する窓カバー１６により覆われている。
【００４１】
情報シートの取付部を構成する窓カバー１６は、フロントドア２ｂの前面側から取り外し不可能であり、凹凸や隙間の無い滑らかな表面であるため、情報シートの取付部を利用して、パチスロ１の内部にアクセスする不正行為を防ぐことができる。
【００４２】
ストップボタン取付部１５は、情報表示窓１４の下方に設けられており、正面を向いた平面に形成されている。このストップボタン取付部１５には、ストップボタン１９Ｌ，１９Ｃ，１９Ｒが貫通する貫通孔が設けられている。ストップボタン１９Ｌ，１９Ｃ，１９Ｒは、３つのリール３Ｌ，３Ｃ，３Ｒのそれぞれに対応づけられ、対応するリールの回転を停止するために設けられる。以下、ストップボタン１９Ｌ，１９Ｃ，１９Ｒを、それぞれ左ストップボタン１９Ｌ、中ストップボタン１９Ｃ、右ストップボタン１９Ｒという。
【００４３】
ストップボタン１９Ｌ，１９Ｃ，１９Ｒは、遊技者による操作の対象となる各種装置の一例を示す。また、台座部１２には、遊技者による操作の対象となる各種装置として、メダル投入口２１、ＢＥＴボタン２２、スタートレバー２３が設けられている。
【００４４】
メダル投入口２１は、遊技者によって外部から投下されるメダルを受け入れるために設けられている。メダル投入口２１に受け入れられたメダルは、１回の遊技につき予め定められた規定数（例えば、３枚）を上限として投入可能であり、パチスロ１は、該規定数を超えた分はパチスロ１の内部に預けることが可能となる、いわゆるクレジット機能を有している。また、メダル投入口２１の近傍には、メダル投入口２１に投下されたメダルを、後述するメダル払出口３２から排出し、メダルトレイユニット３４に返却する返却ボタン２１ａが設けられている。返却ボタン２１ａは、例えば、メダル投入口２１に投下されたメダルがパチスロ１の後述するメダルセレクタ２０１内部でメダル詰まりが発生し、パチスロ１でメダル詰まりエラーを検知した場合に、操作される。
【００４５】
ＢＥＴボタン２２は、パチスロ１の内部に預けられているメダルから１回の遊技に投入する枚数を決定するために設けられる。スタートレバー２３は、全てのリール（３Ｌ，３Ｃ，３Ｒ）の回転を開始するために設けられる。
【００４６】
また、フロントドア２ｂを正面から見てリール表示窓４の左側方には、７セグメントＬＥＤからなる７セグ表示器２４が設けられている。この７セグ表示器２４は、特典として遊技者に対して払い出すメダルの枚数（以下、払出枚数）、パチスロ内部に預けられているメダルの枚数（以下、クレジット枚数）等の情報をデジタル表示する。
【００４７】
フロントドア２ｂを正面から見て台座部１２の左側には、精算ボタン２７が設けられている。この精算ボタン２７は、パチスロ１の内部に預けられている外部に引き出す（排出する）ために設けられる。台座部１２の下方には、腰部パネルユニット３１が設けられている。腰部パネルユニット３１は、任意の画像が描かれた装飾パネルと、この装飾パネルを背面側から照明するための光を出射する光源を有している。
【００４８】
腰部パネルユニット３１の下方には、メダル払出口３２と、スピーカ用孔３３Ｌ，３３Ｒと、メダルトレイユニット３４が設けられている。メダル払出口３２は、後述のメダルセレクタ２０１から排出されるメダルや後述のホッパー装置５１の駆動により排出されるメダルを外部に導く。メダル払出口３２５から排出されたメダルは、メダルトレイユニット３４に貯められる。スピーカ用孔３３Ｌ，３３Ｒは、演出内容に応じた効果音や楽曲等の音を出力するために設けられている。
【００４９】
［内部構造］
図３及び図４は、パチスロ１の内部構造を示す斜視図である。図３では、フロントドア２ｂが開放され、フロントドア２ｂの裏面側に設けられたミドルドア４１がフロントドア２ｂに対して閉じた状態を示している。また、図４では、フロントドア２ｂが開放され、ミドルドア４１がフロントドア２ｂに対して開いた状態を示している。図５は、キャビネット２ａの内部を示す説明図である。図６は、フロントドア２ｂの裏面側を示す説明図である。
【００５０】
キャビネット２ａは、上面板２０ａと、底面板２０ｂと、左右の側面板２０ｃ，２０ｄと、背面板２０ｅを有している（図５参照）。キャビネット２ａ内部の上側には、キャビネット側スピーカ４２が配設されている。このキャビネット側スピーカ４２は、取付ブラケット４３Ｌ，４３Ｒを介してキャビネット２ａの背面板２０ｅに取り付けられている。キャビネット側スピーカ４２は、例えば、効果音を出力するためのスピーカである。
【００５１】
キャビネット２ａ内部を正面から見て、キャビネット側スピーカ４２の左側方には、キャビネット側中継基板４４が配設されている。このキャビネット側中継基板４４は、キャビネット２ａの左側面板２０ｃに取り付けられている。キャビネット側中継基板４４は、ミドルドア４１（図３及び図４参照）に取り付けられた後述する主制御基板７１（図２７参照）と、ホッパー装置５１、メダル補助収納庫スイッチ（不図示）、メダル払出カウントスイッチ（不図示）とを接続する配線の中継を行う。
【００５２】
キャビネット２ａ内部の中央部には、キャビネット側スピーカ４２による音の出力を制御するアンプ基板４５が配設されている。このアンプ基板４５は、左右の側面板２０ｃ，２０ｄに固定された取付棚４６に取り付けられている。
【００５３】
また、キャビネット２ａ内部を正面から見て、アンプ基板４５の右側には、外部集中端子板４７が配設されている（図５参照）。この外部集中端子板４７は、キャビネット２ａの右側面板２０ｄに取り付けられている。外部集中端子板４７は、メダル投入信号、メダル払出信号及びセキュリティー信号等の信号をパチスロ１の外部へ出力するために設けられている。
【００５４】
キャビネット２ａ内部を正面から見て、アンプ基板４５の左側には、サブ電源装置４８が配設されている。サブ電源装置４８は、キャビネット２ａの左側面板２０ｃに取り付けられている。サブ電源装置４８は、交流電圧１００Ｖの電力を後述する電源装置５３に供給し、また、交流電圧１００Ｖの電力を直流電圧の電力に変換して、アンプ基板４５に供給する。
【００５５】
キャビネット２ａの内部の下側には、メダル払出装置（以下、ホッパー装置という。）５１と、メダル補助収納庫５２と、電源装置５３が配設されている。
【００５６】
ホッパー装置５１は、キャビネット２ａにおける底面板２０ｂの中央部に取り付けられている。ホッパー装置５１は、多量のメダルを収容可能であり、それらを１枚ずつ排出可能な構造を有する。ホッパー装置５１は、例えば、精算ボタン２７（図２参照）が押圧されてパチスロ内部に預けられているメダルの精算を行うときに、収容したメダルをクレジット枚数分排出する。ホッパー装置５１によって払い出されたメダルは、メダル払出口３２（図２参照）から排出される。このようなホッパー装置５１は、遊技媒体を貯留及び該貯留した遊技媒体を排出する貯留手段の一例として機能する。
【００５７】
メダル補助収納庫５２は、ホッパー装置５１から溢れ出たメダルを収納する。このメダル補助収納庫５２は、キャビネット２ａ内部を正面から見て、ホッパー装置５１の右側に配置されている。メダル補助収納庫５２は、キャビネット２ａの底面板２０ｂに係合されており、底面板２０ｂに対して着脱可能に構成されている。
【００５８】
電源装置５３は、キャビネット２ａ内部を正面から見て、ホッパー装置５１の左側に配置されており、左側面板２０ｃに取り付けられている。この電源装置５３は、電源スイッチ５３ａと、電源基板５３ｂを有している（図２７参照）。電源装置５３は、サブ電源装置４８から供給された交流電圧１００Ｖの電力を各部で必要な直流電圧の電力に変換して、変換した電力を各部へ供給する。
【００５９】
図３、図４及び図６に示すように、ミドルドア４１は、フロントドア２ｂの裏面における中央部に配置され、リール表示窓４（図４参照）を裏側から開閉可能に構成されている。ミドルドア４１の上部と下部には、ドアストッパ４１ａ，４１ｂ，４１ｃが設けられている。このドアストッパ４１ａ，４１ｂ，４１ｃは、リール表示窓４を裏側から閉じた状態のミドルドア４１の開動作を固定（禁止）する。すなわち、ミドルドア４１を開くには、ドアストッパ４１ａ，４１ｂ，４１ｃを回転させてミドルドア４１の固定を解除する必要がある。ミドルドア４１には、主制御基板７１（図２７参照）を収納した主制御基板ケース５５と、３つのリール３Ｌ，３Ｃ，３Ｒが取り付けられている。３つのリール３Ｌ，３Ｃ，３Ｒには、所定の減速比をもったギアを介してステッピングモータが接続されている。
【００６０】
図６に示すように、主制御基板ケース５５には、設定用鍵型スイッチ５６が設けられている。この設定用鍵型スイッチ５６は、パチスロ１の設定を変更もしくはパチスロ１の設定の確認を行うときに使用する。本実施の形態では、主制御基板ケース５５と、この主制御基板ケース５５に収納された主制御基板７１（図２７参照）により、主制御基板ユニットが構成されている。
【００６１】
主制御基板ケース５５に収納された主制御基板７１（図２７参照）は、後述する主制御回路９１（図２８参照）を構成する。主制御回路９１は、内部当籤役の決定、リール３Ｌ，３Ｃ，３Ｒの回転及び停止、入賞の有無の判定といった、パチスロ１における遊技の主な流れを制御する回路である。主制御回路９１の具体的な構成は後述する。
【００６２】
ミドルドア４１の上方には、副制御基板７２（図２７参照）を収容する副制御基板ケース５７が配設されており、副制御基板ケース５７の上方には、センタースピーカ５８が配設されている。副制御基板ケース５７に収納された副制御基板７２は、副制御回路１０１（図２９参照）を構成する。この副制御回路１０１は、映像の表示等による演出の実行を制御する回路である。副制御回路１０１の具体的な構成は後述する。
【００６３】
フロントドア２ｂを裏面側から見て、副制御基板ケース５７の右側方には、副中継基板６１が配設されている。副中継基板６１は、副制御基板７２（図２７参照）と主制御基板７１（図２７参照）とを接続する配線を中継し、また、副制御基板７２と副制御基板７２の周辺に配設された基板とを接続する配線を中継する基板である。なお、副制御基板７２の周辺に配設される基板としては、後述するＬＥＤ基板６２Ａ，６２Ｂ，６２Ｃ（図２７参照）が挙げられる。
【００６４】
ＬＥＤ基板６２Ａ，６２Ｂ，６２Ｃ（図２７参照）は、フロントドア２ｂの裏面側から見て、副制御基板ケース５７の両側に配設されている。これらＬＥＤ基板６２Ａ，６２Ｂ，６２Ｃは、副制御回路１０１（図２９参照）の制御により実行される演出に応じて、光源の一具体例を示す複数のＬＥＤ８５（図２７参照）を発光させて、点滅パターンを表示する。なお、本実施の形態のパチスロ１には、ＬＥＤ基板６２Ａ，６２Ｂ，６２Ｃ以外に複数の演出用ＬＥＤ基板を備えている。
【００６５】
副中継基板６１の下方には、２４ｈドア開閉監視ユニット６３が配設されている。この２４ｈドア開閉監視ユニット６３は、ミドルドア４１の開閉の履歴を保存する。また、ミドルドア４１を開放したときに、液晶表示装置１１にエラー表示を行うための信号を副制御基板７２（図２７参照）（副制御回路１０１（図２９参照））に出力する。
【００６６】
ミドルドア４１の下方には、ボードスピーカ６４と、下部スピーカ６５Ｌ，６５Ｒが配設されている。ボードスピーカ６４は、腰部パネルユニット３１（図２参照）に対向しており、下部スピーカ６５Ｌ，６５Ｒは、それぞれスピーカ用孔３３Ｌ，３３Ｒ（図２参照）に対向している。
【００６７】
下部スピーカ６５Ｌの上方には、メダルセレクタ２０１と、メダルシュート２０２と、ドア開閉監視スイッチ６７と、が配設されている。メダルセレクタ２０１は、メダルの材質や形状等が適正であるか否かを判別する装置であり、メダル投入口２１に投入されたメダルを、スロープ２０３を介してホッパー装置５１（図５参照）へ案内し、又はメダルシュート２０２へ案内する。メダルセレクタ２０１の具体的な構成については後述する。メダルシュート２０２は、略Ｙ字状の筒状の部材であり、メダルセレクタ２０１によって案内されたメダルやホッパー装置５１から排出されたメダルをメダル払出口３２（図２参照）に案内する。本実施形態では、メダル投入口２１から投入されたメダルを検出するメダルセレクタ２０１は、遊技媒体を検出する遊技媒体検出手段を構成する。
【００６８】
ドア開閉監視スイッチ６７は、フロントドア２ｂを裏面側から見て、メダルセレクタ２０１の左側方に配置されている。このドア開閉監視スイッチ６７は、パチスロ１の外部へ、フロントドア２ｂの開閉を報知するためのセキュリティー信号を出力する。
【００６９】
また、リール表示窓４の下方であってミドルドア４１により開閉される領域には、ドア中継端子板６８が配設されている（図４参照）。このドア中継端子板６８は、主制御基板ケース５５内の主制御基板７１（図２７参照）と、各種のボタンやスイッチ、副制御基板７２（図２７参照）、メダルセレクタ２０１及び遊技動作表示基板８１（図２７参照）との配線を中継する基板である。なお、各種のボタン及びスイッチとしては、例えば、ＢＥＴボタン２２、精算ボタン２７、ドア開閉監視スイッチ６７、後述するＢＥＴスイッチ７７、スタートスイッチ７９等を挙げることができる。
【００７０】
＜メダルセレクタの構成＞
次に、メダルセレクタ２０１の具体的な構成について説明する。
【００７１】
図７は、メダルセレクタ２０１を組み立てた状態を示す斜視図である。
図７に示すように、メダルセレクタ２０１は、ベース板部２０４と、サブプレート２０５と、キャンセルシュータ２０６と、セレクトプレート２０７と、メダルソレノイド２０８（図９参照）、カメラユニット２０９と、を備えている。また、各プレートやカバー部材の素材には、ＡＢＳ樹脂やＰＣ樹脂を使用することができる。
【００７２】
図８は、メダルセレクタ２０１の分解斜視図である。
図８に示すように、ベース板部２０４は、メダルセレクタ２０１の外枠筐体を構成する略板状の部材であり、パチスロ１の左右方向の両端部がパチスロ１の後方に折曲するように成型されている。ベース板部２０４は、パチスロ１の前後方向に直交する一方の平面である後面２０４ｂと他方の平面である前面２０４ａ（図９参照）を有している。後面２０４ｂには、メダルレール２１０が、パチスロ１の前方へ凹むように、且つ、上方から下方に向かって延び、略Ｌ字状に形成されている。メダルレール２１０の表面には、メダルレール２１０が延びる方向に沿って、複数の突条部が形成されている。これにより、メダルレール２１０を通過するメダルとの摩擦が軽減され、メダルがメダルレール２１０に詰まることが防止可能となる。
【００７３】
ベース板部２０４の上端部には、メダルレール２１０の上端に連なり、メダル投入口２１（図２参照）から投入されるメダルを受け入れるメダル入口部２１１が設けられている。メダル入口部２１１からメダルセレクタ２０１内に投入されたメダルは、メダルレール２１０に沿って上方から下方へ移動する。ベース板部２０４の下部には、メダルレール２１０の下端に連なるメダル出口部２０４ｃが設けられている。メダルセレクタ２０１内を移動したメダルは、メダル出口部２０４ｃから排出され、スロープ２０３（図６参照）を介してホッパー装置５１に収容される。このようなスロープ２０３は、遊技媒体検出手段から、貯留手段に遊技媒体を導くための誘導部の一例として機能する。
【００７４】
メダルレール２１０の略中間位置には、前後方向に貫通する中央孔２１２が形成されており、この中央孔２１２からメダルレール２１０内にメダルプレッシャ２１３の端部が露出している。
【００７５】
図９は、メダルセレクタ２０１をパチスロ１の斜め前方から見た斜視図である。なお、図９から図１５に示す矢印Ｘはパチスロ１の左右方向を示し、矢印Ｙはパチスロ１の前後方向を示し、矢印Ｚは上下方向を示す。
図９に示すように、メダルプレッシャ２１３は、ベース板部２０４の前面２０４ａに設けられた軸部２１４に回動可能に支持されている。この軸部２１４には、コイルばね２１５が取り付けられており、メダルプレッシャ２１３は、その端部が、コイルばね２１５により、メダルプレッシャ２１３が中央孔２１２からメダルレール２１０内（後面２０４ｂ側）に突出するように付勢されている。
【００７６】
ベース板部２０４の前面２０４ａには、メダルレール２１０上を移動するメダルのうち、適正な材質でない不正メダルを吸着（着磁）するための磁石（不図示）が設けられている。
【００７７】
図８に示すように、メダルレール２１０の下流領域の略中央部には、前後方向に貫通し、後述するアフタメダルプレッシャ２１８の後端部が露出する上露出孔２１９が形成されている。また、メダルレール２１０の下流領域の下部には、前後方向に貫通し、セレクトプレート２０７の後述するメダルストッパ部２２７（図１３参照）の突出部２２７ａがメダルレール２１０内（後面２０４ｂ側）に露出する下露出孔２２０が形成されている。
【００７８】
図９に示すように、アフタメダルプレッシャ２１８は、ベース板部２０４の前面２０４ａに設けられた軸部２１８ａに、その前端部が回動可能に支持されている。アフタメダルプレッシャ２１８は、この軸部２１８ａに設けられたコイルばねにより、後端部が上露出孔２１９（図８参照）からメダルレール２１０内（後面２０４ｂ側）に突出しないように付勢されている。そして、アフタメダルプレッシャ２１８は、前端部がメダルソレノイド２０８によってパチスロ１の後方（後面２０４ｂ側）へ押圧されると、軸部２１８ａを中心に回動し、後端部が上露出孔２１９からメダルレール２１０内（後面２０４ｂ側）に露出する。
【００７９】
図８に示すように、サブプレート２０５は、メダルレール２１０と重なる位置に設けられている板状の部材である。サブプレート２０５は、平板状の本体部２２１と、この本体部２２１の上部に設けた軸部２２２と、後述する第１の導光体２６１を取り付けるための取付部材２７２と、を有している。本体部２２１の略中央部には、メダルレール２１０の中央孔２１２、上露出孔２１９及び下露出孔２２０を含む位置の後方に配置され、前後方向に貫通する貫通孔２２１ａが設けられており、貫通孔２２１ａからはメダルレール２１０の略中央部から下流領域が露出して、後述するカメラユニット２０９の撮影可能最大領域を形成している。
【００８０】
軸部２２２は、ベース板部２０４に支持されており、サブプレート２０５は、軸部２２２を中心に回動可能にベース板部２０４に取り付けられている。軸部２２２には、コイルばね２２３が取り付けられている。通常時、サブプレート２０５は、コイルばね２２３の付勢力により、ベース板部２０４側に押し付けられている。このとき、サブプレート２０５と、サブプレート２０５に覆われたメダルレール２１０の上部との間には、メダルが通過可能な空間が形成されている。すなわち、サブプレート２０５は、メダルを通過させるガイド板として機能する。
【００８１】
キャンセルシュータ２０６は、サブプレート２０５の後方において、メダルレール２１０に面して配置されており、カメラユニット２０９や配線基板２８８等を保持する板状の中間部材２９３及び中間部材２９３を覆うカバー部材２９４と、を有する。キャンセルシュータ２０６は、中間部材２９３に形成されたビス取付け部２０６ａに回転自在にビス２０６ｂが配置されている。
図７に示すように、キャンセルシュータ２０６は、ビス２０６ｂが、ベース板部２０４のビス受け部２０４ｄの螺合部に螺合することで、ベース板部２０４に固定されている。すなわち、キャンセルシュータ２０６は、ビス止めにより、ベース板部２０４に着脱可能に固定され、ベース板部２０４の下部を、サブプレート２０５（図８参照）を挟んで、後方から覆っている。なお、ビス２０６ｂは止め輪が嵌めこまれて、ビス受け部２０４ｄからビス２０６ｂ外しても、ビス２０６ｂがビス取付け部２０６ａから脱落することがない。
【００８２】
ここで、例えば、メダルセレクタ２０１内にメダル詰まりが生じた場合、ビス受け部２０４ｄからビス２０６ｂ外して、ベース板部２０４からキャンセルシュータ２０６を取り外し、サブプレート２０５（図８参照）を露出させる。そして、サブプレート２０５をコイルばね２２３の付勢力に抗して軸部２２２（図８参照）を中心に回動させて、メダルレール２１０を露出させて、詰まったメダルを除去することで、メダル詰まりを解消することができる。
【００８３】
図１０は、パチスロ１の斜め前方から見たキャンセルシュータ２０６の分解斜視図である。
キャンセルシュータ２０６の中間部材２９３には、カメラユニット２０９の開口領域となる開口部２９３ａが形成されている。開口部２９３ａの開口領域は、カメラユニット２０９が撮影領域ＲＬａ（後述する図２５参照）を撮影するために、カメラユニット２０９のレンズ２８３（後述する図１８参照）の近傍の画角に干渉しない面積で形成されている。
【００８４】
図１１は、中間部材２９３の開口部２９３ａが形成された部分の断面図である。図１１においては、理解を容易にするため、中間部材２９３の開口部２９３ａ近傍に配置されているカメラユニット２０９（アクリル樹脂取付ユニット２９６、レンズ保護カバー２９５、レンズホルダ２７５、レンズユニット２８７及び配線基板２８８）を点線で示している。カメラユニット２０９（アクリル樹脂取付ユニット２９６、レンズ保護カバー２９５、レンズホルダ２７５、レンズユニット２８７及び配線基板２８８）については、後述する。
【００８５】
中間部材２９３には、開口部２９３ａの周縁において、メダルレール２１０（図８参照）と反対側（図１１中Ｂ方向）の面から突出し、カメラユニット２０９が配置されている突出部としてのオフセット部２９３ｂが形成されている。このオフセット部２９３ｂには、後述するアクリル樹脂取付ユニット２９６が透光性素材で形成されているアクリル樹脂製板２９６ａを挟み込んだ状態で固定され、開口部２９３ａを塞いでいる。アクリル樹脂製板２９６ａの開口部２９３ａと反対側（図１１中Ｂ方向）の面には、レンズユニット２８７及びレンズ保護カバー２９５が配置されている。すなわち、透光板としてのアクリル樹脂製板２９６ａは、保持手段としての中間部材２９３と撮像手段としてのカメラユニット２０９との間に配置されており、開口部２９３ａを塞いでいる。また、本実施形態では、カメラユニット２０９は、メダルを撮像することで、パチスロ１に投入されたメダルを検出する検出手段を構成する。
【００８６】
また、中間部材２９３は、開口部２９３ａの周縁において、メダルレール２１０（図８参照）が配置されている方向（図１１中Ｆ方向）に向かうにつれ、開口部２９３ａの中央から外側に向かって傾斜するテーパー処理がなされている。このように、中間部材２９３は、開口部２９３ａの内法寸法２９３ａ’がメダルレール２１０に向かって徐々に広がっている。
【００８７】
このように、カメラユニット２０９の開口領域となる開口部２９３ａの周縁に、メダルが通過するメダルレール２１０（図８参照）と反対側の面にオフセット部２９３ｂを形成し、このオフセット部２９３ｂにカメラユニット２０９を配置することで、カメラユニット２０９とメダルレール２１０とをより離すことが可能となり、カメラユニット２０９で撮像できる撮像可能範囲が広くなる。よって、より広い範囲で、通路を通過するメダルを撮像できる。したがって、遊技機に正規の遊技媒体が用いられていると誤認させて遊技を行う不正行為を、撮像された画像に基づき高精度に検知するために必要な撮像可能範囲を確保可能な遊技機を提供できる。また、開口部２９３ａの周縁にオフセット部２９３ｂを形成することで、中間部材２９３の強度が向上し、中間部材２９３が撓み、中間部材２９３に保持されたカメラユニット２０９の光軸がズレてしまい、適正位置でメダルを撮像できなくなり、不正行為を検知する精度が低下するのを防止できる。
【００８８】
また、開口部２９３ａの周縁に、内法寸法２９３ａ’がメダルレール２１０（図８参照）に向かって広がるテーパー処理をしたので、開口部２９３ａのメダルレール２１０側の縁が、カメラユニット２０９の撮像範囲に入ってしまい、メダルレール２１０を通過するメダルを撮像できる範囲が狭くなってしまうことを防止できる。また、開口部２９３ａの周縁メダルレール２１０側をテーパー処理することで、メダルレール２１０を通過するメダルが、中間部材２９３側に倒れ、開口部２９３ａの周縁に接触した場合に、このメダルをスムーズに受け流すことができる。よって、メダルが開口部２９３ａの周縁に接触した状態で詰まってしまい、適正位置でメダルを撮像できなくなり、不正行為を検知する精度が低下するのを防止できる。また、少なくとも開口部２９３ａの周縁メダルレール２１０側上下方向の下周縁をテーパー処理することで、開口部２９３ａの下周縁に塵等の異物が溜まるのを防止できる。よって、開口部２９３ａの周縁に異物が溜まり、この異物が通過物体とともに、撮像手段に撮像されてしまい、不正行為を検知する精度が低下するのを防止できる。したがって、遊技機に正規の遊技媒体が用いられていると誤認させて遊技を行う不正行為を、撮像された画像に基づき高精度に検知するために必要な撮像可能範囲を確保可能であり、不適切な画像が撮像されることを防止可能な遊技機を提供できる。
【００８９】
また、中間部材２９３とカメラユニット２０９との間に開口部２９３ａを塞ぐアクリル樹脂製板２９６ａを配置したので、メダルレール２１０（図８参照）側から、塵等の異物がカメラユニット２０９の内部に侵入するのを防止できる。よって、カメラユニット２０９の内部へ異物が侵入し、カメラユニット２０９により適切にメダルを撮像できなくなり、不正行為を検知する精度が低下するのを防止できる。また、このような異物がアクリル樹脂製板２９６ａに付着したとしても、カメラユニット２０９をメダルレール２１０に合焦させておくことで、異物が付着したアクリル樹脂製板２９６ａの位置は、カメラユニット２０９の結像距離より短いので、カメラユニット２０９によるメダルの撮像に対する影響が少ない。したがって、遊技機に正規の遊技媒体が用いられていると誤認させて遊技を行う不正行為を、撮像された画像に基づき高精度に検知するために必要な撮像可能範囲を確保可能であり、不適切な画像が撮像されることを防止可能な遊技機を提供できる。
【００９０】
図８に戻って、キャンセルシュータ２０６内部に設けられた配線基板２８８には、ハーネス（図示無し）の一端が接続され、このハーネスはキャンセルシュータ２０６内部から外部に延びて、他端が後述するドア中継端子板６８（図３０参照）等に接続される。このため、キャンセルシュータ２０６端部近傍には、このようなハーネスを固定するための構成として、中間部材２９３にハーネス受け部２９３ｃが形成されており、カバー部材２９４において、このハーネス受け部２９３ｃと対応する位置に、ハーネスを束ねる帯形状の結束部材である結束バンド（図示無し）を挿通させる通し孔２９４ｂや、ハーネスを押えるための先端側押え部２９４ｃが形成されている。
【００９１】
図１２は、キャンセルシュータ２０６におけるハーネスを固定するための構成を説明する図である。図１２中一点鎖線はハーネスＨを示し、破線はハーネスを束ねる帯形状の結束部材である結束バンドを挿通させる経路Ｂを示している。中間部材２９３は、所定方向に延びるハーネスＨが配置されるハーネス受け部２９３ｃを有する。ハーネス受け部２９３ｃは、ハーネスＨが配置される配置面２９３ｄと、配置面２９３ｄの側縁に連なり、配置面２９３ｄから離れるほど突出し、ハーネスＨを配置面２９３ｄ側に寄せる寄せ面２９３ｅと、を有する。また、ハーネス受け部２９３ｃには、ハーネスＨが延びる所定方向と直交する方向に延び、ハーネスＨを束ねる結束バンド（図示無し）が配置される溝２９３ｆが形成されている。溝２９３ｆは、配置面２９３ｄ及び寄せ面２９３ｅの表面が欠き込まれて形成され、ハーネスＨが延びる所定方向と直交する方向において、ハーネス受け部２９３ｃの中心側から端部側（配置面２９３ｄ側から寄せる寄せ面２９３ｅ側）に上り傾斜する傾斜部２９３ｇを有する。また、溝２９３ｆの側面は、結束バンドが溝２９３ｆから脱落しないための壁を形成し、溝２９３ｆの両端部は、後述するカバー部材２９４の一対の通し孔２９４ｂと対向する位置に形成されている。また、傾斜部２９３ｇの傾斜角は、カバー部材２９４の通し孔２９４ｂの一方に挿入された結束バンドが屈曲して、他方の通し孔２９４ｂにカバー部材２９４の外側に挿通しやすい角度が設けられている。なお、本実施形態における結束バンドは一般的なナイロン素材により形成されているので、結束方向への柔軟な屈曲性を有している。
【００９２】
また、中間部材２９３は、ハーネス受け部２９３ｃより、ハーネスＨの基端側（配線基板２８８方向）に形成された基端側押え部２９３ｈを有する。基端側押え部２９３ｈは、ハーネス受け部２９３ｃの配置面２９３ｄに直交する方向において、配置面２９３ｄから所定寸法離れた位置において、ハーネスＨが延びる所定方向と直交する方向に延びている。また、基端側押え部２９３ｈは、その端部に設けられ、配置面２９３ｄに直交する方向において、配置面２９３ｄ側に突出するフック部２９３ｉを有する。
【００９３】
これにより、ハーネス受け部２９３ｃに配置されたハーネスＨの基端側を、基端側押え部２９３ｈで押さえることができるので、例えば、ハーネスＨが引っ張られた場合に、ハーネスＨが基端側押え部２９３ｈに押さえられ、引っ張る力がハーネスＨの接続部分（配線基板２８８のコネクタ）に掛かり、この接続部分が破損するのを防止できる。また、例えば、組立時において、ハーネスＨを、ハーネス受け部２９３ｃと基端側押え部２９３ｈとの間に挿入し、フック部２９３ｉに引っ掛けることで、ハーネスＨが基端側押え部２９３ｈから外れてしまい、カバー部材２９４と中間部材２９３に挟まれて、ハーネスＨが断線するのを防止でき、また、接続部分に不用意な力が掛かるのを防止できるので、作業効率を向上できる。
【００９４】
カバー部材２９４は、中間部材２９３に取り付けられた状態において、溝２９３ｆの両端近傍に夫々形成されており、カバー部材２９４を貫通し、結束バンド（図示無し）が挿通する一対の通し孔２９４ｂを有する。また、カバー部材２９４は、一対の通し孔２９４ｂの間に形成されており、ハーネス受け部２９３ｃ側の面の一部が、ハーネス受け部２９３ｃ側に突出している先端側押え部２９４ｃを有する。
【００９５】
このように、中間部材２９３にハーネス受け部２９３ｃを形成し、このハーネス受け部２９３ｃに傾斜部２９３ｇを有する溝２９３ｆを形成することで、メダルセレクタ２０１を組み立てる場合、作業者は、ハーネス受け部２９３ｃに、所定方向に延びるハーネスＨを配置する。そして、経路Ｂに示すように、ハーネスＨの表面側から溝２９３ｆに結束バンドを挿入することで、ハーネスＨの背面側に結束バンドを配置する。その後さらに結束バンドを溝２９３ｆに押し込むことで、結束バンドの先端が、溝２９３ｆの傾斜部２９３ｇに当接し、ハーネスＨの表面側に突出する。この状態で、作業者は、ハーネスＨの背面側を通って、先端がハーネスの表面側に突出した結束バンドの両端を結束することで、ハーネスＨを束ねたり、固定したりすることができる。これにより、結束バンドをハーネスの背面側に回してから表面側に突出させる作業が容易になる。したがって、遊技機に正規の遊技媒体が用いられていると誤認させて遊技を行う不正行為を高精度に検知するための装置の組立作業の作業効率を向上可能な遊技機を提供できる。
【００９６】
また、このように、ハーネス受け部２９３ｃを覆うカバー部材２９４に、一対の通し孔２９４ｂを形成し、これらの間に先端側押え部２９４ｃを形成することで、メダルセレクタ２０１を組み立てる場合、作業者は、ハーネス受け部２９３ｃに、所定方向に延びるハーネスＨを配置し、カバー部材２９４によりハーネス受け部２９３ｃを覆う。そして、結束バンドの先端を、カバー部材２９４の外部から一方の通し孔２９４ｂに通して、カバー部材２９４の内部に挿入する。すると、結束バンドは、溝２９３ｆに挿入され、ハーネスＨの背面側に配置される。その後さらに結束バンドを溝２９３ｆに押し込むことで、結束バンドの先端は、溝２９３ｆの傾斜部２９３ｇに当接し、ハーネスＨの表面側に突出し、他方の通し孔２９４ｂを通って、カバー部材２９４の外部に突出する。この状態で、作業者は、結束バンドの両端を結束することで、ハーネスＨが先端側押え部２９４ｃに押え付けられた状態で、カバー部材２９４に固定する。これにより、ハーネスＨをカバー部材２９４で覆った後でも、容易に結束バンドをハーネスＨの背面側に回して、カバー部材２９４に固定することができる。したがって、遊技機に正規の遊技媒体が用いられていると誤認させて遊技を行う不正行為を高精度に検知するための装置の組立作業の作業効率を向上可能な遊技機を提供できる。
【００９７】
図８に戻って、カバー部材２９４は、中間部材２９３の後方に配置されており、中間部材２９３に配置されたカメラユニット２０９や配線基板２８８を覆った状態で、ビス２９４ａにより脱着可能に、中間部材２９３に固定されている。
【００９８】
セレクトプレート２０７は、ベース板部２０４に取り付けられており、サブプレート２０５の貫通孔２２１ａと重なる位置において、メダルレール２１０を移動するメダルをガイドする部材である。
【００９９】
図１３は、メダルセレクタ２０１のセレクトプレート２０７の斜視図である。
図１３に示すように、セレクトプレート２０７は、ベース板部２０４の後面２０４ｂ（図８参照）側に配置され、略台形板状に形成されているプレート本体２２４と、プレート本体２２４からパチスロ１の前方側（ベース板部２０４の前面２０４ａ（図９参照）側）へ延び、後述する軸部２２８（図９参照）が貫通する軸受孔２２５ａが形成されている一対の軸受部２２５と、を有している。また、プレート本体２２４の上部には、パチスロ１の前方側（ベース板部２０４の前面２０４ａ側）へ延び、端部が上方へ折曲することで形成されているフランジ部２２６が形成されている。また、一方の軸受部２２５には、軸受孔２２５ａを挟んでプレート本体２２４とは異なる方向において、ベース板部２０４の前面２０４ａ側において下方へ延び、端部に突出部２２７ａが形成されているメダルストッパ部２２７が形成されている。突出部２２７ａは、メダルレール２１０の下露出孔２２０（図８参照）から、ベース板部２０４の後面２０４ｂ側に突出可能である。
【０１００】
図８に示すように、プレート本体２２４は、サブプレート２０５の貫通孔２２１ａが配置された部分におけるメダルレール２１０に沿って延びている。
【０１０１】
図９に示すように、セレクトプレート２０７は、一対の軸受部２２５の軸受孔２２５ａに、ベース板部２０４の前面２０４ａに設けられた軸部２２８が挿通することで、ベース板部２０４に回動可能に支持されている。セレクトプレート２０７は、軸部２２８に設けられたコイルばね２２９により、軸受孔２２５ａを中心として、フランジ部２２６がパチスロ１の前方側へ回動する方向であり、突出部２２７ａ（図８参照）がメダルレール２１０の下露出孔２２０（図８参照）から、ベース板部２０４の後面２０４ｂ側に突出する方向に付勢されている。フランジ部２２６は、メダルソレノイド２０８の一端部と接触している。フランジ部２２６は、メダルソレノイド２０８がＯＮ状態にあるとき、メダルソレノイド２０８の一端部に押圧され、コイルばね２２９の付勢力に抗してパチスロ１の後方へ移動する。このときの、セレクトプレート２０７の回動位置を「ガイド位置」と称する。また、メダルソレノイド２０８がＯＦＦ状態にあるとき、フランジ部２２６はメダルソレノイド２０８の押圧から解放され、コイルばね２２９の付勢力によってパチスロ１の前方へ移動する。このときの、セレクトプレート２０７の回動位置を「排出位置」と称する。
【０１０２】
図１４は、メダルセレクタ２０１がメダルをホッパー装置へ案内する場合のメダルの経路を示す図である。
図１４に示す状態において、セレクトプレート２０７は、ガイド位置に配置されており、プレート本体２２４の下辺２２４ａからメダルレール２１０の下辺２１０ａまでの最短距離が最小寸法となっている。この最小寸法は、メダルの規格寸法の許容最小直径より僅かに小さい寸法である。このため、メダルレール２１０とプレート本体２２４との間を通過するメダルが規格寸法とおりであれば、当該メダルの端部がプレート本体２２４に引っ掛かり、プレート本体２２４にガイドされ、ホッパー装置５１（図４参照）に至るメダル出口部２０４ｃから排出される。また、このときメダルストッパ部２２７の突出部２２７ａ（図８参照）は、下露出孔２２０から突出しない。
【０１０３】
一方、メダルレール２１０とプレート本体２２４との間を通過するメダルが規格寸法より小さい場合には、当該メダルの端部がプレート本体２２４に引っ掛からないので、メダルプレッシャ２１３（図８参照）に押圧され、メダルレール２１０から離れる方向（図１４中Ｙ方向）に倒れ、メダル出口部２０４ｃに至る前に下方に落下し、メダルシュート２０２（図４参照）を介してメダル払出口３２（図２参照）から排出される。
本実施形態において、セレクトプレート２０７は、通常、ガイド位置に位置付けされているが、所定の条件下（例えば、メダルがクレジット可能な最大（５０）枚数の時、エラー発生時、遊技開始時等）では、排出位置に位置付け可能になっている。
【０１０４】
図１５は、メダルセレクタ２０１がメダルをメダルシュートに案内する場合のメダルの経路を示す図である。
図１５に示す状態において、セレクトプレート２０７は、排出位置に配置されており、メダルストッパ部２２７の突出部２２７ａが下露出孔２２０から突出し、プレート本体２２４の下辺２２４ａからメダルレール２１０の下辺２１０ａまでの最短距離が、図１４に示す最小寸法より大きい寸法となっている。排出位置におけるこの寸法は、メダルの規格寸法の許容最大直径より大きい寸法である。このため、メダルレール２１０とプレート本体２２４との間を通過するメダルは、端部がプレート本体２２４に引っ掛からないので、メダルプレッシャ２１３に押圧され、又は、下露出孔２２０から突出するメダルストッパ部２２７の突出部２２７ａに押し出され、メダルレール２１０から離れる方向（図１５中Ｙ方向）に倒れ、メダル出口部２０４ｃに至る前に下方に落下し、メダルシュート２０２（図４参照）を介してメダル払出口３２（図２参照）から排出される。
【０１０５】
＜カメラユニットの要部構造＞
図１６は、メダルレール２１０とカメラユニット２０９との位置関係を説明する分解図である。なお、図１６では、理解を容易にするため、キャンセルシュータ２０６（図８参照）と後述する配線基板２８８（図１８参照）の記載を省略している。
カメラユニット２０９は、メダルレール２１０上を移動する物体が正規メダルか否かを判別するユニットである。
カメラユニット２０９は、サブプレート２０５の貫通孔２２１ａが配置された部分におけるメダルレール２１０に対向する位置に配置され、キャンセルシュータ２０６にビス止めされることで固定されている。
【０１０６】
図１７は、カメラユニット２０９の分解斜視図である。
カメラユニット２０９は、アクリル樹脂取付ユニット２９６と、レンズ保護手段としてのレンズ保護カバー２９５と、レンズユニット２８７（撮像レンズ）と、レンズ保持手段としてのレンズホルダ２７５と、アクリル樹脂製保護カバーシート２９７と、配線基板２８８に取り付けられているＣＭＯＳイメージセンサ２３２（図３０参照）と、を備える。
【０１０７】
アクリル樹脂取付ユニット２９６は、透光性素材で形成されている透光板としてのアクリル樹脂製板２９６ａを挟み込んで固定した状態で、キャンセルシュータ２０６の中間部材２９３のオフセット部２９３ｂ（図１１参照）に固定されている。アクリル樹脂製板２９６ａは、中間部材２９３（図１１参照）とレンズユニット２８７との間に配置されており、中間部材２９３の開口部２９３ａ（図１１参照）を塞いでいる。
【０１０８】
レンズ保護カバー２９５は、アクリル樹脂取付ユニット２９６に固定され、レンズユニット２８７を囲う形状に形成され、レンズユニット２８７を保持するレンズホルダ２７５を、メダルレール２１０（図１６参照）とＣＭＯＳイメージセンサ２３２（図３０参照）が取り付けられている配線基板２８８との間に固定する。レンズ保護カバー２９５は、メダルレール２１０側の端部がアクリル樹脂製板２９６ａと密着し、ＣＭＯＳイメージセンサ２３２側の端部が配線基板２８８と密着した状態で組み込まれている。
【０１０９】
詳細には、レンズ保護カバー２９５は、ＣＭＯＳイメージセンサ２３２（図３０参照）側の端部に、レンズホルダ２７５の外周と係合するレンズ係合部２９５ａを有する。本実施形態に示す例では、レンズ保護カバー２９５は、レンズユニット２８７を囲う中空の略四角柱形状の部分を有し、この部分の配線基板２８８側の端部に、レンズ係合部２９５ａが形成されている。レンズ係合部２９５ａは、略四角柱形状に形成されたレンズホルダ２７５の外周と略同一形状で形成された内壁を有する。また、レンズ係合部２９５ａには、レンズホルダ２７５の外周の一部が、レンズ係合部２９５ａから突出可能である一対の凹部２９５ｂが形成されている。レンズホルダ２７５の外周の一部と、レンズ係合部２９５ａの一対の凹部２９５ｂと、は互いに嵌合する。
【０１１０】
また、本実施形態では、配線基板２８８において、ＣＭＯＳイメージセンサ２３２（図３０参照）に隣接してハーネスを接続可能なＧＰＩＯ用コネクタ２８８ａが配置されている。レンズ保護カバー２９５は、配線基板２８８に密接したときに、ＧＰＩＯ用コネクタ２８８ａの少なくとも一部（例えば、露出しているＧＰＩＯ用コネクタ２８８ａの５面のうち、ハーネスが接続される面以外の４面）を囲うコネクタ保護部２９５ｃが形成されている。また、コネクタ保護部２９５ｃが配線基板２８８に密接することで、ＧＰＩＯ用コネクタ２８８ａのハーネスが接続される面以外の面を囲う。これにより、コネクタ保護部２９５ｃと配線基板２８８により、ＧＰＩＯ用コネクタ２８８ａのハーネスが接続される面以外の面が保護されることとなる。
【０１１１】
レンズユニット２８７は、光軸がメダルレール２１０に向かうように配置されている後述するレンズ２８３〜２８５（図１８参照）が装着されている。レンズホルダ２７５は、レンズ保護カバー２９５に固定され、レンズユニット２８７をＣＭＯＳイメージセンサ２３２（図３０参照）に結像可能に保持する。アクリル樹脂製保護カバーシート２９７は、レンズホルダ２７５のレンズユニット２８７を支持する方向と反対方向に配置されている。
【０１１２】
また、カメラユニット２０９の配線基板２８８には、後述するＣＭＯＳイメージセンサ２３２（図３０参照）と、ＣＭＯＳイメージセンサ２３２と通信可能、及び、制御可能に接続されている制御ＬＳＩ２３４（図３０参照）が設けられている。ＣＭＯＳイメージセンサ２３２（図３０参照）は、メダルレール２１０上を移動するメダルを撮像し、撮像したメダルの画像データを制御ＬＳＩ２３４に出力する。なお、カメラユニット２０９の回路の具体的な構成については後述する。
【０１１３】
本実施形態では、ＣＭＯＳイメージセンサ２３２及び制御ＬＳＩ２３４を設けた一つの基板で、カメラユニットを構成しているが、ＣＭＯＳイメージセンサ２３２及び制御ＬＳＩ２３４を個別の基板でカメラユニット２０９を構成するようにしてもよい。また、イメージセンサの固体撮像素子として、ＣＭＯＳイメージセンサ２３２に代えてＣＣＤを使用することができる。
【０１１４】
このように、レンズユニット２８７を保持するレンズホルダ２７５を、レンズ保護カバー２９５で囲み、このレンズ保護カバー２９５のメダルレール２１０（図１６参照）側の端部をアクリル樹脂製板２９６ａと密着させ、ＣＭＯＳイメージセンサ２３２（図３０参照）側の端部を配線基板２８８と密着させた状態で組み込むことで、レンズユニット２８７が収容されているレンズ保護カバー２９５の内部に煙草の脂や埃等の異物が侵入するのを防止できる。したがって、遊技機に正規の遊技媒体が用いられていると誤認させて遊技を行う不正行為を高精度に検知するためのレンズに異物が付着することを防止可能な遊技機を提供できる。
【０１１５】
また、レンズ保護カバー２９５のＣＭＯＳイメージセンサ２３２（図３０参照）側の端部において、レンズホルダ２７５の外周と係合するレンズ係合部２９５ａに、レンズホルダ２７５の外周の一部がレンズ係合部２９５ａから突出可能である凹部２９５ｂを形成した。これにより、カメラユニット２０９の組立時において、レンズユニット２８７を保持したレンズホルダ２７５の外周の一部を凹部２９５ｂに嵌め込んで、レンズホルダ２７５の外周をレンズ係合部２９５ａに係合させることで、レンズユニット２８７をＣＭＯＳイメージセンサ２３２に対する適切な位置に配置し固定できる。よって、カメラユニット２０９の組立作業が容易になる。
【０１１６】
また、コネクタ保護部２９５ｃにより、配線基板２８８に配置されたＧＰＩＯ用コネクタ２８８ａの少なくとも一部を囲うことで、ＧＰＩＯ用コネクタ２８８ａへの異物の侵入を防止できるので、ＧＰＩＯ用コネクタ２８８ａに異物を挿入し不正行為を行う、所謂ゴトを防止可能となる。また、レンズユニット２８７を囲むレンズ保護カバー２９５にＧＰＩＯ用コネクタ２８８ａの少なくとも一部を囲うコネクタ保護部２９５ｃを形成したので、レンズユニット２８７を保護する部材とＧＰＩＯ用コネクタ２８８ａを保護する部材が一体となり、１つの金型で複数の機能を有する部材（レンズ保護カバー２９５）を作成することが可能となるため、設計・製造コストを抑えることが可能となる。
【０１１７】
カメラユニット２０９について、詳細に説明する。
図１８は、カメラユニット２０９要部の断面構造（１４Ａ）と、ユニット要部に用いるレンズホルダ２７５（１４Ｂ）を示す。図１８用いた以下の説明において、上がメダルレール２１０（図８参照）が配置されている方向である。
カメラユニット２０９の配線基板２８８上には、後述する図３０に示す、ＣＭＯＳイメージセンサ２３２、制御ＬＳＩ２３４、ＬＥＤ駆動部２５２等の電子部品と、カバーガラス２８９と、が実装されている。配線基板２８８の上側には、レンズホルダ２７５が冠着されている。配線基板２８８は、ガラスエポキシ基板やセラミック基板等で構成され、配線基板２８８の表面には配線パターン（不図示）が形成されている。
【０１１８】
レンズホルダ２７５は、（１４Ｂ）に示すように、下向きに開口した矩形状の開口部２７９を有した下部２７７と、下部２７７よりも幅狭の上部２７６とを有する。上部２７６には、（１４Ａ）に示すレンズユニット２８７が装着される円柱状の貫通孔２７８が穿設されている。貫通孔２７８の内側面には、雌ねじ部２８１が形成されている。貫通孔２７８は、雌ねじ部２８１の上端縁２８０より上方で外側に向けてテーパー部（傾斜部）２８２が形成されている。レンズホルダ２７５は、（１４Ａ）に示すように、カバーガラス２８９を覆うように配線基板２８８上に接着剤２９１により固着されている。レンズホルダ２７５は、図１６に示すように、アクリル樹脂取付ユニット２９６上に支持され、アクリル樹脂製保護カバーシート２９７及びレンズ保護カバー２９５を介してキャンセルシュータ２０６（図８参照）に固定されている。レンズホルダ２７５は、（１４Ａ）に示すように、ＣＭＯＳイメージセンサ２３２（図３０参照）の前方において複数個の集光レンズ（レンズ２８３〜２８５）を多層状に保持するレンズ保持構造を有するレンズ保持手段を構成している。レンズ保持手段としては、レンズホルダ２７５による場合に限定されず、例えば、スペーサを介してレンズを多層状に配置して保持する構造のもの等を使用することができる。集光レンズには、凸型レンズに限らず、断面蒲鉾型の変形レンズ等を使用することができる。また、本実施形態のレンズユニット２８７は、複数個の集光レンズ（レンズ２８３〜２８５）を多層状に保持するレンズ保持構造を採用することで単焦点の略広角レンズの特性を有することとなる。
【０１１９】
レンズホルダ２７５の主要素材としては、エポキシ樹脂等の熱硬化性樹脂、あるいはＰＣ樹脂等の熱可塑性樹脂等の各種樹脂を使用することができる。本実施形態の場合、レンズホルダ２７５に液晶ポリマー複合体（Liquid  Crystal  Polymer  Composite：ＬＣＰＣ）を使用している。ＬＣＰＣは液晶様性質を示す、熱可塑性樹脂に属する合成樹脂（液晶ポリマー材）のひとつである。ＬＣＰＣは、液晶ポリマー材以外の樹脂材と比べると、発塵が少なく、耐熱性、剛性等に優れた特性を備えている。レンズユニット２８７もレンズホルダ２７５と同様の素材で成形されている。
【０１２０】
集光レンズ（レンズ２８３〜２８５）やレンズホルダ２７５は温度変化により微妙に歪変形すると、該歪変形により撮像画像のピント（フォーカス）ずれが生じて、刻印判定や色判定の精度に影響を及ぼしてしまう。本実施形態においては、レンズホルダ２７５及びレンズユニット２８７を主要材料のＬＣＰＣにより作製することによって、レンズの厚さ、曲率、屈折率、あるいはレンズホルダ２７５の高さ寸法、レンズ間をスペーサを介して積層する場合のスペーサの厚さ等が熱変形しようとしても、これらの変形を相殺するように、ＬＣＰＣの特性により原型が維持されるため、安定した撮像動作に適したレンズホルダ２７５を実現することができる。
【０１２１】
＜レンズホルダ及びレンズユニットの組成構造＞
レンズホルダ２７５及びレンズユニット２８７の構成素材は、ＬＣＰＣと、ＬＣＰＣに対して３０％（重量比）で配合したガラスフィラー（Glass Filler：ＧＦ）とを配合した組成構造を有する。ＧＦの配合比は、３０％に限定されず１０〜４０％のいずれかでもよい。ＬＣＰＣ及びＧＦ以外の組成材料として、遮光性を高めるためのカーボンブラック、酸化防止剤、熱安定剤、紫外線吸収剤、帯電防止剤、難燃剤等がレンズホルダ２７５及びレンズユニット２８７に僅かに混合されている。
【０１２２】
図１９は、種々のＧＦ配合比（０〜５０の６段階）で成形したレンズホルダ２７５に対し、常温よりも高い温度（５０℃、６０℃、７０℃）下の環境試験を行った試験結果を示す。環境試験結果は、温度上昇に伴って生ずるレンズの厚み、曲率及び屈折率の変化の度合いを○（変化小）、△（撮像動作に影響はしないもの「○」よりも変化は顕著にある）、×（撮像動作に影響する変化を生ずる）で評価したものである。
【０１２３】
図１９の環境試験結果からわかるように、ＧＦをＬＣＰＣに対し１０〜４０％（重量比）配合するのが好ましい。温度上昇により複合レンズの各レンズには歪みを生ずるが、レンズ歪み以外の構造歪み（例えば、レンズがレンズホルダ２７５及びレンズユニット２８７と干渉した場合の圧力作用による歪み）も生ずる。上記１０〜４０％の配合比による組成構造の場合には、該構造歪みをホルダ素材側で打ち消すように変形して、相殺して抑止ないし抑制することができるので、構造歪みによるピントずれを起こすことなく高画質の撮像を行うことができる。殊に、温度上昇によるレンズ歪みが多少生ずるが、該構造歪みを解消しているので、予め分析可能なレンズ歪みに撮像処理上の対策を講じるだけで済み、構造歪み対策用パーツを追加しなくてよく、無駄なコストアップを招来せずにレンズ保持機構（カメラユニット２０９及びレンズユニット２８７）の製造コストの低減を図れ、遊技機のコストダウンに寄与する。
【０１２４】
レンズユニット２８７は、（１４Ａ）に示すように、全体として大径部と小径部の２段構造の筒形状を有し、筒内部に３個の集光レンズ（レンズ２８３〜２８５）が装着、収容された複合レンズ系ユニットのレンズ収容部である。大径のレンズ２８３は、大径部に反射防止用絞り部品２８３ａを介して中間のレンズ２８４上に装着されている。レンズ２８３の上側周辺は、ストッパー部材２８３ｂにより押圧固定されている。レンズ２８３の上側にはカバーシート２８３ｃが装着されている。レンズユニット２８７の小径筒部には、レンズ２８４及びレンズ２８５が内装されている。レンズ２８４及びレンズ２８５は、スペーサ２８４ａを介して積層されている。レンズ２８５は、反射防止用絞り部品２８５ｃを介して２つのレンズ２８５ａと２８５ｂに分離されている。反射防止用絞り部品２８３ａ、２８５ｃは、レンズのＦ値（レンズの明るさを示す指標）を決めるための絞り部品である。レンズユニット２８７の小径部の外周には、雌ねじ部２８１と螺着可能な雄ねじ部２８６が形成されている。レンズホルダ２７５を配線基板２８８上に固着した状態において、貫通孔２７８は、カバーガラス２８９に対向している。
【０１２５】
レンズ２８３〜２８５の集光レンズには、樽型歪みが発生するレンズが使用されている。集光レンズによる結像には、一般に樽型や糸巻型に歪む歪曲収差を伴う。糸巻型レンズを使用したとき糸巻型の歪曲収差が生じるため、歪のない中心領域が小さくなり広範囲の高画質画像の取得が難しい。本実施形態においては、樽型歪みが発生するレンズを使用することにより、広範囲の画像取得を可能にしているとともに、樽型歪みが発生するレンズの歪曲収差を考慮した画像データの歪み補正処理を行っている。画像データの歪み補正処理は、後述する刻印判定処理及び色判定処理において実行される前に実行される。
【０１２６】
図２０は、樽型歪みが発生するレンズを介して得られた画像データ領域を示す。
画像データ領域は全体として歪みを含んだ樽型の全体領域１６ａを示し、中心領域１６ｂは歪みのない領域になっている。後述する画像認識ＤＳＰ回路２４２（図３１参照）による刻印判定処理手段（第１判定手段））、及び、カラー認識回路２４７（図３１参照）による色判定処理手段（第２判定手段）は、歪みのない中心領域１６ｂを除く全体領域１６ａの歪んだ領域を歪み補正処理により歪みのない画像データに補正した補正画像データに基づいて実行可能になっている。
後述するカラー認識回路２４７（図３１参照）による色判定処理手段（第２判定手段）は、刻印判定処理よりも精度を必要としないので、全体領域１６ａの画像データから中心領域１６ｂの撮像データを除いた画像データに基づいて実行可能になっている。
【０１２７】
上記の画像データの歪み補正処理により、メダルの刻印判定処理及び色判定処理を歪みのない補正画像データに基づいて高精度に実行することができる。しかも、樽型歪みが発生するレンズにより広角域で撮像した歪みを含んだ領域の画像データを補正して実行することができるので、複数の判定処理によって多機能化して、全体としてメダル判定精度の向上を図ることができる。
【０１２８】
レンズユニット２８７は、（１４Ａ）に示すように、最上段のレンズ２８３がレンズホルダ２７５の上端と略面一になる位置に、雄ねじ部２８６を雌ねじ部２８１に螺着させて、レンズホルダ２７５に固着されている。レンズユニット２８７は、レンズ位置の調整を行った後にレンズホルダ２７５に固着される。この固着は、位置決めしたレンズユニット２８７の小径部外周と、レンズホルダ２７５のテーパー部２８２との間にできる隙間に接着剤２９２を注入、固化することによって行われる。
【０１２９】
＜カメラユニットの組立方法＞
図２１は、レンズホルダ２７５を基板上に組み立てる組立手順を示す。
この組立方法は遊技機の製造方法の一部として実行される。まず、３個のレンズ２８３〜２８５を筒内部に装着した固着前のレンズ体を組み付け、そのレンズ体をレンズホルダ２７５の貫通孔２７８に螺着した状態で、レンズユニット２８７の位置調整が行われる（ステップＳ１）。
【０１３０】
次に、レンズユニット２８７の小径部外周と、レンズホルダ２７５のテーパー部２８２との間にできる隙間に接着剤２９２を塗布、注入して該レンズ体の仮止め（仮接着）が行われる（ステップＳ２）。
【０１３１】
接着剤２９２には、熱硬化型樹脂接着剤や紫外線（ＵＶ）硬化性樹脂接着剤を使用することができる。好ましくは、例えば、紫外線硬化型エポキシ樹脂接着剤等の紫外線硬化性樹脂接着剤を使用するのが好ましい。紫外線硬化性樹脂接着剤は、硬化速度が速く、比較的短い作業時間で済み、またＵＶ照射しないと硬化しないため塗布工程の制約が少なくて済み、さらに低温硬化が可能といった利点を有する。
【０１３２】
本実施形態では、レンズユニット２８７の位置調整をした状態で、紫外線硬化型エポキシ樹脂接着剤を使用して仮接着される（ステップＳ２）。その後、２８０〜４５０ｎｍの紫外線を数分間、照射することにより、接着剤の焼成が行われる（ステップＳ３）。なお、焼成時の雰囲気温度は、レンズホルダ２７５及びレンズユニット２８７が変形しない、８０〜１００℃が好ましく、ＵＶ照射時間はレンズホルダ２７５及びレンズユニット２８７の素材が劣化しない、２０〜４０秒が好ましい。
【０１３３】
本実施形態によれば、雌ねじ部２８１の上端縁２８０より上方で外側に向けてテーパー部２８２が形成されているので、レンズユニット２８７の小径部外周と、レンズホルダ２７５のテーパー部２８２との間にできる隙間に接着剤を十分に浸透させて、隙間の下方まで十分に充填、塗布が可能になり、ＵＶ照射により強固な固着を簡易な作業工程により組立製造コストの低減を図ることができる。
【０１３４】
レンズホルダ２７５にレンズユニット２８７を固着した後、レンズホルダ２７５を配線基板２８８上に載置し、接着剤２９１によりレンズホルダ２７５と配線基板２８８とを接着する（ステップＳ４）。その後、その他の部品が取り付けられ、カメラユニット２０９が完成する。
【０１３５】
レンズユニット２８７のレンズ系を組み立てる際に、レンズホルダ２７５のホルダ部と、レンズユニット２８７のレンズ収容部とを単に接着するだけでは、組立時の位置ずれ、あるいは接着剤のレンズへのはみだし等が生じるおそれがある。係る位置ずれ等は、撮像画像のばらつき要因になるが、本実施形態では、貫通孔２７８に装着されたレンズ収容部であるレンズユニット２８７と、外周部に外向きに開いた傾斜部であるテーパー部２８２と、により形成される領域の間に、接着手段である接着剤２９２を注入することで、レンズユニット２８７とレンズホルダ２７５とを接着する。これにより、カメラユニット２０９のレンズ取着構造を強固にしているので、ＣＭＯＳイメージセンサ２３２（図３０参照）と集光レンズの組立時の位置ずれ、あるいは接着剤のレンズへのはみだし等が生じず、高画質の撮像画像をもとに高精度の刻印や色の判定処理を行うことができる。
【０１３６】
しかも、接着剤に用いた紫外線硬化型樹脂接着剤は、熱硬化型樹脂接着剤等の接着剤と比較して硬化速度が速く、紫外線照射により短時間に重合硬化し、接着工程上、制御しやすい特性を有するので、ホルダ部とレンズ収容部とを固着する前の製造段階で、位置合わせした後に塗布により即座に仮接着でき、紫外線照射により速やかに固化させることができ、レンズ取着構造の組立作業時間を短縮化でき、また組立工程の簡素化も実現でき、製造コストの低価格化に寄与することができる。
【０１３７】
上記の組立てに係るカメラユニット２０９は、複合レンズ系の最上部のレンズ２８３をメダルレール２１０の通路に対向して装着されている（図１６等参照）。カメラユニット２０９は、ＬＥＤ光を光源にして撮像を行うＣＭＯＳイメージセンサ２３２（図３０参照）と、ＣＭＯＳイメージセンサ２３２の前方に設けた複合レンズ（レンズ２８３〜２８５の集光レンズ）とを有する。図１８の（１４Ａ）に示したように、カメラユニット２０９においては、レンズ２８３〜２８５の集光レンズにより、後述する光照射機構によるＬＥＤ光を直接的にＣＭＯＳイメージセンサ２３２に導くことが可能な、つまり集光レンズとイメージセンサの間に介在物のない空間を設けたＬＥＤ光誘引機構を有している。
【０１３８】
携帯電話機やデジタルカメラ等に搭載されているイメージセンサにおける固体撮像素子は、その受光部において近赤外線に感度を有するシリコンフォトダイオードが使用されている。このため、室内照明光や自然光を光源とする場合、視感度補正を行う必要があり、集光レンズ（複合レンズの最下層のレンズ）とイメージセンサの間に約１ｍｍ厚さ程度のガラス製ＩＲカットフィルタが介装されている。しかし、ＩＲカットフィルタを使用すると、最下層のレンズ２８５の下端面からイメージセンサ表面までの距離（光学長）が長くなり、ＩＲカットフィルタやＩＲカットフィルタの取り付けに余分な取り付けパーツの取り付けコストを要する問題を生ずる。特に、ＩＲカットフィルタの接着部分で熱変形歪が発生して界面でのノイズ成分を生じるため、それを除去する必要があり、この作業も製造コストのコストアップの要因のひとつになっている。
【０１３９】
本実施形態においては、光源としてＩＲ成分を含まないＬＥＤ光（図２４参照）を使用する点に着目し、カメラユニット２０９は、集光レンズとイメージセンサの間に介在物のない空間を設けたＬＥＤ光誘引機構を具備させて集光レンズをイメージセンサに結像可能に保持するので、通路内で発生したＬＥＤ光を直接的にイメージセンサに誘引可能になり、該結像に必要な光学長を少なくともＩＲカットフィルタの厚み分、最短距離に短縮することができる。本実施形態の場合、カバーシート２８３ｃから配線基板２８８の表面までの高さＨは、約１１〜１２ｍｍに微小高さになっている、係る短縮によって、ユニット構造を小型化、コンパクト化でき、ＩＲフィルタの部品点数を削減でき、その取付コストも不要になって大幅な低コスト化を実現でき、さらにＩＲフィルタを使用した場合の界面でノイズ成分も生じず、可視光領域の撮像データの有効活用が可能になり、メダルの色彩及び刻印判定の精度を向上させることができる。
【０１４０】
＜パチスロが備えるメダルレールの光照射機構の構成＞
次に、メダルレール２１０の光照射機構の構成について説明する。
光照射機構は、メダルレール２１０に光を照射する機構であり、図１６に示すように、サブプレート２０５に取付部材２７２を介して取り付けられている第１の導光体２６１と、カメラユニット２０９の周囲に配置されており、キャンセルシュータ２０６の中間部材２９３（図８参照）に、取付部材２７３を介して取り付けられている第２の導光体２６２及び取付部材２７４を介して取り付けられている第３の導光体２６３と、第１の導光体２６１の近傍に設けられたＬＥＤ２３３Ｌａと、第２の導光体２６２の近傍に設けられたＬＥＤ２３３Ｌｂと、第３の導光体２６３の近傍に設けられたＬＥＤ２３３Ｌｃと、を備える。ＬＥＤ２３３Ｌａ、２３３Ｌｂ、２３３Ｌｃは、それぞれ、第１の導光体２６１、第２の導光体２６２及び第３の導光体２６３にＬＥＤ光を供給する。
【０１４１】
図１４において、一点鎖線は、カメラユニット２０９のレンズユニット２８７の位置を示し、二点鎖線は、第１の導光体２６１、第２の導光体２６２及び第３の導光体２６３と、ＬＥＤ２３３Ｌａ、ＬＥＤ２３３Ｌｂ及びＬＥＤ２３３Ｌｃの位置を示している。
図１４に示すように、第１の導光体２６１、第２の導光体２６２及び第３の導光体２６３は、カメラユニット２０９の撮像可能範囲を囲うように配置されている。
【０１４２】
図２２の（１８Ａ）は第１の導光体２６１の外観形状を示し、（１８Ｂ）は第２の導光体２６２の外観形状を示している。図２２において、反射溝２６７、２７０の形成箇所の中心を破線で示している。図２３は、第３の導光体２６３の外観形状を示す。
【０１４３】
（１８Ａ）に示すように、第１の導光体２６１は、直線部２６４と湾曲部２６５からなり、全体として略Ｌ字形状をなし、断面矩形状を有する。第１の導光体２６１の底面には、全長にわたり均一に面発光するように、湾曲部２６５側の端部２６５ａからのＬＥＤ２３３Ｌａ（図１４参照）の導入光を直線部２６４側の端部２６６に効率的に伝搬させるための反射溝２６７が複数箇所にて導光体長手方向に対し横断状に刻設されている。反射溝２６７の形成間隔は端部２６６に向けて漸次短くなっている。第１の導光体２６１をメダルセレクタ２０１（図１６参照）に取り付けた際には、第１の導光体２６１の内側の側面である略Ｌ字形の外側面２６１ａがメダルレール２１０に向けて照射する面発光用光源に供される。
【０１４４】
（１８Ｂ）に示すように、第２の導光体２６２は、断面矩形の直線形状を有する。第２の導光体２６２の底面には、全長にわたり均一に面発光するように、一方の端部２６８からのＬＥＤ２３３Ｌｂ（図１４参照）の導入光を他方の端部２６９に効率的に伝搬させるための反射溝２７０が複数箇所にて導光体長手方向に対し横断状に刻設されている。反射溝２７０の形成間隔は端部２６９に向けて漸次短くなっている。第２の導光体２６２をキャンセルシュータ２０６の中間部材２９３（図８参照）に取り付けた際には、第２の導光体２６２の斜め下方に向けられた内側の側面である長方形の外側面２６２ａがメダルレール２１０に向けて照射する面発光用光源に供される。
【０１４５】
図２３に示すように、第３の導光体２６３は、略直角三角形状を有する平坦部２６３ａと、略三角錐形状を有する導光部２６３ｂにより構成されている。斜線で示す導光部２６３ｂの端面２６３ｈは不等辺三角形状を有する。導光部２６３ｂの立体側面は、端面２６３ｈの不等辺三角形の長辺側の三角側面２６３ｃと、短辺側の三角側面２６３ｄと、先端部を斜めに切欠いた先端三角面２６３ｅと、平坦部２６３ａのエッジ２６３ｉに沿って、三角側面２６３ｃと先端三角面２６３ｅの間に形成された裾側面２６３ｆと、平坦部２６３ａのエッジ２６３ｊに沿って、三角側面２６３ｄと先端三角面２６３ｅの間に形成された裾側面２６３ｇにより構成されている。第３の導光体２６３をキャンセルシュータ２０６の中間部材２９３（図８参照）に取り付けた際には、第３の導光体２６３の三角側面２６３ｃが、第１の導光面としてメダルレール２１０に向けて照射する面発光用光源に供される。三角側面２６３ｄは、第２の導光面として三角側面２６３ｃと逆方向側に面発光を照射するハレーション用光源に供される。
【０１４６】
平坦部２６３ａの底面には、導光部２６３ｂの全側面にわたり均一に面発光するように、端面２６３ｈからの導入光を導光部２６３ｂ内で効率的に伝搬させるための反射溝２７１が複数箇所にて該底面に平行に刻設されている。各反射溝２７０は略等間隔で形成されている。
第１の導光体２６１、第２の導光体２６２及び第３の導光体２６３は、導入光を側面より射出可能なアクリル樹脂で造形されている。この造形素材には、アクリル樹脂の他に、側面光射出可能な光透過性素材、例えば、テフロン（登録商標）、光ファイバー材を使用することができる。
【０１４７】
図２４の（２０Ｂ）、（２０Ａ）、（２０Ｃ）は、それぞれ、第１の導光体２６１、第２の導光体２６２及び第３の導光体２６３をメダルセレクタ２０１に取着するための取付部材２７２、２７３、２７４を説明する図である。
（２０Ｂ）に示すように、第１の導光体２６１は、外側面２６１ａが露出するように、取付部材２７２に設けた略Ｌ字形の内装溝内に内装されている。取付部材２７２をサブプレート２０５（図１６参照）にビス止めにより固着することにより、第１の導光体２６１は、図１４の２点鎖線で示すように、取付部材２７２から露出した外側面２６１ａをメダルレール２１０方向に向けて配設され、外側面２６１ａからの面発光の射出光がメダルレール２１０を通過するメダルに斜めと上側より照射可能になっている。
【０１４８】
（２０Ａ）に示すように、第２の導光体２６２は、外側面２６２ａが正面向きに露出するように取付部材２７３に挿着、保持されている。図１６に示すように、取付部材２７３をキャンセルシュータ２０６の中間部材２９３（図８参照）の内側にアクリル樹脂性取付板２９８を介してビス止めで固着することにより、第２の導光体２６２は、図１４の２点鎖線で示すように、取付部材２７３から露出した外側面２６２ａをメダル通過方向に沿って湾曲部２６５側に下がった斜向状に配設されており、外側面２６２ａからの面発光の射出光がメダルレール２１０を通過するメダルに下方より照射可能になっている。
【０１４９】
図２３に示す第３の導光体２６３の平坦部２６３ａの裏側の段差部を、（２０Ｃ）に示す取付部材２７４の長手方向に係合させて、導光部２６３ｂが露出するように平坦部２６３ａの裏面を取付部材２７４に当接させて、取付部材２７４をキャンセルシュータ２０６の中間部材２９３（図８参照）の内側にビス止めにより固着することにより、図１４の２点鎖線で示すように、第３の導光体２６３の導光部２６３ｂからの射出光がメダルレール２１０を通過するメダルの前方に照射可能になっている。
【０１５０】
メダルレール２１０は、図１４に示すように、メダル入口部２１１から鉛直方向に延びた上流領域と、上流領域の終端から緩やかにメダル出口部２０４ｃに向けて傾斜した下流領域により構成されている。該下流領域の傾斜通路には、カメラユニット２０９による撮像領域ＲＬａ（図２５参照）が設けられている。上記構成の３つの第１〜第３の導光体は、撮像領域ＲＬａを略楕円形のリング様で囲むように配設されている。
【０１５１】
図２５は、第１の導光体２６１、第２の導光体２６２及び第３の導光体２６３の配置関係を示す。
第１の導光体２６１は、メダルレール２１０の傾斜通路の前方側（メダル進入側）と、通路上端縁より上方側に配置されている。第１の導光体２６１の湾曲部２６５近傍から直線部２６４の下方に至り、通路下端縁より上側にカメラユニット２０９（図１６参照）において受光が可能な撮像領域ＲＬａが設けられている。第２の導光体２６２は、メダルレール２１０の通路下端縁より下方から傾斜通路に照射可能な位置に配置されている。第３の導光体２６３は、メダルレール２１０の通路終端側において、第１の導光体２６１の端部２６６より奥側でエッジ２６３ｉが通路の横断方向に沿うように配置されている。
【０１５２】
第１の導光体２６１、第２の導光体２６２及び第３の導光体２６３は、メダルレール２１０の傾斜通路を略長円状に囲むように配置されているので、第１の導光体２６１の外側面２６１ａ、第２の導光体２６２の外側面２６２ａ及び第３の導光体２６３の三角側面２６３ｃからの面発光によって、少なくとも撮像領域ＲＬａの中央領域ＲＬｂは照度が均一な領域になっている。撮像領域ＲＬａの終端から通路終端近くにメダルの刻印判定部ＲＬｃが設けられている。第３の導光体２６３は、キャンセルシュータ２０６より奥側に配設されており、撮像領域でのハレーション用の光照射を行うことができる。すなわち、刻印判定部ＲＬｃを略中心に撮像領域ＲＬａの終端から通路終端までの領域は、第３の導光体２６３の三角側面２６３ｄからの面発光を受光可能なハレーション領域ＲＬｄになっている。刻印判定部ＲＬｃに通過メダルが到達したタイミングで画像データに基づく刻印判定が行われる。ハレーション領域ＲＬｄにおいては通路面照射された光によるハレーションを利用してメダル通過の判定処理を高精度に行うことできる。
【０１５３】
上記導光体のＬＥＤ光照射機構において、撮像領域を略楕円形等のリング様に囲むようにＬＥＤ光を均一照射することができるので、遊技媒体のエッジや輪郭、刻印等の模様、色彩等を確実に撮像でき、正確な撮像データに基づいた高精度の判定処理を行える遊技機を実現することができる。リング様に均一なＬＥＤ光が照射可能になるので、通過遊技媒体の反射による光源の映り込み、つまり一次反射のハレーションを発生させず、被写体（通過遊技媒体）から正確な撮像データを得ることができ、高精度の判定処理、殊に、遊技媒体の刻印や輪郭の判定処理を行うことができる。
【０１５４】
第２の導光面（三角側面２６３ｄ）からのＬＥＤ光を撮像領域以外の通路面に照射してハレーションを起こさせるので、該照射位置での反射の濃淡が鮮明になり、遊技媒体の通過判定に供することができる。つまり、ホッパー側への排出通路面にハレーションが発生するので、メダル通過があるときとないときの反射光量の差異が明確になるので、ホッパーにメダルが正常に回収されたか否かを反射の濃淡で高精度に判断することができる。また、メダル払出時やメダル投入不可時にも、ハレーションが発生しないので、該発生がないことを確認することによって、下皿へのメダル返却有無を判断することができる。
【０１５５】
第２の導光体の三角錐の二側面（三角側面２６３ｃ及び２６３ｄ）から、撮像領域向けのＬＥＤ光と、撮像領域以外の通路面向けのＬＥＤ光とを射出できるので、単一の導光体により該２種のＬＥＤ光照射機構をコンパクトかつ安価に構成することができる。略長方形等のリング様にＬＥＤ光を均一に照射し得る照射機構を、第１〜第３の導光体２６１〜２６３により３分割して構成することができるので、各導光体を通路周辺の狭い空間に分散配置してコンパクトかつ安価に構成することができる。なお、本実施の形態では、第１〜第３の導光体２６１〜２６３にそれぞれＬＥＤ２３３Ｌａ〜２３３Ｌｃを配置した構成を説明したが、これに限らず、メダルレール２１０の輝度不足や、照射する光が均一にならない場合には、第１〜第３の導光体２６１〜２６３のそれぞれに複数（例えば、２個）のＬＥＤを配置してもよい。
【０１５６】
図２６は、本実施形態に使用されるＬＥＤ２３３Ｌａ〜２３３Ｌｃの発光波長特性グラフを示す。同図の縦軸は相対発光強度を示し、横軸は波長を示す。このグラフからわかるように、ＬＥＤ２３３Ｌａ〜２３３Ｌｃは、波長４５０ｎｍ付近で急峻な発光強度のピークとする青色を基調とした波長４４０ｎｍ〜４６０ｎｍの領域の光を発光することで、赤外放射であるＩＲ(Infrared Radiation)領域の発光成分（ＩＲ成分）及び、紫外放射であるＵＲ(Ultraviolet Radiation)領域の発光成分（ＵＲ成分）を含まない発光波長特性を有している。
【０１５７】
＜パチスロが備える回路の構成＞
次に、パチスロ１が備える回路の構成について、図２７〜図３１を参照して説明する。
まず、図２７を参照してパチスロ１が備える回路全体の概要について説明する。図２７は、パチスロ１が備える回路全体のブロック構成図である。
【０１５８】
パチスロ１は、ミドルドア４１に配設された主制御基板７１と、フロントドア２ｂに配設された副制御基板７２を有している。主制御基板７１には、リール中継端子板７４と、設定用鍵型スイッチ５６と、外部集中端子板４７と、ホッパー装置５１と、メダル補助収納庫スイッチ７５と、電源装置５３の電源基板５３ｂが接続されている。設定用鍵型スイッチ５６、外部集中端子板４７、ホッパー装置５１及びメダル補助収納庫スイッチ７５は、キャビネット側中継基板４４を介して主制御基板７１に接続されている。外部集中端子板４７及びホッパー装置５１については、上述したため、説明を省略する。
【０１５９】
リール中継端子板７４は、各リール３Ｌ，３Ｃ，３Ｒのリール本体の内側に配設されている。このリール中継端子板７４は、各リール３Ｌ，３Ｃ，３Ｒのステッピングモータ（不図示）に電気的に接続されており、主制御基板７１からステッピングモータに出力される信号を中継する。
【０１６０】
メダル補助収納庫スイッチ７５は、メダル補助収納庫５２のスイッチ貫通孔（非表示）を貫通している。このメダル補助収納庫スイッチ７５は、メダル補助収納庫５２がメダルで満杯になっているか否かを検出する。
【０１６１】
電源装置５３の電源基板５３ｂには、電源スイッチ５３ａが接続されている。この電源スイッチ５３ａは、パチスロ１に必要な電源を供給するときにＯＮにする。
【０１６２】
また、主制御基板７１には、ドア中継端子板６８を介して、メダルセレクタ２０１、ドア開閉監視スイッチ６７、ＢＥＴスイッチ７７、精算スイッチ７８、スタートスイッチ７９、ストップスイッチ基板８０、遊技動作表示基板８１及び副中継基板６１が接続されている。ドア開閉監視スイッチ６７及び副中継基板６１については、上述したため、説明を省略する。メダルセレクタ２０１の回路構成については後述する。
【０１６３】
ＢＥＴスイッチ７７は、ＢＥＴボタン２２が遊技者により押されたことを検出する。精算スイッチ７８は、精算ボタン２７が遊技者により押されたことを検出する。スタートスイッチ７９は、スタートレバー２３が遊技者により操作されたこと（開始操作）を検出する。
【０１６４】
ストップスイッチ基板８０は、回転しているリールを停止させるための回路と、停止可能なリールをＬＥＤ等により表示するための回路を構成する基板である。このストップスイッチ基板８０には、ストップスイッチが設けられている。ストップスイッチは、各ストップボタン１９Ｌ，１９Ｃ，１９Ｒが遊技者により押されたこと（停止操作）を検出する。
【０１６５】
遊技動作表示基板８１は、メダルの投入を受け付けるとき、３つのリール３Ｌ，３Ｃ，３Ｒが回動可能なとき及び再遊技を行うときに、投入されたメダルの枚数を７セグ表示器２４に表示させるための基板である。この遊技動作表示基板８１には、７セグ表示器２４とＬＥＤ８２が接続されている。ＬＥＤ８２は、例えば、遊技の開始を表示するマークや再遊技を行うマーク等を点灯させる。
【０１６６】
副制御基板７２は、ドア中継端子板６８と副中継基板６１を介して主制御基板７１に接続されている。この副制御基板７２には、副中継基板６１を介して、サウンドＩ／Ｏ基板８４、ＬＥＤ基板６２Ａ，６２Ｂ，６２Ｃ、２４ｈドア開閉監視ユニット６３が接続されている。これらＬＥＤ基板６２Ａ，６２Ｂ，６２Ｃ及び２４ｈドア開閉監視ユニット６３については、上述したため、説明を省略する。
【０１６７】
サウンドＩ／Ｏ基板８４は、センタースピーカ５８、ボードスピーカ６４、下部スピーカ６５Ｌ，６５Ｒ及びフロントドア２ｂに設けられた不図示のスピーカへの音声の出力を行う。
【０１６８】
また、副制御基板７２には、ロムカートリッジ基板８６と、液晶中継基板８７が接続されている。これらロムカートリッジ基板８６及び液晶中継基板８７は、副制御基板７２と共に副制御基板ケース５７に収納されている。ロムカートリッジ基板８６は、演出用の画像（映像）、音声、ＬＥＤ基板６２Ａ，６２Ｂ及びその他のＬＥＤ基板（不図示）、通信のデータを管理するための基板である。液晶中継基板８７は、副制御基板７２と液晶表示装置１１とを接続する配線を中継する基板である。
【０１６９】
＜主制御回路＞
次に、主制御基板７１により構成される主制御回路９１について、図２８を参照して説明する。
図２８は、パチスロ１の主制御回路９１の構成例を示すブロック図である。
【０１７０】
主制御回路９１は、主制御基板７１上に設置されたマイクロコンピュータ９２を主たる構成要素としている。マイクロコンピュータ９２は、メインＣＰＵ９３、メインＲＯＭ９４及びメインＲＡＭ９５により構成される。メインＣＰＵ９３と前述のホッパー装置５１は、本発明の遊技媒体払出装置を構成している。主制御回路９１は、遊技に関する制御を行う制御手段の一例として機能する。
【０１７１】
メインＲＯＭ９４には、メインＣＰＵ９３により実行される制御プログラム（例えば、上述した内部抽籤処理の実行のためのプログラム）、データテーブル、副制御回路１０１に対して各種制御指令（コマンド）を送信するためのデータ等が記憶されている。メインＲＡＭ９５には、制御プログラムの実行により決定された内部当籤役等の各種データを格納する格納領域が設けられる。
【０１７２】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【０１７３】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【０１７４】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【０１７５】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【０１７６】
上述したように、滑り駒数の最大数を図柄４個分に定めた場合は、左ストップボタン１９Ｌが押されたときにリール表示窓４の中段にある左リール３Ｌの図柄と、その４個先の図柄までの範囲内にある各図柄が、リール表示窓４の中段に停止可能な図柄となる。
【０１７７】
＜副制御回路＞
次に、副制御基板７２により構成される副制御回路１０１について、図２９を参照して説明する。
図２９は、パチスロ１の副制御回路１０１の構成例を示すブロック図である。
【０１７８】
副制御回路１０１は、主制御回路９１と電気的に接続されており、主制御回路９１から送信されるコマンドに基づいて演出内容の決定や実行等の処理を行う。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０１７９】
サブＣＰＵ１０２は、主制御回路９１から送信されたコマンドに応じて、ロムカートリッジ基板８６に記憶されている制御プログラムに従い、映像、音、光の出力の制御を行う。ロムカートリッジ基板８６は、基本的に、プログラム記憶領域とデータ記憶領域によって構成される。
【０１８０】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１による映像の表示を制御する描画制御タスク、ＬＥＤ８５等の光源による光の出力を制御するランプ制御タスク、スピーカ５８，６４，６５Ｌ，６５Ｒ等のスピーカによる音の出力を制御する音声制御タスク等が含まれる。
【０１８１】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０１８２】
サブＲＡＭ１０３は、決定された演出内容や演出データを登録する格納領域や、主制御回路９１から送信される内部当籤役等の各種データを格納する格納領域が設けられている。
【０１８３】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【０１８４】
また、サブＣＰＵ１０２は、演出内容により指定されたサウンドデータに従ってＢＧＭ等の音をスピーカ５８，６４，６５Ｌ，６５Ｒ等のスピーカにより出力させる。また、サブＣＰＵ１０２は、演出内容により指定されたランプデータに従ってＬＥＤ８５等の光源の点灯及び消灯を制御する。
【０１８５】
＜メダルセレクタの回路構成＞
次に、メダルセレクタ２０１の回路構成について、図３０を参照して説明する。
図３０は、メダルセレクタ２０１の回路構成例を示すブロック図である。メダルセレクタ２０１は、カメラユニット２０９とメダルソレノイド２０８を備えている。また、メダルセレクタ２０１は、ドア中継端子板６８を介して、主制御基板７１に接続されている。すなわちメダルセレクタ２０１は、主制御回路９１と電気的に相互通信可能に接続されている。したがって、主制御回路９１は、メダルセレクタ２０１のメダルソレノイド２０８をＯＮ状態又はＯＦＦ状態に設定することができる。
【０１８６】
カメラユニット２０９は、制御ＬＳＩ２３４、ＣＭＯＳイメージセンサ２３２及びＬＥＤ駆動部２５２で構成されている。カメラユニット２０９の制御ＬＳＩ２３４は、ＡＳＩＣ（Application  Specific  Integrated  Circuit）で構成され、ＣＭＯＳイメージセンサ２３２及びＬＥＤ群２３３と電気的に接続されている。ＬＥＤ群２３３は、３個のＬＥＤ２３３Ｌａ〜２３３Ｌｃ（図１６参照）により構成されている。制御ＬＳＩ２３４は、ＬＥＤ駆動部２５２を介してＬＥＤ群２３３の発光を制御する。また、制御ＬＳＩ２３４は、ＣＭＯＳイメージセンサ２３２から出力された画像データに基づいて、投入が正規メダルか否かを判別し、判別結果を、ドア中継端子板６８を介して主制御基板７１に出力する。なお、本実施形態において、採用されているＣＭＯＳイメージセンサ２３２は、解像度が６４８×４８８ピクセルであり、フレームレートが２４０ｆｐｓ（Frames PerSecond）のＣＭＯＳイメージセンサである。
【０１８７】
＜制御ＬＳＩの回路構成＞
次に、制御ＬＳＩ２３４の回路構成について、図３１及び図３２を参照して説明する。
図３１は、制御ＬＳＩ２３４の回路構成例を示すブロック図である。図３２は、正規メダルを説明するための図であり、Ａは正規メダルの一面を示し、Ｂは正規メダルの画像データを示す、Ｃは正規メダルに係る後述する勾配平均画像データを示す図である。
【０１８８】
制御ＬＳＩ２３４は、ＣＰＵを内蔵したホストコントローラ２４１、画像認識ＤＳＰ（digitalsignalprocessor）回路２４２、ＳＲＡＭ（StaticRandomAccessMemory）２４３、フラッシュメモリ２４４、ＩＳＰ（ImageSignalProcessing）回路２４５及びメダルカウント回路２４６を備えている。また、制御ＬＳＩ２３４は、カラー認識回路２４７、魚眼補正スケーラ回路２４８、画像認識アクセラレータ回路２４９及びＧＰＩＯ（GeneralPurposeInput/Output）２５０を備えている。これら制御ＬＳＩ２３４を構成するデバイスは、バスを介して相互に接続されており、本実施形態の制御ＬＳＩ２３４では、バスのプロトコルとしてＡＸＩ（AdvancedeXtensibleInterface）が採用されている。
【０１８９】
また、制御ＬＳＩ２３４は、ＩＳＩ（ImageSensorInterface）回路２５１を備えている。ＩＳＩ回路２５１は、ＣＭＯＳイメージセンサ２３２とＩＳＰ回路に電気的に接続されている。ＩＳＩ回路２５１は、ＣＭＯＳイメージセンサ２３２からＬＶＤＳ（Lowvoltagedifferentialsignaling）方式で出力された画像データをＲＧＢベイヤ画像に変換して、ＩＳＰ回路２４５に出力する。
【０１９０】
ＩＳＰ回路２４５は、ＩＳＩ回路２５１からＲＧＢベイヤ画像を受信すると、ＶＳＹＮＣ（VerticalSynchronization）割込信号を、ホストコントローラ２４１に出力する。
また、ＩＳＰ回路２４５は、ＩＳＩ回路２５１から出力されたＲＧＢベイヤ画像を各種フォーマットに変換する変換処理を行う。変換処理において、ＩＳＰ回路２４５は、ＲＧＢベイヤ画像をＹ（各ピクセルの輝度）に変換し、変換した画像データをＳＲＡＭ２４３に記憶させる。また、ＩＳＰ回路２４５は、ＲＧＢベイヤ画像を、ＹＵＶ色空間に対応する画像データ（ＹＵＶ画像データ）に変換し、このＹＵＶ画像データにおける輝度（Ｙ）に係るデータをメダルカウント回路２４６に出力する。また、ＩＳＰ回路２４５は、ＲＧＢベイヤ画像を、ＨＳＶ色空間に対応する画像データ（ＨＳＶ画像データ）に変換し、このＨＳＶ画像データにおける色相（Ｈ）と彩度（Ｓ）に係るデータをカラー認識回路２４７に出力する。
【０１９１】
メダルカウント回路２４６は、ＩＳＰ回路２４５から出力された輝度に係るデータに基づいてカウント処理を行う。カウント処理において、メダルカウント回路２４６は、画像における所定の領域であるカウント領域の輝度に係るデータと、カウント閾値とを比較し、背景差分法によってメダルが通過したか否かを判定する。カウント閾値とは、正規メダルの画像におけるカウント領域の輝度に係るデータに基づいて予め定められている閾値である。メダルカウント回路２４６は、差分が小さければメダルが通過したと判定し、差分が大きければメダルが通過していない（メダル以外のものが通過した）と判定する。そして、メダルカウント回路２４６は、判定結果をＳＲＡＭ２４３に記憶させる。
【０１９２】
なお、カウント領域は、パチスロ１が正規メダルとして用いるメダルに応じて任意に設定可能であるが、メダルの回転角度が輝度の差分に大きな影響を与えない領域に設定するのが好ましい。例えば、図３２Ａに示す両面に同じ刻印（模様）が施されている正規メダルを用いる場合、この正規メダルの画像データ（図３２Ｂ参照）では、領域内における正規メダルの一方の面に施された刻印（模様）がメダルの回転角度によって変化しない、すなわち、メダルの回転角度が輝度の差分に大きな影響を与えないに場所（図３２Ｂにおいて点線で囲まれている領域）をカウント領域として設定するのが好ましい。また、カウント領域の範囲が狭いほど、カウント処理が高速化する。
【０１９３】
カラー認識回路２４７は、ＩＳＰ回路２４５から出力された色相と彩度に係るデータに基づいて色判定処理を行う。色判定処理において、カラー認識回路２４７は、まず、画像データの中心付近の色相と彩度に係るデータの積算値をベクトルで表現し（ベクトル変換し）、３次元空間上でベクトルの角度を計算する。次に、カラー認識回路２４７は、計算したベクトルの角度と、所定の色閾値とを比較して、正規メダルの色と一致するか否かを判定する。所定の閾値は、正規メダルに係る画像データについて上述した処理と同様の方法で計算したベクトルの角度に基づいて予め定められている閾値（例えば、比較対象となる正規メダルに係る３次元空間上のベクトルの個々の座標（ＸＹＺ）上の角度の±１０度以内）である。そして、カラー認識回路２４７は、判定結果をＳＲＡＭ２４３に記憶させる。
【０１９４】
魚眼補正スケーラ回路２４８は、ＳＲＡＭ２４３からＲＧＢベイヤ画像をＹ（各ピクセルの輝度）変換した画像データを取得し、魚眼補正処理を行う。魚眼補正処理において、魚眼補正スケーラ回路２４８は、取得した画像データを魚眼補正し、１／２，１／４，１／８に縮小した縮小画像データを作成する。そして、魚眼補正スケーラ回路２４８は、作成した縮小画像データをＳＲＡＭ２４３に記憶させる。
【０１９５】
画像認識ＤＳＰ回路２４２は、ＳＲＡＭ２４３から縮小画像データ（本実施形態では、１／４に縮小した縮小画像データ）を取得し、前処理を行う。前処理において、画像認識ＤＳＰ回路２４２は、取得した縮小画像データを、非線形拡散フィルタを通してエッジ画像データに変換し、エッジ画像データをＳＲＡＭ２４３に記憶させる。
【０１９６】
画像認識アクセラレータ回路２４９は、勾配平均画像データを作成する回転積算処理を行う。回転積算処理において、画像認識アクセラレータ回路２４９は、ＳＲＡＭ２４３からエッジ画像データを取得し、取得したエッジ画像データを１度単位で回転させて作成した３６０度分の画像データを積算させて（重ね合わせて）勾配平均画像データを作成する。勾配平均画像データの例として、図３２Ａに示す正規メダルの勾配平均画像データを図３２Ｃに示す。
【０１９７】
また、画像認識ＤＳＰ回路２４２は、メダルの刻印（模様）が正規メダルの刻印と一致するか否かを判定する刻印判定処理を行う。刻印判定処理において、画像認識ＤＳＰ回路２４２は、画像認識アクセラレータ回路２４９が回転積算処理で作成した勾配平均画像データをＳＲＡＭ２４３から取得する。次に、画像認識ＤＳＰ回路２４２は、取得した勾配平均画像データと、刻印判定処理用のテンプレートデータ（予め用意した正規メダルの勾配平均画像データ）との差分を算出する。そして、画像認識ＤＳＰ回路２４２は、算出した差分値と刻印判定用の閾値とに基づいてメダルの刻印が正規メダルの刻印と一致するか否かを判定し、判定結果をＳＲＡＭ２４３に記憶させる。例えば、画像認識ＤＳＰ回路２４２は、取得した勾配平均画像データとテンプレートデータとの各画素における輝度を比較し、一致するか否か（多諧調の場合は差分が所定の範囲以内か）を判定し、一致する（差分が所定範囲内）画素が一定数以上ある場合は、メダルの刻印（模様）が正規メダルの刻印と一致すると判定し、一致する画素が一定数に満たない場合はメダルの刻印（模様）が正規メダルの刻印と一致しないと判定する。
【０１９８】
ホストコントローラ２４１は、各デバイスすなわちメダルカウント回路２４６、カラー認識回路２４７、魚眼補正スケーラ回路２４８、画像認識ＤＳＰ回路２４２、画像認識アクセラレータ回路２４９、ＧＰＩＯ２５０の制御を行う。
また、ホストコントローラ２４１は、ＧＰＩＯ２５０を介して、ＬＥＤ群２３３へ点灯指示や消灯指示に係る信号を出力する。また、ホストコントローラ２４１は、ＧＰＩＯ２５０を介して、ＳＲＡＭ２４３に記憶されているカウント処理に係る判定結果、色判定処理に係る判定結果、刻印判定処理に係る判定結果を出力する。
【０１９９】
フラッシュメモリ２４４には、ホストコントローラ２４１、画像認識ＤＳＰ回路２４２、魚眼補正スケーラ回路２４８、画像認識アクセラレータ回路２４９が各種処理に用いるパラメータやデータ（上述のテンプレートデータを含む）が記憶されている。
【０２００】
次に、図３３を参照して、制御ＬＳＩ２３４が行う、メダルレール２１０（図１４参照）上を移動する物体が正規メダルか否かを判別するための処理（以下、「正規メダル判別処理」と称する場合がある）について説明する。
【０２０１】
図３３は、制御ＬＳＩ２３４の正規メダル判別処理を説明するための図である。図３３は、制御ＬＳＩ２３４を構成する各デバイスにおける処理の関係を時系列的に示しており、各デバイス名の下方に延在する線における比較的太線の部分は、そのデバイスが上述した各種処理を行っている状態であることを示している。また、各デバイスに対応する線からホストコントローラにおける「ＩＮ」の下方に延在する線に向かって延びる破線矢印は、各デバイスからホストコントローラ２４１へ出力される割込信号を示している。また、ホストコントローラにおける「ＯＵＴ」の下方に延在する線から各デバイスに対応する線に向かって延びる破線矢印は、ホストコントローラ２４１から各デバイスに出力される信号を示している。また、ホストコントローラにおける「ＩＮ」の下方に延在する線と「ＯＵＴ」の下方に延在する線との間の実線矢印は、ホストコントローラ２４１が検知した割込信号とホストコントローラ２４１から出力される信号との対応関係を示している。なお、図３３は、メダル投入口２１に６枚のメダルが連続して投入された場合の正規メダル判別処理を示している。また、何枚目のメダルに係る信号なのかが明確になるように、各信号に付した符号の先頭には、メダルの枚数を表す数字を付している。例えば、１枚目のメダルに係る後述するＩＳＰ回路２４５からホストコントローラ２４１に出力されるＶＳＹＮＣ割込信号には、「１ＩＨ」という符号を付し、２枚目のメダルに係る同様のＶＳＹＮＣ割込信号には、「２ＩＨ」という符号を付した。
【０２０２】
まず、ＣＭＯＳイメージセンサ２３２がメダルレール２１０（図１４参照）上を移動する物体（本例では１枚目のメダル）を撮像し、画像データを制御ＬＳＩ２３４に出力すると、ＩＳＰ回路２４５は、ＩＳＩ回路２５１を介して画像データを取得（受信）し、ＶＳＹＮＣ（Vertical Synchronization）割込信号を、ホストコントローラ２４１に出力する（１ＩＨ）。また、ＩＳＰ回路２４５は、ＲＧＢベイヤ画像を各種フォーマットに変換する変換処理を行う。そして、変換後の画像データ及び画像データに係る色相及び彩度や輝度のデータをＳＲＡＭ２４３、メダルカウント回路２４６、カラー認識回路２４７に出力する。なお、変換処理の詳細な説明については上述したため省略する。
【０２０３】
カラー認識回路２４７は、ＩＳＰ回路２４５からデータを受信すると色判定処理を行い、判定結果をＳＲＡＭ２４３に記憶させ、また、ホストコントローラ２４１に色判定割込信号を出力する（１ＣＨ）。なお、色判定処理の詳細な説明については上述したため省略する。
【０２０４】
メダルカウント回路２４６は、ＩＳＰ回路２４５からデータを受信するとカウント処理を行い、判定結果をＳＲＡＭ２４３に記憶させ、また、ホストコントローラ２４１にメダルカウント割込信号を出力する（１ＭＨ）。なお、カウント処理の詳細な説明については上述したため省略する。
【０２０５】
ホストコントローラ２４１は、色判定割込信号を検知すると、ＳＲＡＭ２４３から色判定処理の判定結果を取得し、ＧＰＩＯ２５０の割り付けＰＯＲＴに出力する（１ＨＧ１）。すなわちホストコントローラ２４１は、色判定処理の判定結果を、ＧＰＩＯ２５０を介して主制御基板７１（主制御回路９１）に出力する。
【０２０６】
ホストコントローラ２４１は、カウント割込信号を検知すると、ＳＲＡＭ２４３からカウント処理の判定結果を取得し、ＧＰＩＯ２５０の割り付けＰＯＲＴに出力する（１ＨＧ２）。すなわちホストコントローラ２４１は、カウント処理の判定結果を、ＧＰＩＯ２５０を介して主制御基板７１（主制御回路９１）に出力する。なお、カウント処理の判定結果が「メダルが通過した」である場合、主制御回路９１は、投入されたメダルの枚数をメインＣＰＵ９３が計数するために設けられたカウンタである投入枚数カウンタの値に１加算する。なお、投入枚数カウンタの値が最大値（例えば、３）の場合は、クレジットされているメダルの枚数をメインＣＰＵ９３が計数するために設けられたカウンタであるクレジットカウンタの値に１加算する。クレジットカウンタが最大値（例えば、５０）の場合は、主制御回路９１は、メダルセレクタ２０１のメダルソレノイド２０８をＯＦＦ状態に設定する。これによって、図１５に示すように、セレクトプレート２０７が「排出位置」に位置付けされ、クレジットカウンタが最大値となった後で投入されたメダルをメダルシュート２０２（図４参照）に案内してメダル払出口３２（図２参照）からメダルトレイユニット３４（図２参照）に排出する。本実施形態では、投入枚数カウンタの値が規定値（例えば、２又は３）のときに、スタートレバーが操作されると、メインＣＰＵ９３は上述の内部抽籤処理を行う。
【０２０７】
図３３に戻って、魚眼補正スケーラ回路２４８は、ＩＳＰ回路２４５が変換した画像データがＳＲＡＭ２４３に記憶されると魚眼補正処理を行い、作成した縮小画像データをＳＲＡＭ２４３に記憶させ、また、ホストコントローラ２４１に縮小終了割込信号を送信する（１ＳＨ）。なお、魚眼補正処理の詳細な説明については上述したため省略する。
【０２０８】
ホストコントローラ２４１によるカウント処理の判定結果のＧＰＩＯ２５０への出（１ＨＧ２）と、魚眼補正スケーラ回路２４８による縮小終了割込信号を送信（１ＳＨ）との間には、ＩＳＰ回路２４５による２枚目のメダルに係るＶＳＹＮＣ割込信号の出力（２ＩＨ）が発生している。しかし、各メダルに係る各種処理（カウント処理、色判定処理、刻印判定処理等）の判定結果等を記憶するためＳＲＡＭ２４３の記憶領域は個別に設定されているため、データの上書き等は発生しない。
【０２０９】
ホストコントローラ２４１は、縮小終了信号を検知すると、ＳＲＡＭ２４３を参照し、カウント処理の判定結果が「メダルが通過した」であり、また、色判定処理の判定結果が「正規メダルの色と一致する」であることを条件に、画像認識ＤＳＰ回路２４２に前処理画像認識ＤＳＰ回路２４２は、ホストコントローラ２４１からの指示に応じて前処理を行いエッジ画像データをＳＲＡＭ２４３に記憶させ、ホストコントローラ２４１に前処理終了割込信号を出力する（１ＤＨ１）。なお、前処理の詳細な説明については上述したため省略する。
【０２１０】
ホストコントローラ２４１は、前処理完了割込信号を検知すると、画像認識アクセラレータ回路２４９に、回転積算処理の開始を指示する（１ＨＡ）。
【０２１１】
画像認識アクセラレータ回路２４９は、ホストコントローラ２４１の指示に応じて回転積算処理を行い、勾配平均画像データをＳＲＡＭ２４３に記憶させ、画像認識ＤＳＰ回路２４２に積算終了割込信号を出力する（１ＡＤ）。なお、回転積算処理の詳細な説明については上述したため省略する。
【０２１２】
画像認識ＤＳＰ回路２４２は、積算終了割込信号を検知すると、ＳＲＡＭ２４３に記憶されている勾配平均画像データを取得し、刻印判定処理を行い、判定結果をＳＲＡＭ２４３に記憶させる。そして、画像認識ＤＳＰ回路２４２は、刻印判定終了割込信号をホストコントローラ２４１に出力する（１ＤＨ２）。
【０２１３】
ホストコントローラ２４１は、刻印判定終了割込信号を検知すると、ＳＲＡＭ２４３に記憶されている刻印判定処理の判定結果を取得し、ＧＰＩＯの割り付けＰＯＲＴに出力する（１ＨＧ３）。すなわちホストコントローラ２４１は、刻印判定処理の判定結果を、ＧＰＩＯ２５０を介して主制御基板７１（主制御回路９１）に出力する。
【０２１４】
図３３に示すように、本実施形態においては、画像認識ＤＳＰ回路２４２による前処理及び刻印判定処理並びに画像認識アクセラレータ回路２４９による回転積算処理は、比較的時間がかかる。このため、メダルが連続して投入された場合、ホストコントローラ２４１は、縮小終了信号を検知すると、画像認識ＤＳＰ回路２４２又は画像認識アクセラレータ回路２４９が処理中（ビジー状態）か否かを確認し、いずれも処理中でない場合に、画像認識ＤＳＰ回路２４２による前処理及び刻印判定処理並びに画像認識アクセラレータ回路２４９による回転積算処理の開始の指示を行う。したがって、本実施形態では、２枚目及び３枚目のメダルに係る縮小終了信号（２ＳＨ及び３ＳＨ）をホストコントローラ２４１が検知する時、画像認識ＤＳＰ回路２４２又は画像認識アクセラレータ回路２４９が処理中（ビジー状態）であるため、ホストコントローラ２４１は、上記開始の指示を行わない。したがって、２枚目及び３枚目のメダルについては、カウント処理及び色判定処理は行われるが、刻印判定処理は、行われない。一方、４枚目のメダルに係る縮小信号（４ＳＨ）をホストコントローラ２４１が検知する時、画像認識ＤＳＰ回路２４２及び画像認識アクセラレータ回路２４９は処理中（ビジー状態）ではない。したがって、４枚目のメダルについては、カウント処理、色判定処理及び刻印判定処理が行われる。
なお、画像認識ＤＳＰ回路２４２による前処理及び刻印判定処理並びに画像認識アクセラレータ回路２４９による回転積算処理を高速化することで、投入される全てのメダルについて、カウント処理、色判定処理及び刻印判定処理が行われるようにしてもよい。
【０２１５】
図３３に示す２枚目、３枚目、４枚目、５枚目及び６枚目のメダルに係る各種信号（符号の先頭が「２」，「３」，「４」，「５」，「６」の各信号）については、先頭の数字のみが異なる上述した１枚目のメダルに係る各種信号（符号の先頭が「１」）と同様のため、詳細な説明を省略する。
【０２１６】
＜作用＞
本実施形態のパチスロ１では、メダルセレクタ２０１の制御ＬＳＩ２３４が色判定処理、カウント処理及び刻印判定処理を含む正規メダル判別処理を行う。メダルレール２１０上をメダルでない不正器具が移動した場合、色判定処理において「正規メダルの色と一致しない」と判定され、また、カウント処理において「メダルが通過していない」と判定される。したがって、パチスロ１に正規メダルが用いられていると誤認させて遊技を行う不正行為を検知することができる。
【０２１７】
図３４は、不正メダルの一例を示す図であり、Ａはこの不正メダルの一方の面を示し、Ｂはこの不正メダルの画像データを示す図である。図３５は、不正メダルの他の例を示す図であり、Ａはこの不正メダルの一方の面を示し、Ｂはこの不正メダルの画像データを示し、Ｃはこの不正メダルの勾配平均画像データを示す図である。
メダルレール２１０上を正規メダル（図３２Ａ参照）と同径及び同色で、メダルの表面に施されている刻印（模様）のみ異なる不正メダルが移動した場合、色判定処理においては、「正規メダルの色と一致する」と判定される。しかし、カウント処理においては、図３４Ｂに示す不正メダルの画像データのカウント領域（点線で囲まれている領域）における刻印（模様）と正規メダルの画像データのカウント領域（図３２Ｂにおいて点線で囲まれている領域）における刻印（模様）とが著しく異なることから、「メダルが通過していない」と判定される。したがって、パチスロ１に正規メダルが用いられていると誤認させて遊技を行う不正行為を検知することができる。
【０２１８】
また、メダルレール２１０上を正規メダル（図３２Ａ参照）と同径及び同色で、メダルの表面に施されている刻印（模様）のみ異なる他の不正メダルが移動した場合、色判定処理においては、「正規メダルの色と一致する」と判定される。また、カウント処理においては、図３５Ｂに示す不正メダルの画像データのカウント領域（点線で囲まれている領域）における刻印（模様）と正規メダルの画像データのカウント領域（図３２Ｂにおいて点線で囲まれている領域）における刻印（模様）との差分が小さいことから「メダルが通過した」と判定される。しかし、刻印判定処理において、図３４Ｃに示すこの不正メダルの勾配平均画像データと正規メダルの勾配平均画像データ（図３２Ｃ参照）とは大きく異なるので、「メダルの刻印（模様）が正規メダルの刻印と一致しない」と判定される。したがって、パチスロ１に正規メダルが用いられていると誤認させて遊技を行う不正行為を検知することができる。
【０２１９】
また、メダルレール２１０上を、正規メダル（図３２Ａ参照）と異径（正規メダルの径よりもわずかに小さく又は大きく、且つ、セレクトプレート２０７によって案内可能な径）及び同色のメダルが移動した場合、色判定処理においては、「正規メダルの色と一致する」と判定される。しかし、このメダルの画像データにおいて、このメダルが正規メダルの径よりもわずかに小さく、カウント領域にメダルの外縁と背景の境界があるような場合はカウント処理において、「メダルが通過していない」と判定される。また、たとえカウント処理において「メダルが通過した」と判定されたとしても、このメダルと正規メダルの径の差から、このメダルの勾配平均画像データと正規メダルの勾配平均画像データ（図３２Ｃ参照）とは大きく異なることになる。このため、刻印判定処理では、「メダルの刻印（模様）が正規メダルの刻印と一致しない」と判定される。したがって、パチスロ１に正規メダルが用いられていると誤認させて遊技を行う不正行為を検知することができる。
【０２２０】
また、メダルレール２１０上を、正規メダル（図３２Ａ参照）と同径であるが、異色のメダルが移動した場合、色判定処理において、「正規メダルの色と一致しない」と判定される。したがって、パチスロ１に正規メダルが用いられていると誤認させて遊技を行う不正行為を検知することができる。
【０２２１】
また、制御ＬＳＩ２３４は、色判定処理、カウント処理及び刻印判定処理の判定結果にＧＰＩＯを介して主制御基板７１からなる主制御回路９１に出力する。したがって、主制御回路９１に不正行為があった場合の種々の処理を行わせることができる。ここで、不正行為があった場合の種々の処理とは、例えば、主制御回路９１が遊技を強制的に中断させ、副制御回路１０１を介して、不正行為があった旨を報知する（例えば、液晶表示装置１１に不正行為が発生した旨を表示する）処理である。
【０２２２】
また、色判定処理及びカウント処理の判定結果によって不正行為を検知した場合、主制御回路９１は、メダルセレクタ２０１のメダルソレノイド２０８をＯＦＦ状態に設定してもよい。これによって、セレクトプレート２０７が「排出位置」に位置付けされるので、この不正メダルをメダルシュート２０２に案内してメダル払出口３２から排出することができる。なお、主制御回路９１は、色判定処理及びカウント処理による不正行為の検知によってＯＦＦ状態に設定したメダルソレノイド２０８を、この不正行為に係る不正メダルをメダルシュート２０２に案内後に、ＯＮ状態に設定してもよい。
【０２２３】
また、刻印判定処理によって不正行為を検知した場合も、主制御回路９１は、メダルセレクタ２０１のメダルソレノイド２０８をＯＦＦ状態に設定してもよい。本実施形態では、図３３に示すように、ＩＳＰ回路２４５から主制御回路９１へ４枚目のメダルに係るＶＳＹＮＣ割込信号（４ＩＨ）が出力されてから５枚目のメダルに係るＶＳＹＮＣ割込信号（５ＩＨ）が出力されるまでの間に１枚目のメダルに係る刻印判定処理の判定結果が主制御回路へ出力される（１ＨＧ３）。したがって、不正なメダルが連続して投入される場合は、５枚目以降に投入された不正メダルをメダルシュート２０２に案内してメダル払出口３２から排出することができる。これによって、不正行為による被害の拡大を抑えることができる。なお、刻印判定処理を高速化することで、カメラユニット２０９で撮像されたメダルがアフタメダルプレッシャ２１８又はメダルストッパ部２２７上を通過するまでに、刻印判定処理によって不正行為を検知可能な場合は、主制御回路９１が即座にメダルソレノイド２０８をＯＦＦ状態に設定することで、不正行為による被害の発生を防止できる。
また、主制御回路９１は、刻印判定処理による不正行為の検知によってＯＦＦ状態に設定したメダルソレノイド２０８を、次の刻印判定処理の判定結果が「メダルの刻印（模様）が正規メダルの刻印と一致する」である場合、ＯＮ状態に設定してもよい。これによって、不正メダルが偶然に混入していたため、遊技者が不正行為を意図せずに不正メダルを投入し、メダルソレノイド２０８がＯＦＦ状態に設定され遊技不能になった場合、遊技者は、正規メダルを投入すれば、遊技を再開することができる。
【０２２４】
＜オフセット補正処理＞
ＣＭＯＳイメージセンサ２３２内部には、温度センサ２３２ａが設けられている。温度センサ２３２ａは、イメージセンサのシリコン基板に形成したＰＮ接合（ダイオード）で構成されている。該ＰＮ接合は、約２ｍＶ／℃の温度係数を有し、所定の定電流が流れることにより、該ＰＮ接合の端子電圧変化が基板温度に追随して生ずる。温度センサ２３２ａによる該端子電圧変化の検出出力からイメージセンサの温度変化を監視することができる。
【０２２５】
温度センサ２３２ａの検出出力は、制御ＬＳＩ２３４に与えられる。制御ＬＳＩ２３４は、温度センサ２３２ａの検出出力に基づいてＣＭＯＳイメージセンサ２３２内の温度が閾値温度を超えているか否かを判断し、閾値温度を超えているときには基準黒レベルのオフセット処理を実行する。
ＣＭＯＳイメージセンサの暗電流は、温度上昇に伴い急激に上昇し、黒レベルが変動してしまう。基準黒レベルがずれると、色再現性の低下や画質の劣化を招く不具合が生ずる。本実施形態では、係る不具合を解消するために、以下のオフセット処理を行って、基準黒レベルを適正に保持することができる。
【０２２６】
図３６は、制御ＬＳＩ２３４により実行されるオフセット処理を示す。図３７は、オフセット処理の詳細を示すオフセット値の温度変化図である。
オフセット処理は、制御ＬＳＩ２３４の上述したホストコントローラ２４１により所定の割込タイミングで実行可能になっている。温度センサ２３２ａの検出出力を受信した場合、該検出出力の温度データに基づいて閾値温度を超過しているか否かが判断される（ステップＳ１０、Ｓ１１）。閾値温度データは、制御ＬＳＩ２３４の後述するフラッシュメモリ２４４に予め記憶、設定されている。閾値温度は、常温以上の温度範囲で設定可能であり、本実施形態では４５℃に設定されている。
【０２２７】
温度データが閾値温度の超過を示す場合、ＣＭＯＳイメージセンサ２３２から受信した画像データに対して基準黒レベルによるオフセット値の補正が行われる（ステップＳ１２）。オフセット値の初期値は、イメージセンサの製造段階で測定した低温（例えば、室温２５℃）での値がフラッシュメモリ２４４にセットされる。オフセット補正は、受信画像データのオフセット値に対して基準黒レベルに線形補間値の補正により行われる。ＣＭＯＳイメージセンサ２３２のオフセット値は、奇数画素列３３ａ及び偶数画素列３３ｂのそれぞれに対し、製造段階で予め室温での値にセットされている。温度センサ２３２ａの温度検出で閾値温度を超えた温度状況になると、予め実験により求められた温度勾配３３ｃに基づく線形補間値のオフセット補正が行われる。本実施形態において用いた温度勾配３３ｃの係数値は１．１１である。例えば、奇数画素列３３ａの４５℃以降の補正ライン３３ｄからわかるように、オフセット値は４５℃を超えると緩やかに上昇していく。例えば、約５４℃のときには、初期値との差３３ｅは１．５５である。補正されたオフセット値は、フラッシュメモリ２４４において更新、記憶される。更新されたオフセット値に基づく画像データは、制御ＬＳＩ２３４内の各種信号処理に供される。以上のように、イメージセンサを搭載した遊技機を使用することにより、稼働状況に応じて随時、上記オフセット補正処理が実行され、更新可能になっている。
【０２２８】
遊技機に撮像手段（例えば、ＣＭＯＳセンサを使用したカメラ）を搭載すると、該カメラは常時、長時間にわたり高温にさらされる環境下に置かれる。また、メダル補給等の保守のときに遊技機の扉が開閉されると、カメラ周囲温度が大きく変動する事態が生ずる。一方、ＣＭＯＳセンサの暗電流は温度上昇に伴って急激に上昇するため、撮像画像の基準黒レベルがずれて色再現性の低下や画質劣化の不具合を生ずる。本実施形態においては、係る不具合に鑑み、温度センサ２３２ａによってイメージセンサの閾値温度を検出して監視し、オフセット補正手段（ステップＳ１２）により、閾値温度を超えた場合にイメージセンサのオフセット補正を行うので、周囲温度が急変したりしても基準黒レベルを適正に保持して高画質の画像データの取得が可能になり、周囲温度の変動に関係なく該判定処理を高精度に行うことができる。特に、基準黒レベルに線形補間値によってオフセット補正を行うことによって、温度変化の影響を受けることなく、常時、安定した通過物体画像データの取得が可能になるので、刻印及び色の判定処理を高精度に行うことができる。
【０２２９】
ＬＥＤ群２３３は、ＬＥＤ２３３Ｌａ〜２３３Ｌｃ（図３９参照）の３個のＬＥＤにより構成され、ＣＭＯＳイメージセンサ２３２の周囲で面発光し、メダルレール２１０上を移動するメダルに光を照射する。
【０２３０】
＜ＬＥＤ駆動部の回路構成＞
ＬＥＤ駆動部２５２の回路構成について、図３８及び図３９を参照して説明する。
図３８は、ＬＥＤ駆動部２５２の全体構成を示すブロック図であり、図３９はＬＥＤ駆動部２５２の具体的な回路構成を示す。
【０２３１】
ＬＥＤ駆動部２５２は、過電流防止機能付ＬＥＤ電源部２５３、電源設定部ＯＮ／ＯＦＦ制御部２５４及びＬＥＤ定電流駆動回路２５５により構成されている。
【０２３２】
過電流防止機能付ＬＥＤ電源部２５３（以下、電源部２５３という。）は、電源電圧ＤＣ１２Ｖの電源２５６から電流の供給が可能になっている。電源部２５３は、コンデンサＣ１、トランジスタＴ１、Ｔ２及びトランジスタＴ３を有する。トランジスタＴ６のベース・コレクタ間はバイアス接続され、かつベースが共通接続されてカレントミラー回路が構成されている。トランジスタＴ３は、該カレントミラー回路の出力段側に設けられている。該カレントミラー回路は、出力段側のトランジスタＴ３を通じて定電流（４０ｍＡ）を出力可能な定電流回路を構成している。コンデンサＣ１の一端側は、抵抗Ｒ１を介して電源２５６に接続され、他端側は接地されている。コンデンサＣ１及び抵抗Ｒ１は、不要な高周波成分を除去するためのローパスフィルタを構成している。トランジスタＴ１、Ｔ２の各エミッタ側には抵抗Ｒ１、Ｒ２を介してコンデンサＣ１の一端側に接続されている。トランジスタＴ１、Ｔ２の各コレクタ側には抵抗Ｒ４、Ｒ５を介して接地されている。トランジスタＴ３のベースはトランジスタＴ１、Ｔ２のベースと共通接続されている。トランジスタＴ３のコレクタ側は、抵抗Ｒ５を介して接地される接地側と、ＬＥＤ２３３Ｌａ〜２３３Ｌｃのアノード側の電流供給系統に分岐して接続されている。電源２５６は、図２７に示した電源基板５３ｂから供給可能になっている。電源部２５３は、出力段のトランジスタＴ３を通じて電流が出力されるとき、コンデンサＣ１の充電電圧とカレントミラー回路（トランジスタＴ１、Ｔ２）に基づいて、４０ｍＡの定電流を超えて出力電流が流れない電流制限回路を構成している。なお、コンデンサＣ１は、所定の定電流（例えば、１８０ｍＡ）が規定時間（例えば、２５０μｓ）流れることで充電される蓄電容量が設定されているため、所定の定電流が規定時間を超えて流れた場合には、カレントミラー回路（トランジスタＴ１、Ｔ２）により、定格電流に出力電流を低下させてトランジスタＴ７〜Ｔ９を保護する。
【０２３３】
電源設定部ＯＮ／ＯＦＦ制御部２５４は、ＯＮ／ＯＦＦ制御部２５４ａと、電源設定部２５４ｂとから構成されている。ＯＮ／ＯＦＦ制御部２５４ａと電源設定部２５４ｂは、ＬＥＤ２３３Ｌａ〜Ｌｃのアノード側に設けられている。
【０２３４】
ＯＮ／ＯＦＦ制御部２５４ａは、ベースが抵抗Ｒ９を介して定電流源２６０と接続されたトランジスタＴ４と、ベースがトランジスタＴ４のコレクタ側と抵抗Ｒ７、Ｒ８を介して接続されたトランジスタＴ５とを有する。定電流源２６０は、ＣＭＯＳイメージセンサ２３２からの露光タイミング（すなわち、撮像タイミングであるＶＳＹＮＣ割込み信号）に応じたオンオフ信号であるＬＥＤ＿ＥＮ２５８により電流の供給・停止の切換が可能な電流スイッチである。トランジスタＴ５のエミッタ・ベース間は抵抗Ｒ８を介して短絡接続されている。トランジスタＴ５のエミッタ側は、ＬＥＤ２３３Ｌａ〜２３３Ｌｃのアノード側に接続されている。トランジスタＴ５のエミッタとＬＥＤ２３３Ｌａ〜２３３Ｌｃのアノードとの間には、５Ｖの電源２５７が付加されている。電源２５７は、図２７に示した電源基板５３ｂから供給可能になっている。
【０２３５】
電源設定部２５４ｂは、コレクタがトランジスタＴ５を介してＬＥＤ２３３Ｌａ〜２３３Ｌｃのアノード側に接続されたトランジスタＴ６を有する。トランジスタＴ５のコレクタとトランジスタＴ６のコレクタは、抵抗Ｒ１０とＲ１１の並列回路を介して接続されている。該並列回路は、トランジスタＴ６のコレクタ側と、抵抗Ｒ１２を介して接地側に分岐している。トランジスタＴ６のエミッタ側は、抵抗Ｒ１３、Ｒ１４を介して分岐して接地されている。
【０２３６】
ＬＥＤ定電流駆動回路２５５は、ＬＥＤ２３３Ｌａ〜２３３Ｌｃに設けたトランジスタＴ７〜Ｔ９を有する。トランジスタＴ７のコレクタはＬＥＤ２３３Ｌａのカソードを抵抗Ｒ１８を介して接続されている。トランジスタＴ８のコレクタはＬＥＤ２３３Ｌｂのカソードを抵抗Ｒ１９を介して接続されている。トランジスタＴ９のコレクタはＬＥＤ２３３Ｌｃのカソードを抵抗Ｒ２０を介して接続されている。トランジスタＴ７〜Ｔ９の各エミッタは抵抗Ｒ１８〜２０を介して抵抗Ｒ１３の接地ラインに接続されている。トランジスタＴ７〜Ｔ９のベースはトランジスタＴ６に共通接続され、互いに並列接続されている。トランジスタＴ６のベース・コレクタ間はバイアス接続されており、トランジスタＴ７〜Ｔ９のそれぞれとカレントミラー回路を構成している。本発明に係る熱結合２５９は、各カレントミラー回路におけるバイアス接続要素と、ベース共通接続要素により構成されている。ＬＥＤ２３３Ｌａ〜２３３Ｌｃのアノード側にはコンデンサＣ２を介して接地されている。コンデンサＣ２は、ＬＥＤ駆動電流の供給時（ＬＥＤ＿ＥＮ２６８がオン状態）に放電（例えば、１８０ｍＡ）され、供給停止時（ＬＥＤ＿ＥＮ２６８がオフ状態）に充電可能になっている。なお、コンデンサＣ２は、サージ電流を２５０μｓ以上の時間、放電できない蓄電容量のコンデンサが配置されている。したがって、ＬＥＤ＿ＥＮ２６８のオン状態が、２５０μｓ以上継続しても、コンデンサＣ２の蓄電容量により、ＬＥＤ２３３Ｌａ〜２３３Ｌｃのアノード側には、所定の定電流である１８０ｍＡ以上の電流が流れることはない。
【０２３７】
上記構成のＬＥＤ駆動部２５２においては以下のＬＥＤのオンオフ動作を行うことができる。
まず、電源部２５３において、トランジスタＴ１、Ｔ２により構成されたカレントミラー回路により、４０ｍＡの定電流が発生されて、トランジスタＴ３を介してＬＥＤ２３３Ｌａ〜２３３Ｌｃのアノード側に供給可能になっている。ＣＭＯＳイメージセンサ２３２からの撮像タイミングに応じたＬＥＤ＿ＥＮ２５８でオン信号が入力されて定電流源２６０による電流の供給が発生すると、ＯＮ／ＯＦＦ制御部２５４ａの前段側に設けたトランジスタＴ４が導通可能になる（以下、導通可能状態を単に「オン状態」という。）。トランジスタＴ４のオンにより、トランジスタＴ５のベースに電流が流れてトランジスタＴ５がオン状態になる。トランジスタＴ５がオン状態になると、トランジスタＴ６のコレクタ側に電流が流れてトランジスタＴ６はオン状態になる。トランジスタＴ７〜９は、トランジスタＴ６に対してカレントミラー回路に接続されているので、トランジスタＴ６のオンにより、トランジスタＴ７〜９は同時にオン状態になる。トランジスタＴ７〜９のオンにより、各ＬＥＤには電源部２５３からの定電流供給経路と通電可能になって、コンデンサＣ２に充電されたＬＥＤ駆動電流の放電によりＬＥＤ発光が行われる。
【０２３８】
図４０は、ＬＥＤ駆動部２５２各部における各種動作の変化を示すタイミングチャートを示す。同図の横軸は時間変化であり、（３６Ａ）の縦軸は露光時間の変化を示し、（３６Ｂ）〜（３６Ｅ）の縦軸は電圧値の変化を示し、（３６Ｅ）の縦軸は電流値の変化を示している。
図４０の（３６Ａ）、（３６Ｂ）は、それぞれ、ＣＭＯＳイメージセンサ２３２の露光時間、その露光時間の撮像タイミングを示す。（３６Ｂ）のパルスはオン時間（２５０μｓ）を示す。このパルスは、３．３Ｖの波高で、４ｍｓの（ＶＳＹＮＣ割込み信号の）周期でＣＭＯＳイメージセンサ２３２から出力される。オン時間は、１ｍ以下でよく、好ましくは８０〜２５０μｓである。
【０２３９】
（３６Ｃ）は、ＬＥＤ駆動部の駆動電圧ＶＤＤ電位を示し、（３６Ｄ）及び（３６Ｅ）は、それぞれ、ＬＥＤ駆動用トランジスタ（トランジスタＴ７〜Ｔ９）のコレクタ電位、エミッタ電位を示す。（３６Ｆ）は、ＬＥＤ駆動電流のパルス波形を示す。ＬＥＤ駆動電流は、常時点灯（通常）時の定格電流値は４０ｍＡであり、定格最大電流値は１８０ｍＡである。
【０２４０】
パルスオンのときには、（３６Ｃ）に示すように、ＬＥＤのＤＶＶ電位は、電源部２５３の電流制限回路による電圧降下３６ａを生じるので、電源部２５３による電流制限機能によりＬＥＤに過負荷となる過剰電流供給を防止することができる。ＬＥＤ駆動用トランジスタのコレクタ電位は、ＤＶＶ電位に対しＬＥＤのＶｆ電位分の差をもって電圧降下し、電圧降下３６ａの消失とともに、ＬＥＤとＬＥＤ駆動用トランジスタのリーク電流で決まる電位に復帰する。エミッタ電位は、パルスオンの間、僅かに上昇するので、ＬＥＤ部品のＶｆの変動やばらつきがあって、接地電位（ＧＮＤ電位）が変動しても、コレクタ電位とエミッタ電位との間の電位差に余裕を設けることにより、ＧＮＤ電位の変動分を吸収することができる。
本実施形態においては、撮像周期の撮像可能時間（上記オン時間：２５０μｓ）を、少なくとも１ｍｓｅｃ以下であるので、ＬＥＤ群２３３に瞬間的に電流を流し、常時点灯（通常）時の定格電流値４０ｍＡよりも高いサージ電流レベルの電流値である１８０ｍＡを供給可能にしてＬＥＤ群２３３を駆動するので、常時点灯時よりも大きい駆動電流を流すことでＬＥＤを高輝度（ＬＥＤの輝度は電流値に概ね比例する）にすることができ、高輝度によるＬＥＤ光照射によって高画質の画像データを取得可能にして、メダルに係る各種判定処理を高精度に行うことのできる遊技機を実現することができる。ＬＥＤのアノード側に設けたコンデンサＣ２は、ＬＥＤ駆動電流の供給時に充電され、供給停止で放電可能になっている。
【０２４１】
ＬＥＤ定電流駆動回路２５５のトランジスタＴ７〜Ｔ９は、電源設定部２５４ｂのトランジスタＴ６に対してカレントミラー接続されているので、各ＬＥＤにミラー電流（ＬＥＤ駆動電流）を供給して発光駆動させることができる。基準電流源側のトランジスタＴ６と、ＬＥＤ駆動電流供給側のトランジスタＴ７〜Ｔ９とを互いにミラー接続で熱結合することにより、トランジスタＴ６と、各トランジスタＴ７〜Ｔ９の温度係数に差を生じさせて、トランジスタＴ７〜Ｔ９による出力電流（ミラー電流）は、基準電流源側と不平衡に各ＬＥＤに供給可能になっており、ＬＥＤ定電流駆動回路２５５からの出力電流の温度特性は正になっている。
【０２４２】
ＬＥＤ素子の一般的特性として、順方向電圧Ｖｆは印加電流と温度により変化し、特に、温度上昇に対して負の温度特性を有している。また、ＬＥＤ部品間の個々の特性のばらつきがあるのが現状である。殊に、負の温度特性により温度上昇に伴ってＬＥＤ発光強度が低下する、つまり高温時にＬＥＤ発光輝度が低下する。本実施形態においては、該出力電流の温度特性が正になっているので、ＬＥＤ素子の負の温度特性に基づく発光強度の低下を相殺することができる。本実施形態の場合、トランジスタＴ６と各トランジスタＴ７〜Ｔ９とのカレントミラー接続により輝度安定化手段を構成することによって、０〜１００℃の温度範囲における発光強度の変化幅を１％以内にしている。カレントミラー接続による輝度安定化手段は、簡単かつ安価に構成できるので、例えば、プログラム制御のための回路別の温度センサや、電流コントロール用回路が不要になり、部品点数の軽減によるコストダウン、不要なプログラムを搭載しないことによる不要なバグの発生を排除でき、遊技機の高機能及び低価格化に寄与し得る。
上記の具体的回路構成には、能動素子としてバイポーラトランジスタを使用しているが、小信号能動素子であるＭＯＳトランジスタを使用してもよい。
【０２４３】
以上、本発明の一実施形態に係る遊技機について、その作用効果も含めて説明した。しかし、本発明の遊技機は、上述の実施の形態に限定されるものではなく、特許請求の範囲に記載した本発明の要旨を逸脱しない限り、種々の変形実施が可能である。
【０２４４】
例えば、上記説明においては、遊技媒体として両面に同一の刻印（模様）が施されているメダルを用いる例を説明したが、これに代えて、メダルの一方の面と他方の面で異なる刻印が施されているメダルを用いてもよい。この場合、カウント処理、色判定処理、刻印判定処理における閾値に係るデータとして、メダルのそれぞれの面に係るデータを予め用意すればよい。
【０２４５】
また、閾値に係るデータの設定方法としては、一定の単位遊技期間（例えば、１００ゲーム）の間を閾値に係るデータの収集期間とし、この単位遊技期間中にカメラユニット２０９で撮像したメダルの画像データに基づいて設定する方法を採用してもよい。
【０２４６】
［本発明の一実施形態の変形例］
＜変形例に係るメダルセレクタの構成＞
次に、本発明の一実施形態の変形例に係るメダルセレクタ３０１について説明する。
本実施形態に係るパチスロ１は、メダルセレクタ２０１（図８参照）の代わりに、変形例に係るメダルセレクタ３０１を備えてもよい。以下、変形例に係るメダルセレクタ３０１について説明するが、メダルセレクタ２０１と同一の構成は、同一の符号を付し、その説明を省略又は簡略する。
【０２４７】
メダルセレクタ３０１は、主に、ベース板部及びサブプレートの構成が、図８に示すメダルセレクタ２０１と異なる。
図４１は、メダルセレクタ３０１のベース板部３０４及びサブプレート３０５の分解斜視図である。
図４２は、メダルセレクタ３０１のベース板部３０４をパチスロ１の斜め前方から見た斜視図である。
メダルセレクタ３０１は、遊技媒体の投入を検出する遊技媒体検出手段の一例であり、図４１に示すベース板部３０４、ベース板部３０４に重なるように配置されているサブプレート３０５及びセレクトプレート２０７と、図８に示すキャンセルシュータ２０６及びカメラユニット２０９と、図５０に示すメダル選別ソレノイド３０８ａ及びメダル受付ソレノイド３０８ｂと、を備えている。
【０２４８】
また、メダルセレクタ３０１は、メダルセレクタ２０１と同様に、光照射機構として、図１４に示す第１の導光体２６１、第２の導光体２６２及び第３の導光体２６３と、ＬＥＤ２３３Ｌａ、ＬＥＤ２３３Ｌｂ及びＬＥＤ２３３Ｌｃと、を備える。これらの光照射機構は、撮像手段の撮像のための光を照射する照射手段の一例として機能する。
【０２４９】
図４１に示すように、ベース板部３０４は、メダルセレクタ３０１の外枠筐体の一部を構成する略板状の部材であり、パチスロ１の左右方向の両端部がパチスロ１の後方に折曲するように成型されている。ベース板部３０４は、パチスロ１の前後方向に直交する一方の平面である後面３０４ｂと他方の平面である前面３０４ａ（図４２参照）を有している。後面３０４ｂには、メダルが通過する経路の一例であるメダルレール２１０が、パチスロ１の前方へ凹むように、且つ、上方から下方に向かって延び、略Ｌ字状に形成されている。メダルレール２１０の表面には、メダルレール２１０が延びる方向に沿って、複数の突条部が形成されている。このようなベース板部３０４は、遊技媒体が通過する遊技媒体通過部の一例として機能する。また、メダルレール２１０が形成されたベース板部３０４は、遊技媒体が通過する経路が形成された遊技媒体通過部の一例として機能する。
【０２５０】
ベース板部３０４の上端部には、メダルレール２１０の上端に連なり、メダル投入口２１（図２参照）から投入されるメダルを受け入れるメダル入口部２１１が設けられている。メダル入口部２１１からメダルセレクタ３０１内に投入されたメダルは、メダルレール２１０に沿って上方から下方へ移動する。ベース板部３０４の下部には、メダルレール２１０の下端に連なるメダル出口部３０４ｃが設けられている。メダルセレクタ３０１内を移動したメダルは、メダル出口部３０４ｃから排出され、スロープ２０３（図６参照）を介してホッパー装置５１（図５参照）に収容される。
【０２５１】
メダルレール２１０の略中間位置より下流側には、前後方向に貫通するメダル選別用中央孔２１２ａ及びメダル受付用中央孔２１２ｂが形成されている。メダル選別用中央孔２１２ａは、メダル選別用メダルプレッシャ２１３ａの先端部が、前面３０４ａ（図４２参照）側から、後面３０４ｂに形成されたメダルレール２１０内に露出可能である。メダル受付用中央孔２１２ｂは、メダル受付用メダルプレッシャ２１３ｂの先端部が、前面３０４ａ側から、後面３０４ｂに形成されたメダルレール２１０内に露出可能である。また、ベース板部３０４には、サブプレート３０５と重なる位置において、前後方向に貫通するサブプレート可動用孔２１２ｃが形成されている。サブプレート可動用孔２１２ｃは、サブプレートプレッシャ２１３ｃの先端部が、前面３０４ａ（図４２参照）側から、後面３０４ｂ側に突出可能である。
【０２５２】
図４２に示すように、メダル選別用メダルプレッシャ２１３ａは、略への字形状に形成され、その中間部において、ベース板部３０４の前面３０４ａに設けられた軸部２１４ａに回動可能に支持され、基端部がメダル選別ソレノイド３０８ａに回動自在に接続されている。これにより、メダル選別用メダルプレッシャ２１３ａは、メダル選別ソレノイド３０８ａがＯＦＦ状態のときは、基端部が軸部２１４ａ側に押し込まれており、先端部がメダルレール２１０より前面３０４ａ側に引っ込んだ状態となる。そして、メダル選別用メダルプレッシャ２１３ａは、メダル選別ソレノイド３０８ａがＯＮ状態になると、基端部が軸部２１４ａから離れる方向に引き込まれることで、軸部２１４ａを支点に回動し、先端部がメダルレール２１０内に突出した状態となり、メダルレール２１０を通過するメダルを、メダルレール２１０から排除することで、メダルを選別する。メダル選別ソレノイド３０８ａの電気的な構成については後述する。このようなメダル選別用メダルプレッシャ２１３ａは、遊技媒体選別手段の一例であるメダル選別ソレノイド３０８ａの駆動により、可動する選別用可動手段の一例として機能する。また、メダル選別用メダルプレッシャ２１３ａは、中間部において、遊技媒体通過部の裏面に回動可能に支持され、基端部が遊技媒体選別手段に回動自在に接続されている選別用可動手段の一例として機能する。
【０２５３】
また、メダル受付用メダルプレッシャ２１３ｂは、板状体で形成され、ベース板部３０４の前面３０４ａに設けられた軸部２１４ｂに回動可能に支持され、基端部がメダル受付ソレノイド３０８ｂに接続されている。軸部２１４ｂには、コイルばね２１５ｂが取り付けられており、メダル受付用メダルプレッシャ２１３ｂは、その先端部が、コイルばね２１５ｂにより、メダルレール２１０内（後面２０４ｂ側）に突出するように付勢されている。これにより、メダル受付用メダルプレッシャ２１３ｂは、メダル受付ソレノイド３０８ｂがＯＦＦ状態のときは、コイルばね２１５ｂに付勢され、先端部がメダルレール２１０内に突出した状態であり、メダルレール２１０を通過するメダルを、メダルレール２１０から排除する。そして、メダル受付用メダルプレッシャ２１３ｂは、メダル受付ソレノイド３０８ｂがＯＮ状態になると、基端部がメダルレール２１０が形成されている後面２０４ｂ側に押し込まれることで、コイルばね２１５ｂの付勢力に抗い、軸部２１４ｂを支点に回動し、先端部がメダルレール２１０より前面３０４ａ側に引っ込む。メダル受付ソレノイド３０８ｂの電気的な構成については後述する。また、メダル受付用メダルプレッシャ２１３ｂの先端部は、メダルレール２１０において、メダルが通過する通過方向に対して、メダル選別用メダルプレッシャ２１３ａの先端部より上流側に配置されている。このようなメダル受付用メダルプレッシャ２１３ｂを駆動させるメダル受付ソレノイド３０８ｂは、遊技媒体通過部の遊技媒体が通過する通過方向に対して、遊技媒体選別手段が遊技媒体を選別する位置より上流側で、遊技媒体を排除する遊技媒体受付手段の一例として機能する。また、メダル受付用メダルプレッシャ２１３ｂは、遊技媒体受付手段の一例であるメダル受付ソレノイド３０８ｂの駆動により、可動する受付用可動手段の一例として機能する。
【０２５４】
また、ベース板部３０４には、返却ボタン２１ａ（図２参照）が遊技者により操作された場合に回動し、サブプレート３０５を後面２０４ｂ側に回動させるサブプレートプレッシャ２１３ｃが回動自在に設けられている。サブプレートプレッシャ２１３ｃは、その中間部において、ベース板部３０４の前面３０４ａに設けられた軸部２１４ｃに回動可能に支持され、基端部が返却ボタン２１ａ（図２参照）に直接的又は間接的に接続されている。これにより、サブプレートプレッシャ２１３ｃは、返却ボタン２１ａが遊技者により操作された場合、基端部が下方に移動し、軸部２１４ｃを支点に回動し、先端部が上方に移動し、先端部がサブプレート可動用孔２１２ｃ（図４１参照）から突出し、サブプレート３０５を後面２０４ｂ側に回動させる。
【０２５５】
図４１に戻って、メダルレール２１０には、カメラユニット２０９による撮像領域ＲＬａ（図２５参照）において、前後方向に貫通する複数の判定用孔３１２（本実施形態では、５ヶ所）が形成されている。判定用孔３１２は、メダルレール２１０を通過するメダルとともに、カメラユニット２０９により撮像されることで、メダルの判定処理に用いられる画像において、メダルとメダルレール２１０との区別が明確になることで、メダルの判別が容易になり、メダルの判定処理の精度が向上する。
【０２５６】
また、複数の判定用孔３１２は、メダルレール２１０が延びる方向に沿って、配列されており、メダルレール２１０の上流側（メダル入口部２１１側）に近いほど、メダルレール２１０が延びる方向の幅が長く形成（例えば、上流側の判定用孔３１２の幅は約２０ｍｍ、下流側の判定用孔３１２の幅は約５ｍｍ、中間域の判定用孔３１２の幅は約１０ｍｍ）されている。このような複数の判定用孔３１２は、遊技媒体通過部の上流側と下流側とに設けられた複数の孔であり、上流側の孔よりも下流側の孔が遊技媒体が通過する進行方向に対して短い複数の孔の一例として機能する。これにより、メダルの通過速度が比較的速い、メダルレール２１０の上流側でも、確実にメダルを判定用孔３１２とともに撮像することが可能となり、メダルの判定処理の精度が向上する。また、メダルの通過速度が比較的遅い、メダルレール２１０の下流側の判定用孔３１２を、メダルレール２１０が延びる方向の幅を比較的短く形成することで、省スペース化が図れるので、例えば、メダル選別用中央孔２１２ａ及びメダル受付用中央孔２１２ｂとともに設けることが可能となる。
【０２５７】
なお、複数の判定用孔３１２は、このような態様に限らず、同じ幅や同じ形状に形成してもよい。また、判定用孔３１２は、メダルレール２１０が延びる方向（メダルの流下方向）に沿った略矩形形状に形成されているが、これに限らず、円形状、三角形状等の任意の形状に形成してもよい。
【０２５８】
判定用孔３１２の前面３０４ａ側（撮像手段の一例であるによるカメラユニット２０９（図８参照）の非撮像面側）には、遮蔽部材３１２ａ（図４１中斜線部分）が貼付されている。
【０２５９】
遮蔽部材３１２ａは、メダルレール２１０に形成された判定用孔３１２において、前面３０４ａ側と後面３０４ｂ側とを遮蔽し、後面３０４ｂ側からカメラユニット２０９（図８参照）により撮像された画像に、前面３０４ａ側に配置された機器が写り込まないようにする。遮蔽部材３１２ａは、複数の判定用孔３１２に応じて設けられている。遮蔽部材３１２ａは、図１４に示す第１の導光体２６１、第２の導光体２６２及び第３の導光体２６３からの光を反射する。遮蔽部材３１２ａは、例えば、反射シートで構成されているが、光を反射する素材であれば、例えば、鏡面仕上げされた金属板等で構成してもよい。なお、遮蔽部材３１２ａを反射シートのような光を反射する素材を使用する理由は、カメラユニット２０９の撮影を阻害しないように、メダルレール２１０に光の反射率の低い加工が施されているため、遮蔽部材３１２ａに非反射素材を使用した場合、判定用孔３１２がメダルレール２１０と同化してしまい認識できなくなるからである。
【０２６０】
カメラユニット２０９（図８参照）は、複数の判定用孔３１２に応じて設けられた遮蔽部材３１２ａで反射した光を撮像した画像により、複数の判定用孔３１２を判別する。
【０２６１】
なお、判定用孔３１２は、メダルレール２１０のメダルが摺接する面（後面３０４ｂ）より窪んでいれば、貫通孔でなくとも、凹形状であってもよい、この場合、この凹形状の底部に遮蔽部材３１２ａを設けてもよい。
【０２６２】
ベース板部３０４の後面３０４ｂには、補助部材の一例であるサブプレート３０５の一部と重畳するように、メダルの厚み（約１．５ｍｍ）よりやや厚い（約１．８ｍｍ〜２．０ｍｍ）保護部材３０４ｄが設けられている。
【０２６３】
保護部材３０４ｄは、ベース板部３０４の後面３０４ｂにおいて、上側側縁が、メダルレール２１０の下側側縁に沿って配置されている。これにより、メダルレール２１０を通過するメダルは、保護部材３０４ｄの上側側縁の上を転がる。保護部材３０４ｄの上側側縁近傍は、サブプレート３０５の下側側縁近傍と重畳する。また、保護部材３０４ｄは、光沢のある金属プレートで構成されているが、これに限らず、図１４に示す第１の導光体２６１、第２の導光体２６２及び第３の導光体２６３からの光を反射する素材であれば、反射シート等で構成してもよい。
【０２６４】
次に、サブプレート３０５の構成について説明する。
サブプレート３０５は、ベース板部３０４のメダルレール２１０と重なる位置に設けられている板状の部材であり、上端側がベース板部３０４に回動自在に取り付けられ、下端側がベース板部３０４の保護部材３０４ｄに当接することで、メダルレール２１０との間に、保護部材３０４ｄの上を転がるメダルが通過する空間（約１．８ｍｍ〜２．０ｍｍ）を形成する。サブプレート３０５は、平板状の本体部３２１と、この本体部３２１の上部に設けた軸部２２２と、第１の導光体２６１を取り付けるための取付部材２７２（図８参照）と、を有している。本体部２２１の略中央部には、メダルレール２１０のメダル選別用中央孔２１２ａ、メダル受付用中央孔２１２ｂ及び複数の判定用孔３１２を含む位置の後方に配置され、前後方向に貫通する貫通孔２２１ａが設けられており、貫通孔２２１ａからはメダルレール２１０の略中央部から下流領域が露出する。この貫通孔２２１ａは、カメラユニット２０９（図１６参照）により撮像される、メダルレール２１０を含む所定領域に含まれる。
【０２６５】
また、本体部３２１には、貫通孔２２１ａの下側側縁に連なって形成され、本体部３２１の後端（メダルレール２１０の下流側端部）に形成され、メダルレール２１０を通過したメダルを、メダル出口部３０４ｃからメダルセレクタ３０１の外部に導く第１誘導部３２１ａと、メダルレール２１０からメダル選別用メダルプレッシャ２１３ａ又はメダル受付用メダルプレッシャ２１３ｂによりはじかれたメダルを下方に導く第２誘導部３２１ｂと、貫通孔２２１ａの近傍であって、カメラユニット２０９（図１６参照）により撮像される所定領域に形成された複数のサブプレート状態検知用孔３２１ｃと、が形成されている。
【０２６６】
第１誘導部３２１ａは、サブプレート３０５がベース板部３０４の保護部材３０４ｄに当接した状態において、ベース板部３０４のメダルレール２１０の下流側側縁（メダル出口部３０４ｃが設けられた側縁）に沿って配置される側枠３０５ｃに形成されている。
【０２６７】
図４３は、メダルセレクタ３０１のサブプレート３０５をパチスロ１の斜め前方から見た斜視図である。
第１誘導部３２１ａは、サブプレート３０５がベース板部３０４の保護部材３０４ｄ（図４１参照）に当接した状態において、メダル出口部３０４ｃ（後述する図４４参照）に沿って延びる。第１誘導部３２１ａは、メダルレール２１０（図４１参照）の上流（メダル入口部２１１）側から下流（メダル出口部３０４ｃ）側に向かって、サブプレート３０５のベース板部３０４に対面しない後面３０５ｂ（図４１参照）から、サブプレート３０５のベース板部３０４に対面する前面３０５ａに向かって、傾斜する傾斜面を有する。これにより、例えば、メダル出口部３０４ｃから排出される寸前に、メダル選別用メダルプレッシャ２１３ａやメダル受付用メダルプレッシャ２１３ｂにはじかれたメダルを、サブプレート３０５の側枠３０５ｃに引っ掛けることなく、メダルシュート２０２に導くことでメダル出口部３０４ｃ側へのメダルの誤通過を抑制することができる。また、メダルが通過する空間において、メダルが排出されるメダル出口部３０４ｃや、メダル出口部２０４ｃに上流が接続され、下流がホッパー装置５１に接続されたスロープ２０３に向かって傾斜する傾斜面を設けることで、このメダル出口部３０４ｃ付近やスロープ２０３の入口においてメダルが滞留し、メダル出口部３０４ｃやスロープ２０３にメダルが詰まってしまうのを防止できる。
【０２６８】
図４１に戻って、第２誘導部３２１ｂは、サブプレート３０５がベース板部３０４の保護部材３０４ｄに当接した状態におけるメダルレール２１０の下縁（図４１に示す仮想線Ｌ）より下方において、メダルレール２１０が延びる方向に延びる。第２誘導部３２１ｂは、メダルレール２１０側から、メダルレール２１０から離れる方向に下り傾斜する傾斜面を有する。
【０２６９】
ここで、メダルセレクタ３０１の下方には、メダル払出口３２（図２参照）が設けられており、滞留手段の一例であるメダルトレイユニット３４（図２参照）に連なるメダルシュート２０２（図４参照）が設けられている。また、メダル出口部３０４ｃから排出されたメダルは、スロープ２０３（図６参照）を介して貯留手段の一例であるホッパー装置５１（図５参照）に収容される。
【０２７０】
メダルレール２１０からメダル選別用メダルプレッシャ２１３ａ又はメダル受付用メダルプレッシャ２１３ｂによりはじかれたメダルは、メダル出口部３０４ｃまで到達することなく、メダルレール２１０から落下し、第２誘導部３２１ｂの傾斜面に導かれ、メダルシュート２０２を通って、メダルトレイユニット３４に落下する。このように、第２誘導部３２１ｂは、遊技媒体を滞留手段の方向に導くための第２誘導部として機能する。
【０２７１】
また、仮に、メダル出口部３０４ｃに到達する寸前で、メダル選別用メダルプレッシャ２１３ａ又はメダル受付用メダルプレッシャ２１３ｂによりはじかれたメダルも、第１誘導部３２１ａの傾斜面に導かれ、メダルレール２１０から落下し、第２誘導部３２１ｂの傾斜面に導かれ、メダルシュート２０２を通って、メダルトレイユニット３４に落下する。このように、第１誘導部３２１ａは、遊技媒体を貯留手段に導かない場合に、貯留手段に導く方向とは異なる方向に、遊技媒体を導くための第１誘導部として機能する。
【０２７２】
サブプレート状態検知用孔３２１ｃは、本体部３２１を前後方向に貫通する矩形形状の孔であり、貫通孔２２１ａの近傍において、貫通孔２２１ａの下側側縁に沿って、複数配列されている。サブプレート状態検知用孔３２１ｃは、サブプレート３０５がベース板部３０４の保護部材３０４ｄに当接した状態において、保護部材３０４ｄと重畳する位置に配置されている。このため、サブプレート３０５がベース板部３０４の保護部材３０４ｄに当接した状態において、図１４に示す第２の導光体２６２からの光は、サブプレート状態検知用孔３２１ｃを挿通し、保護部材３０４ｄで反射する。なお、サブプレート状態検知用孔３２１ｃは、矩形形状に形成されているが、これに限らず、円形状、三角形状等の任意の形状に形成してもよい。
【０２７３】
次に、サブプレート３０５の動作について説明する。
図４４及び図４５は、サブプレート３０５の動作を説明する図である。図４４は、サブプレート３０５がベース板部３０４の保護部材３０４ｄに当接した状態を示している。また、図４５は、サブプレート３０５が回動し、サブプレート３０５とベース板部３０４の保護部材３０４ｄとが離間した状態を示している。また、図４４及び図４５における一点鎖線は、第２の導光体２６２からの光を模式的に示す線である。
【０２７４】
図４４に示すように、サブプレート３０５がベース板部３０４の保護部材３０４ｄに当接した状態（通常の状態）では、第２の導光体２６２からの光は、サブプレート状態検知用孔３２１ｃにおいて、保護部材３０４ｄにより反射する。
【０２７５】
一方、遊技者により、返却ボタン２１ａ（図２参照）が操作されると、サブプレートプレッシャ２１３ｃ（図４１参照）の先端部がサブプレート可動用孔２１２ｃ（図４１参照）から突出し、サブプレート３０５が回動し、図４５に示す状態となる。
図４５に示す状態（返却ボタン２１ａが操作された状態）では、サブプレート状態検知用孔３２１ｃが保護部材３０４ｄの表面（反射面）に対して傾斜した状態となり、第２の導光体２６２からの光は、サブプレート状態検知用孔３２１ｃを挿通せずに、保護部材３０４ｄにより反射する。即ち、第２の導光体２６２からの光は、サブプレート３０５が回動していない状態の場合とは異なる反射となる。
【０２７６】
このため、図４４に示すサブプレート３０５がベース板部３０４の保護部材３０４ｄに当接した状態（通常の状態）では、第２の導光体２６２からの光がサブプレート状態検知用孔３２１ｃにおいて反射するので、カメラユニット２０９（図１６参照）により撮像された画像において、サブプレート状態検知用孔３２１ｃは、周囲の本体部３２１に比べ輝度が高くなる。
【０２７７】
一方、図４５に示す返却ボタン２１ａが操作された状態では、サブプレート３０５がベース板部３０４の保護部材３０４ｄから離間し、第２の導光体２６２からの光がサブプレート状態検知用孔３２１ｃにおいて、サブプレート３０５が回動していない状態の場合とは異なる反射となるので、カメラユニット２０９（図１６参照）により撮像された画像において、サブプレート状態検知用孔３２１ｃは、通常の状態と比べ、輝度が低くなる。
【０２７８】
これにより、カメラユニット２０９がこれらの画像により、サブプレート３０５がベース板部３０４の保護部材３０４ｄに当接した状態か否かの判定の精度が向上する。例えば、サブプレート３０５がベース板部３０４の保護部材３０４ｄから離間していると判定されているにもかかわらず、メダルレール２１０を通過するメダルがあると判定される場合、不正行為が行われている可能性が高いと推測できる。
【０２７９】
また、このようなカメラユニット２０９による判定を実現するため、変形例において、カメラユニット２０９において受光が可能な撮像領域ＲＬａ（図２５参照）の下端は、実施形態に示すメダルレール２１０の下端縁より、ベース板部３０４の保護部材３０４ｄに当接した状態において、メダルレール２１０の下端縁近傍に配置される複数のサブプレート状態検知用孔３２１ｃを含む範囲まで、拡張されている。このような撮像領域ＲＬａは、遊技媒体通過部に形成された経路を含む所定領域の一例であり、この所定領域を撮像するカメラユニット２０９は、所定領域を撮像する撮像手段の一例として機能する。また、複数のサブプレート状態検知用孔３２１ｃは、貫通孔の近傍であって、所定領域に形成された複数の孔の一例として機能する。
【０２８０】
＜変形例に係るコネクタの構成＞
次に、メダルセレクタ３０１と、ドア中継端子板６８（後述する図５０参照）と、を電気的に接続する一般的にドロワコネクタ、又は、フローティングコネクタと称呼される種類のコネクタ４００について説明する（ドロワコネクタ、又は、フローティングコネクタとは、雄雌コネクタの一方のコネクタを取り付けるベース部材との取り付け機構（取付穴等）において、フローティングワッシャ等による可動領域を備え、雄雌のコネクタを接合した際に発生する、締め付け荷重をフローティング機構で緩和する機能を有したコネクタ、又は、雄雌コネクタ同士の嵌合部分にフローティング機構を有するコネクタである。）。
図４６は、コネクタ４００の斜視図である。
コネクタ４００は、パチスロ１において、メダルの投入を検出するメダルセレクタ３０１（後述する図５０参照）と他の電気機器の一例であるドア中継端子板６８（後述する図５０参照）とを電気的に接続する。コネクタ４００は、第１部材４１０と、第１部材と着脱自在に所定方向（図４６に示す矢印の方向）から係合する第２部材４２０と、を備える。第１部材４１０は、メダルセレクタ３０１に設置されて接続されている。第２部材４２０は、ドア中継端子板６８又はドア中継端子板６８に接続されたセレクタ中継基板（不図示）に設置されて接続されている。なお、図４６では、第１部材４１０と第２部材４２０が互いに係合する反対面は、本来複数のケーブル（導線）を挿通可能な形状を有しているが、本図では省略して描かれている。
【０２８１】
図４７は、コネクタ４００の第１部材４１０と第２部材４２０とを互いに係合する方向から見た図である。図４７（ａ）は、第１部材４１０を、第２部材４２０と係合する方向から見た図である。図４７（ｂ）は、第２部材４２０を、第１部材４１０と係合する方向から見た図である。
【０２８２】
図４７（ａ）に示すように、第１部材４１０は、メダルセレクタ３０１（後述する図５０参照）に接続される平板部４１１と、平板部４１１から所定方向（第２部材４２０と係合する方向）に突出する突出部４１２と、所定方向に延びる複数のピン部材４１３（４１３ａ，４１３ｂ，４１３ｃ，４１３ｄ）と、を有する。
【０２８３】
突出部４１２は、所定の凹凸を有する形状に形成されている。複数のピン部材４１３は、突出部４１２の周囲に配置されている。図４７（ａ）に示す例では、複数のピン部材４１３は、ピン部材４１３ａが突出部４１２の左上に配置され、ピン部材４１３ｂが突出部４１２の右上に配置され、ピン部材４１３ｃが突出部４１２の左下に配置され、ピン部材４１３ｄが突出部４１２の右下に配置されている。
【０２８４】
図４７（ｂ）に示すように、第２部材４２０は、ドア中継端子板６８（後述する図５０参照）に接続される本体部４２１と、本体部４２１に形成された穴であり、所定方向（第１部材４１０と係合する方向）から、第１部材４１０の突出部４１２を挿入可能な凹部４２２と、本体部４２１に形成された穴であり、複数のピン部材４１３がそれぞれ挿入可能な複数の挿入穴４２３（４２３ａ，４２３ｂ，４２３ｃ，４２３ｄ）と、を有する。
【０２８５】
凹部４２２は、突出部４１２における所定の凹凸を有する形状が挿入可能な形状に形成されている。複数の挿入穴４２３は、凹部４２２の周囲に配置され、凹部４２２に突出部４１２が挿入され位置決めされた状態において、第１部材４１０の複数のピン部材４１３がそれぞれ挿入可能な位置に形成されている。図４７（ｂ）に示す例では、複数の挿入穴４２３は、図４７（ａ）に示す例の複数のピン部材４１３の位置と左右対称の位置に、それぞれ配置されている。
【０２８６】
突出部４１２の６ヶ所の凹部には、コンタクトピンが圧着されて接続された導線が接続された接点部材４１４ａ〜４１４ｆが配置され、凹部４２２の６ヶ所の凹部にもコンタクトピンが圧着されて接続された導線が接続された接点部材４２４ａ〜４２４ｆが配置され、突出部４１２と凹部４２２とが嵌合されることで、接点部材４１４ａ〜４１４ｆと接点部材４２４ａ〜４２４ｆとが接触することで電気的に接続され、例えば、メダルセレクタ３０１に電源が供給され、グランドが設けられ、メダルが通過したことを示すメダルカウント信号や、メダルセレクタ３０１のカメラユニット２０９（後述する図４０参照）におけるメダルの判定結果により、メダルが異常であったことを示すメダル異常信号等の通信が可能となる。
【０２８７】
また、複数のピン部材４１３及び複数のピン部材４１３に対応して設けられる複数の挿入穴４２３は、遊技機の分類に応じて、異なる位置に配置される。「遊技機の分類」とは、機種、筐体の種類、製造元、販売元、メダルセレクタやドア中継端子板の種類等が含まれる。なお、複数のピン部材４１３及び複数のピン部材４１３に対応して設けられる複数の挿入穴４２３は、配置される位置に限らず、遊技機の分類に応じて、数量を異ならせてもよい。
【０２８８】
また、第１部材４１０の平板部４１１及び突出部４１２と、第２部材４２０の凹部４２２が形成されている本体部４２１は、遊技機の分類に応じて、異なる色である。
【０２８９】
図４８及び図４９は、図４７に示すコネクタ４００の第１部材４１０と第２部材４２０とは別の態様を示す図である。図４８（ａ）及び図４９（ａ）は、第１部材４１０を、第２部材４２０と係合する方向から見た図である。図４８（ｂ）及び図４９（ｂ）は、第２部材４２０を、第１部材４１０と係合する方向から見た図である。
【０２９０】
図４８に示す例は、図４７に示すパチスロ１とは異なる分類の遊技機に取り付けられるものであり、図４７に示すコネクタ４００とは、ピン部材４１３ａ及び挿入穴４２３ａの位置が異なるとともに、第１部材４１０の平板部４１１及び突出部４１２と、第２部材４２０の凹部４２２が形成されている本体部４２１の色が異なる。
【０２９１】
図４９に示す例は、図４７に示すパチスロ１や図４８に示す遊技機とは異なる分類の遊技機に取り付けられるものであり、図４７に示すコネクタ４００とは、ピン部材４１３ｃ，４１３ｄ及び挿入穴４２３ｃ，４２３ｄの位置が異なるとともに、第１部材４１０の平板部４１１及び突出部４１２と、第２部材４２０の凹部４２２が形成されている本体部４２１の色が異なる。
【０２９２】
このように遊技機の分類に応じて、複数のピン部材４１３及び複数のピン部材４１３に対応して設けられる複数の挿入穴４２３が異なるコネクタ４００は、メダルセレクタに限らず、遊技機内部に設けられている他の電気機器同士の接続に用いてもよい。例えば、このような他の電気機器同士の接続として、ホッパー装置５１（図２７参照）とキャビネット側中継基板４４（図２７参照）との接続に用いてもよい。この場合、コネクタ４００は、例えば、第１部材４１０がホッパー装置５１に接続され、第２部材４２０がキャビネット側中継基板４４に接続される。
【０２９３】
＜変形例に係るメダルセレクタの回路構成＞
次に、変形例に係るメダルセレクタ３０１の回路構成について、図５０を参照して説明する。
図５０は、メダルセレクタ３０１の回路構成例を示すブロック図である。変形例に係るメダルセレクタ３０１は、本実施形態のメダルセレクタ２０１（図３０参照）と、メダルソレノイドの構成が異なる。メダルセレクタ３０１は、カメラユニット２０９と、メダル選別ソレノイド３０８ａと、メダル受付ソレノイド３０８ｂと、を備えている。また、メダルセレクタ３０１は、メダルセレクタ２０１と同様に、ドア中継端子板６８を介して、主制御基板７１に接続されている。即ち、メダルセレクタ３０１は、主制御回路９１と電気的に接続されている。このため、主制御回路９１は、メダルセレクタ３０１のメダル受付ソレノイド３０８ｂをＯＮ状態又はＯＦＦ状態に設定することができる。
【０２９４】
主制御回路９１は、所定の遊技媒体投入条件（例えば、クレジットカウンタが最大値（例えば、５０）より小さい、遊技が実行中ではない、主制御回路９１で何らかのエラーを検知していない等）が成立した場合に、メダル受付ソレノイド３０８ｂによる投入受付を許可する制御信号を出力する。メダル受付ソレノイド３０８ｂは、投入受付を許可する制御信号が入力された場合にＯＮ状態となる（メダル受付用メダルプレッシャ２１３ｂの先端部がメダルレール２１０内から引っ込んだ状態となり、メダルを受け付ける。）。一方、メダル受付ソレノイド３０８ｂは、投入受付を許可する制御信号を受信していない場合にはＯＦＦ状態となる（メダル受付用メダルプレッシャ２１３ｂの先端部がメダルレール２１０内に突出し、メダルをはじく。）。
【０２９５】
このように、主制御回路９１は、所定の遊技媒体投入条件が成立した場合に、遊技媒体受付手段による投入受付を許可する制御信号を出力する制御手段として機能する。また、メダル受付ソレノイド３０８ｂは、本実施形態のメダルソレノイド２０８と同様に制御される。このようなメダル受付ソレノイド３０８ｂは、制御手段の一例である主制御回路９１によって制御され、遊技媒体の投入受付を制御する遊技媒体受付手段の一例として機能する。なお、パチスロ１に電力が供給されていない状態やメダルセレクタ３０１に電力が供給されていない状態、及び、遊技媒体投入条件が成立していない状態では、メダル受付用メダルプレッシャ２１３ｂの先端部がメダルレール２１０から突出した状態となる。
【０２９６】
メダル選別ソレノイド３０８ａは、カメラユニット２０９の制御ＬＳＩ２３４により、ＯＮ状態又はＯＦＦ状態が制御される。具体的には、カメラユニット２０９は、遊技者に投入されメダルレール２１０を通過するメダルと複数の判定用孔３１２（図４１参照）をＣＭＯＳイメージセンサ２３２により撮像し、撮像した画像データを制御ＬＳＩ２３４に出力する。制御ＬＳＩ２３４は、本実施形態で説明した制御により、ＣＭＯＳイメージセンサ２３２から出力された画像データに基づき、色判定処理や刻印判定処理を行い、画像データのメダルが、予め定められた正規メダルと一致するか否かを判別する。そして、制御ＬＳＩ２３４は、当該メダルが正規メダルと一致しないと判別した場合には、メダル選別ソレノイド３０８ａに、メダルを排除する制御信号を出力する。メダル選別ソレノイド３０８ａは、メダルを排除する制御信号が入力された場合にＯＮ状態となる（メダル選別用メダルプレッシャ２１３ａの先端部がメダルレール２１０内に突出し、メダルをはじく。）。一方、制御ＬＳＩ２３４は、当該メダルが正規メダルと一致すると判別した場合には、メダル選別ソレノイド３０８ａに、メダルを受け入れる制御信号を出力する。メダル選別ソレノイド３０８ａは、メダルを受け入れる制御信号が入力された場合にＯＦＦ状態となる（メダル選別用メダルプレッシャ２１３ａの先端部がメダルレール２１０内から引っ込んだ状態となり、メダルを受け入れる。）。なお、パチスロ１に電力が供給されていない状態やメダルセレクタ３０１に電力が供給されていない状態、及び、制御ＬＳＩ２３４が投入されたメダルを正規メダルと一致すると判別した場合には、メダル選別用メダルプレッシャ２１３ａの先端部はメダルレール２１０内から引っ込んだ状態となる。
【０２９７】
このように、メダル選別ソレノイド３０８ａは、投入された遊技媒体を選別する遊技媒体選別手段の一例として機能する。また、制御ＬＳＩ２３４は、遊技媒体を判別して遊技媒体選別手段を制御する判定選別制御手段の一例として機能する。また、制御ＬＳＩ２３４は、投入された遊技媒体が予め定められた遊技媒体と一致しない場合には、遊技媒体選別手段に遊技媒体を排除する制御信号を出力し、投入された遊技媒体が予め定められた遊技媒体と一致する場合には、遊技媒体選別手段に遊技媒体を受け入れる制御信号を出力することで、遊技媒体を選別する判定選別制御手段の一例として機能する。また、メダル選別ソレノイド３０８ａは、判定選別制御手段から遊技媒体を排除する制御信号が入力された場合に駆動し、選別用可動手段の先端部を、経路内に形成された選別用孔から、経路内に突出させる遊技媒体選別手段の一例として機能する。なお、本変形例では、投入されたメダルを必ず判定してメダル選別ソレノイド３０８ａにより選別を行っているが、例えば、メダルセレクタ３０１の回路に、制御ＬＳＩ２３４が、メダルを判定するか否かの設定スイッチを設け、設定スイッチがＯＮ状態の場合に投入されたメダルの判別を行うようにしてもよい。
【０２９８】
また、カメラユニット２０９は、サブプレート３０５のサブプレート状態検知用孔３２１ｃ（図４４及び図４５参照）をＣＭＯＳイメージセンサ２３２により撮像し、撮像した画像データを制御ＬＳＩ２３４に出力する。制御ＬＳＩ２３４は、本実施形態で説明した制御により、ＣＭＯＳイメージセンサ２３２から出力された画像データに基づき、色判定処理を行い、サブプレート状態検知用孔３２１ｃに第２の導光体２６２（図４４及び図４５参照）からの光の反射でサブプレート状態検知用孔３２１ｃの形状が撮像されているか否かを判断する。制御ＬＳＩ２３４は、例えば、所定時間継続して、サブプレート状態検知用孔３２１ｃに第２の導光体２６２からの光の反射でサブプレート状態検知用孔３２１ｃの形状が撮像されていない（例えば、サブプレート状態検知用孔３２１ｃが撮像されていない、撮像されているが孔の形状又は位置が異なる）と判断した場合には、サブプレート３０５が回動した状態となっていることを示す信号を、主制御回路９１に出力してもよく、主制御回路９１は、遊技媒体投入条件にサブプレート３０５の状態を示す信号を含めてもよい。このようなカメラユニット２０９は、孔における照射手段からの光の反射によって、補助部材が回動しているか否かを判断する撮像手段の一例として機能する。
【０２９９】
次に、変形例の作用効果について説明する。
カメラユニット２０９は、ベース板部３０４を通過する遊技媒体を撮像するときに、遊技媒体とともにベース板部３０４の複数の判定用孔３１２も撮像する。例えば、カメラユニット２０９が、ベース板部３０４の表面を通過する遊技媒体を、この通過する遊技媒体側から撮像した場合、複数の判定用孔３１２は部分的に撮像される。カメラユニット２０９は、撮像された複数の判定用孔３１２の部分を判別することで、遊技媒体の通過を判定できる。このとき、複数の判定用孔３１２に反射防止シートが設けられていた場合や、遮蔽部材３１２ａが設けられておらず、撮像された画像において、ベース板部３０４の裏側（遊技媒体が通過する面と反対側）に配設された部材が判定用孔３１２の中に写り込んだ場合、第１の導光体２６１等からの光が乱反射してしまい、判定用孔３１２とベース板部３０４の他の部分との識別が困難な画像となる。本変形例によれば、複数の判定用孔３１２に応じて、第１の導光体２６１等からの光を反射する遮蔽部材３１２ａを設けたので、カメラユニット２０９により撮像された画像において、第１の導光体２６１等からの光が、複数の判定用孔３１２において、ベース板部３０４の他の部分と比べ一定の反射をすることで、この他の部分と比べ輝度が高くなり、複数の判定用孔３１２の形状がより明確に撮像できるので、複数の判定用孔３１２の判別精度が向上する。
したがって、遊技媒体の判定精度を向上することで、遊技機に正規の遊技媒体が用いられていると誤認させて遊技を行う不正行為を高精度に検知可能な遊技機を提供できる。
【０３００】
また、遮蔽部材３１２ａをカメラユニット２０９の非撮像面側に貼付したので、ベース板部３０４におけるカメラユニット２０９による撮像面側から貼付した場合に比べ、複数の判定用孔３１２の輪郭が明確になり、より複数の判定用孔３１２の判別精度が向上する。また、ベース板部３０４におけるカメラユニット２０９による撮像面側を通過する遊技媒体が、遮蔽部材３１２ａに接触し遊技媒体の通過を妨げ、遊技媒体が詰まってしまうのを防止できる。
【０３０１】
また、ベース板部３０４の上流側の判定用孔３１２よりも下流側の判定用孔３１２を、遊技媒体が通過する進行方向に対して短くしたので、遊技媒体の通過速度が比較的遅くなる、ベース板部３０４の下流側の判定用孔３１２を、上流側の判定用孔３１２より、遊技媒体が通過する進行方向に対して短くしたことで、遊技媒体を判定用孔３１２とともに撮像する精度を低下させることなく、省スペース化が可能となる。また、ベース板部３０４の上流側の判定用孔３１２を、下流側の判定用孔３１２より、遊技媒体が通過する進行方向に対して長くしたことで、遊技媒体の通過速度が比較的速い上流側でも、確実に遊技媒体を判定用孔３１２とともに撮像することが可能となり、遊技媒体の判定処理の精度が向上する。
【０３０２】
また、例えば、遊技媒体がホッパー装置５１に向かう寸前でも、遊技媒体を前記ホッパー装置５１に導かない場合には、第１誘導部３２１ａにより、ホッパー装置５１に導く方向とは異なる方向（例えば、メダルトレイユニット３４の方向）に遊技媒体をスムーズに導くことができるとともに、第２誘導部３２１ｂを形成したので、メダルトレイユニット３４へ遊技媒体をスムーズに導くことができる。これにより、例えば、ベース板部３０４を通過する遊技媒体を撮像した画像の画像処理による判定（例えば、刻印判定及び色判定等）により、正規メダルか否かを判定し、この判定の結果により、ホッパー装置５１又はメダルトレイユニット３４にスムーズに導くことができるので、ベース板部３０４を通過する遊技媒体が詰まり、遊技媒体の判定精度が低下するのを防止できる。
したがって、遊技媒体の判定精度を向上することで、遊技機に正規の遊技媒体が用いられていると誤認させて遊技を行う不正行為を高精度に検知可能な遊技機を提供できる。
【０３０３】
また、遊技媒体をホッパー装置５１に導かない場合、遊技媒体は、メダルレール２１０から一旦落下し、落下する方向に勢いが付いた状態で、傾斜面に当接し、下方に設けられたメダルトレイユニット３４に導かれるので、遊技媒体がメダルレール２１０を通過する方向と直交する方向に、遊技媒体を倒さずに落下させることができる。このため、例えば、メダルレール２１０を通過する方向と直交する方向から遊技媒体を撮像し、撮像した画像の画像処理による判定を行う場合に、メダルレール２１０から落下した遊技媒体が倒れていないので、この落下した遊技媒体が正常にメダルトレイユニット３４の方向に移動しているかを正確に判断できる。
【０３０４】
また、サブプレート３０５の第１誘導部３２１ａが、ホッパー装置５１に遊技媒体を導くためのスロープ２０３に向かって傾斜する傾斜面を有することで、スロープ２０３の入口において遊技媒体が滞留し、スロープ２０３の入口に遊技媒体が詰まってしまうのを防止できる。
【０３０５】
また、所定の遊技媒体投入条件が成立したか否かにより、遊技媒体の投入受付の可否を行う主制御回路９１に加え、投入された遊技媒体が予め定められた遊技媒体と一致するか否かにより、投入された遊技媒体を排除又は受け入れる。これにより、遊技に関する制御を行う主制御回路９１で遊技媒体の投入可又は不可を行う従来のセレクタ機能とは別に、メダルセレクタ３０１において、投入された遊技媒体の有効性を判断して、メダル選別ソレノイド３０８ａにより不正な遊技媒体を排除することが可能であるため、ゴト行為を排除することが可能となる。
したがって、遊技媒体の受付の可否とは別に、不正行為による遊技媒体を選別することで、遊技機に正規の遊技媒体が用いられていると誤認させて遊技を行う不正行為を高精度に検知可能な遊技機を提供できる。
【０３０６】
また、遊技媒体が通過するメダルレール２１０から遊技媒体を排除するための構成（不正行為による遊技媒体を選別するための構成）を、このメダルレール２１０が形成されている面の裏面に設けたので、このような構成をメダルレール２１０が形成されているベース板部３０４とは別に設けた場合に比べ、メダルセレクタ３０１を小型化することができる。また、メダル選別ソレノイド３０８ａを、遊技媒体を排除する制御信号を受信した場合に駆動させ、メダル選別用メダルプレッシャ２１３ａの先端部をメダルレール２１０内に突出させることで、メダル選別ソレノイド３０８ａを常時駆動させてメダル選別用メダルプレッシャ２１３ａを可動させる場合に比べ、メダルセレクタ３０１の消費電力を低減できる。
【０３０７】
また、メダル受付ソレノイド３０８ｂは、ベース板部３０４の遊技媒体が通過する通過方向に対して、メダル選別ソレノイド３０８ａが遊技媒体を選別する位置より上流側で、遊技媒体を排除する。このため、メダル選別ソレノイド３０８ａは、メダル受付ソレノイド３０８ｂが遊技媒体を排除する位置より、下流側で、遊技媒体を選別することができるので、メダル受付ソレノイド３０８ｂが遊技媒体を排除する位置より上流側で遊技媒体を選別する場合に比べ、制御ＬＳＩ２３４が遊技媒体を判別する処理時間を長くとることが可能となる。よって、制御ＬＳＩ２３４における判別する処理の負荷を軽減できる。
【０３０８】
また、メダルセレクタ３０１は、サブプレート３０５が回動した状態では、ベース板部３０４のメダルレール２１０から遊技媒体が落下する。そして、サブプレート３０５が回動していない状態では、サブプレート３０５の複数のサブプレート状態検知用孔３２１ｃにおいて、第２の導光体２６２等からの光が反射し、サブプレート３０５が回動した状態では、第２の導光体２６２等からの光はサブプレート３０５が回動していない状態の場合とは異なる反射となる。このような第２の導光体２６２等からの光の反射によって、カメラユニット２０９は、サブプレート３０５が回動しているか否かを判断する。
【０３０９】
これにより、サブプレート３０５が回動し、遊技媒体がメダルレール２１０から落下する状態であるか否か（遊技媒体を受付可能な状態か否か）を判断できる。例えば、継続してサブプレート３０５が回動した状態である場合や、サブプレート３０５が回動し、遊技媒体がメダルレール２１０から落下する状態であるにもかかわらず、遊技媒体が受付された場合には、不正行為が行われている可能性が高い。したがって、遊技媒体を受付可能な状態か否かを判断することで、遊技機に正規の遊技媒体が用いられていると誤認させて遊技を行う不正行為を高精度に検知可能な遊技機を提供できる。
【０３１０】
また、カメラユニット２０９は、撮像した所定領域の画像を画像処理することで、サブプレート３０５が回動していない状態（サブプレート状態検知用孔３２１ｃにおいて光が反射された状態）の画像と、サブプレート３０５が回動した状態（サブプレート状態検知用孔３２１ｃにおいて光が反射されていない状態）の画像と、の違いがより明確になり、サブプレート３０５が回動しているか否かの判断の精度が向上する。したがって、遊技媒体を受付可能な状態か否かをより正確に判断することで、遊技機に正規の遊技媒体が用いられていると誤認させて遊技を行う不正行為を高精度に検知可能な遊技機を提供できる。
【０３１１】
また、遊技機において、遊技媒体の投入を検出するメダルセレクタ３０１とドア中継端子板６８等とを電気的に接続するコネクタ４００の複数のピン部材４１３及び複数の挿入穴４２３を、遊技機の分類（例えば、機種等）に応じて、異なる位置に配置する。これにより、ある遊技機に取り付けられている第１部材４１０には、他の分類の遊技機の第２部材４２０を取り付けても、互いに係合しない。このため、仮に、組立中の遊技機とは分類が異なる第１部材４１０又は第２部材４２０を取り付けても、第１部材４１０と第２部材４２０とが係合しないので、誤ったコネクタ４００が取り付けられていることが即座に分かる。
したがって、遊技機に正規の遊技媒体が用いられていると誤認させて遊技を行う不正行為を高精度に検知するための装置を遊技機に取り付ける際に発生するヒューマンエラーを防止できる接続部材を提供できる。
【０３１２】
また、遊技機において、遊技媒体を貯留及び該貯留した遊技媒体を排出するホッパー装置５１とドア中継端子板６８等とを電気的に接続するコネクタ４００の複数のピン部材４１３及び複数の挿入穴４２３を、遊技機の分類（例えば、機種等）に応じて、異なる位置に配置する。これにより、ある遊技機に取り付けられている第１部材４１０には、他の分類の遊技機の第２部材４２０を取り付けても、互いに係合しない。このため、仮に、組立中の遊技機とは分類が異なる第１部材４１０又は第２部材４２０を取り付けても、第１部材４１０と第２部材４２０とが係合しないので、誤ったコネクタ４００が取り付けられていることが即座に分かる。
したがって、遊技機に正規の遊技媒体が用いられていると誤認させて遊技を行う不正行為を高精度に検知するための装置を備える遊技機に、ホッパー装置５１を取り付ける際に発生するヒューマンエラーを防止できる接続部材を提供できる。
【０３１３】
また、突出部４１２及び凹部４２２の色により、組立中の遊技機の分類に適合しているコネクタ４００であるか否かが分かる。また、仮に、組立中の遊技機とは分類が異なる第１部材４１０又は第２部材４２０を取り付けていた場合でも、これらを互いに係合させるまでもなく、色が違っているのを見るだけでで、誤ったコネクタ４００が取り付けられていることが即座に分かる。
したがって、遊技機に正規の遊技媒体が用いられていると誤認させて遊技を行う不正行為を高精度に検知するための装置を遊技機に取り付ける際に発生するヒューマンエラーをより確実に防止できる接続部材を提供できる。
【０３１４】
［本発明の一実施形態の応用例１］
次に、本発明の一実施形態の応用例１に係る遊技用装置５００について説明する。
遊技用装置５００は、ホールに設置されるメダル計数機であり、例えば、複数のパチスロ１が配列された島の端部に設けられ、上記実施形態に係るメダルセレクタ２０１（図７参照）又は上記変形例に係るメダルセレクタ３０１（図４１参照）を備える。
【０３１５】
図５１は、本発明の実施形態の応用例１に係る遊技用装置５００を上面から見た平面図である。図５１に示すように、遊技用装置５００は、投入されたメダル（遊技媒体）を貯留する、すり鉢状の凹部が形成されたホッパ５４３（遊技媒体貯留手段）を備えている。ホッパ５４３の下部には、投入したメダルの一つ一つをメダル受穴５２４に落とし込み、当該メダル受穴５２４を偏芯回転させる受穴付回転盤５２６を備えている。受穴付回転盤５２６は、計数開始スイッチ５４１を押下することによってその回転を開始する。受穴付回転盤５２６のメダル受穴５２４に入ったメダルは、受穴付回転盤５２６の回転に伴ってホッパ５４３の下部から排出され、ホッパ５４３の下方に設けられたメダルセレクタ２０１又はメダルセレクタ３０１により、正規のもののみ検出され、メダルセレクタ２０１又はメダルセレクタ３０１からのメダルカウント信号に基づき計数機５４９（遊技媒体計数手段）のメダル検出部５４４及び計数機制御手段５４２により検出、計数されて、貯留される。
【０３１６】
遊技用装置５００の上面には、投入したメダルを計数した枚数を表示する投入枚数表示部５４０ａと、投入したメダルのうちレシート（記録媒体の一形態。）に印刷する枚数を設定する際に押下するレシート印刷枚数設定スイッチ５３４ｒと、前記設定したレシート印刷枚数を表示するレシート印刷枚数表示部５４０ｂと、投入したメダルのうち貯メダルカード（記録媒体の一形態。）に記録する貯メダル数を設定する際に押下するカード記録枚数設定スイッチ５３４ｃと、前記設定したカード記録枚数を表示するカード記録枚数表示部５４０ｃと、を備えている。
【０３１７】
また、遊技用装置５００の上面には、投入したメダルのうちレシートに印刷する枚数や、貯メダルカードに記録する貯メダル数を設定する０〜９までの数字スイッチ（入力手段５３４の一形態。）と、入力した枚数を修正する際に押下して直前に入力した数値を消去するＢＳスイッチとが配されている。また遊技用装置５００の上面には、前記各メダルの枚数を設定した後に、レシートに印刷する処理、貯メダルカードに記録する処理の実行を指示するエントリースイッチ５３４ｅが配置されている。
【０３１８】
また、遊技用装置５００は、磁気記録式又はＩＣタグを内蔵した貯メダルカードに対して貯メダル数を読み書きしたり、遊技者を識別する固有の識別情報（カードＩＤ）を読み取るカードリーダライタ５３７（記録媒体制御手段の一形態。）と、レシートの用紙にメダル枚数やバーコード、又は二次元バーコードを印刷して出力するレシート印刷手段５３９（記録媒体制御手段の一形態。）と、メダルセレクタ２０１又はメダルセレクタ３０１により正規のメダルでないメダルとして検出されたメダルを貯留するメダル受皿５１７と、を備えている。
【０３１９】
このようなメダルセレクタ２０１又はメダルセレクタ３０１を備える遊技用装置５００によれば、上記実施形態又は上記変形例と同様の作用効果を奏する。
【０３２０】
［本発明の一実施形態の応用例２］
次に、本発明の一実施形態の応用例に係る遊技用装置６００について説明する。
遊技用装置６００は、ホールにおいて、各パチスロ１に併設され、隣接するパチスロ１に対応して設置されており、対応する当該パチスロ１との間で通信可能に接続されるメダル計数機であり、上記実施形態に係るメダルセレクタ２０１（図７参照）又は上記変形例に係るメダルセレクタ３０１（図４１参照）を備える。
【０３２１】
図５２は、本発明の実施形態の応用例１に係る遊技用装置６００の内部構成を示す斜視図である。図５２に示すように、遊技用装置６００の前面部６２１には、ＬＥＤ（light  emitting  diode）部６３１、カード挿入口６３２、紙幣を投入可能な紙幣挿入口６３３、タッチパネルＬＣＤ(liquid  crystal  display)により構成された操作ユニット６３４、カメラ６３５、非接触ＩＣカードリーダライタ６３６、メダル（遊技媒体）払出トレー６３７、スピーカカバー６３８、メダル（遊技媒体）計数用投入口６３９等が設けられている。カード挿入口６３２は、例えばホールのカード発行機（図示せず）によって発行された情報カードを受け付け可能な挿入口である。ＬＥＤ部６３１は、フルカラーＬＥＤ６３１Ａ、赤外ＬＥＤ（赤外線発光ダイオード）６３１Ｂから構成されている。
【０３２２】
遊技者は、情報カード又は所定金額の紙幣を、カード挿入口６３２又は紙幣挿入口６３３に投入することで、遊技に必要な遊技媒体としてのメダルの貸し出しを受けることができる。また、遊技者は、非接触ＩＣカードを、非接触ＩＣカードリーダライタ６３６にかざすことで、遊技に必要なメダルの貸し出しを受けることができる。
【０３２３】
遊技用装置６００は、情報カード、紙幣及びＩＣカードといった価値媒体の投入を受けると、投入された価値媒体の金額に応じた数のメダルを、内部に設けられた払出用ホッパ（第１の計数部）６５１によって計数してメダル払出トレー６３７から払い出す。遊技者は、メダル払出トレー６３７から払い出されたメダルをパチスロ１のメダル投入口２１（図２参照）へ投入することにより、パチスロ１において遊技を行うことができる。
【０３２４】
また、パチスロ１においては、遊技の結果に応じて、メダルトレイユニット３４にメダルを払い出すようになされている。遊技者は、このメダルをメダルトレイユニット３４から掬い取って、遊技用装置６００のメダル計数用投入口６３９へ投入することにより、このメダルを遊技用装置６００によって計数させることができる。遊技用装置６００は、メダル計数用投入口６３９から投入されたメダルを、内部に設けられた計数用ホッパ（第２の計数部）によって計数する。
【０３２５】
計数された結果は、カード挿入口６３２から挿入されたカードに記録され、又は、ホールコンピュータに設けられた記憶部に記憶される。
【０３２６】
計数用ホッパにおいて計数されたメダルは、遊技用装置６００の底面部に設けられた排出口から搬送コンベアに排出され、回収される。なお、搬送コンベアが設けられていない場所では、遊技用装置６００の下部にメダルを貯留するための貯留ボックスを設置し、この貯留ボックスへメダルを排出するようにしてもよい。
【０３２７】
遊技用装置６００は、筐体６２２の内部に、情報カード、紙幣、非接触ＩＣカード等の価値媒体を識別する識別手段（情報カードリーダ、紙幣識別装置６６１、ＩＣカードリーダライタ等）と、電源ユニット６６５とを収納する第１の収納空間ＡＲ１１を有している。また、第１の収納空間ＡＲ１１の下方には、払出用ホッパ６５１と計数用ホッパ６７１とを上下に併設して収納する第２の収納空間ＡＲ１３を有している。第１の収納空間ＡＲ１１には、上部に識別手段（情報カードリーダ、紙幣識別装置６６１、ＩＣカードリーダライタ等）が収納され、下部に電源ユニット６６５が収納されている。すなわち、第１の収納空間ＡＲ１１の下部は、電源ユニット６６５を収納する電源ユニット収納空間ＡＲ１２を形成している。
【０３２８】
第１の収納領域ＡＲ１１の下方の第２の収納空間ＡＲ１３に収納された払出用ホッパ６５１は、その上部において筐体６２２の背面部に設けられた補給用開口部６５２を介して、ホールからの補給路によりメダルが補給されるようになっている。この補給用開口部６５２と払出用ホッパ６５１との間には、補給通路６５３が設けられており、補給用開口部６５２から補給されたメダルは、補給通路６５３を介して払出用ホッパ６５１に落下する。
【０３２９】
一方、筐体６２２の前面部６２１に設けられたメダル計数用投入口６３９と計数用ホッパ６７１との間には、導入通路６７２が設けられたおり、メダル計数用投入口６３９から投入されたメダルは、この導入通路６７２を介して計数用ホッパ６７１に落下する（矢印ａ）。計数用ホッパ６７１には、不正なメダルを排除するセレクタ２０１又はメダルセレクタ３０１と、メダルを計数する計数手段と、が設けられている。メダル計数用投入口６３９から投入されたメダルは、セレクタ２０１又はメダルセレクタ３０１により、正規のメダルのみ検出され、正規のメダルのみが計数手段により計数され、筐体６２２の底面部に設けられた排出口６７３から搬送コンベアに排出され（矢印ｂ）、回収される。
【０３３０】
遊技用装置６００の前面部６２１には、前面パネル６２３が設けられており、この前面パネル６２３には、スピーカカバー６３８が設けられている。このスピーカカバー６３８は、前面パネル６２３（スピーカカバー６３８）の裏面側に設けられたスピーカからの音を前方に透過させる複数の透過口を有している。
【０３３１】
図５３は、本発明の実施形態の応用例２に係る計数用ホッパ６７１の断面図である。図５３に示すように、計数用ホッパ６７１のメダル通路６７６の前面部にはメダルを受けるための開口部６７５が設けられており、この開口部６７５には、外部からメダルを投入するためのメダル計数用投入口６３９（図５２参照）が取り付けられる。これにより、メダル計数用投入口６３９へ投入されたメダルは、開口部６７５及びメダル通路６７６を介して計数用ホッパ６７１へ導かれる。計数用ホッパ６７１へ導かれたメダルは、セレクタ２０１又はメダルセレクタ３０１により、正規のもののみ検出され、メダルセレクタ２０１又はメダルセレクタ３０１からのメダルカウント信号に基づき計数手段により計数され、計数用ホッパ６７１の底面部に設けられた排出口６７４から筐体６２２の排出口６７３（図５２参照）を介して搬送コンベアに排出される。計数用ホッパ６７１の排出口６７４には、排出されるメダルをガイドするガイド部６７４Ａ、６７４Ｂが設けられており、このガイド部６７４Ａ、６７４Ｂによって、メダルの排出方向を斜め方向にすることができる。これにより、計数用ホッパ６７１の排出口から排出されるメダル（すなわち筐体６２２の排出口６７３（図３）から排出されるメダル）の排出方向を、遊技用装置６００の下方近傍に配された搬送コンベアの方向にすることができる。
【０３３２】
因みに、計数用ホッパ６７１の開口部６７５及びメダル計数用投入口６３９（図５２参照）の大きさは、遊技者の手が入り難い大きさとされている。メダル計数用投入口６３９には、前面パネル６２３（図５２参照）に併設して、板状のメダルガイド部材６２９（図５２参照）が固定されている。これにより、遊技者の手がメダル計数用投入口６３９から入り難くすることができる。
【０３３３】
また、開口部６７５にはフォトセンサ（図示せず）が設けられており、遊技者の手が入った場合にこれを検出するようになっている。これにより、遊技者の手が誤って挿入された場合、又は、不正により手が挿入された場合等に、フォトセンサによって検出し、計数用ホッパ６７１の動作を停止させることができる。なお、このフォトセンサの取り付け位置は、メダル計数用投入口６３９（図５２参照）及び開口部６７５を介して投入されるメダルを誤検出しない位置に設けられている。例えば、開口部６７５の上部の状態のみを検出するように設けることにより、開口部６７５の下方を滑り込むメダルは検出せずに、開口部６７５の上部まで入り込む遊技者の手だけを検出することができる。因みに、計数用ホッパ６７１には、メダルの投入を検出するためのセンサ（図示せず）も設けられている。
【０３３４】
このようなメダルセレクタ２０１又はメダルセレクタ３０１を備える遊技用装置６００によれば、上記実施形態又は上記変形例と同様の作用効果を奏する。
【０３３５】
［本発明の一実施形態の応用例３］
次に、本発明の一実施形態の応用例３に係る遊技用装置７００について説明する。
遊技用装置７００は、上記実施形態に係るメダルセレクタ２０１（図７参照）又は上記変形例に係るメダルセレクタ３０１（図４１参照）を備え、スタンドアローンで遊技媒体の選別のみを行うものであってもよいし、遊技媒体の数を計数するための装置（所謂、ジェットカウンタ、各台計数機）に接続、内蔵されるものであってもよいし、遊技機に内蔵されるものであってもよい。
【０３３６】
図５４は、本発明の一実施形態の応用例３に係る遊技用装置７００の内部構造例を示す斜視図である。
図５４に示すように、遊技用装置７００は、筐体Ｍ２と、筐体Ｍ２の上側に設けられ、選別対象となるメダルが収容される収容部Ｍ２１と、筐体Ｍ２の内部に配置され、投入されたメダルを１つずつ送り出す送り出し部としてのホッパ装置Ｍ２０と、メダルを選別する上記実施形態に係るメダルセレクタ２０１又は上記変形例に係るメダルセレクタ３０１と、ホッパ装置Ｍ２０から送り出されたメダルを受け入れてメダルセレクタ２０１（３０１）に案内する第１の案内部としてのガイド部材Ｍ４０と、を有している。上述のように、本応用例３では、２つのメダルセレクタ２０１（３０１）が設けられている。即ち、ホッパ装置Ｍ２０から２つのガイド部材Ｍ４０・Ｍ４０を介して、夫々２つのメダルセレクタ２０１（３０１）にメダルを供給するように構成されている。また、遊技用装置７００は、筐体Ｍ２内部の下側後方に電源ユニットＭ１０を有している。図示しないが、電源ユニットＭ１０は、ホッパ装置Ｍ２０やメダルセレクタ２０１（３０１）に電源を供給するように電気的に接続されている。
【０３３７】
また、２つのメダルセレクタ２０１（３０１）の下方には、２つのメダルセレクタ２０１（３０１）により、正規のメダルであると検知されたメダルを排出口に導く第１排出通路Ｍ５０が配置されている。また、２つのメダルセレクタ２０１（３０１）の下方には、２つのメダルセレクタ２０１（３０１）により、正規でないと判定されたメダルを通過させて下皿に案内する通路である第２排出通路Ｍ８・Ｍ８が夫々に配置されている。また、筐体Ｍ２内の底面には、第２排出通路Ｍ８・Ｍ８に対応する位置に、第２排出口Ｍ１１・Ｍ１１が形成されている。
【０３３８】
このようなメダルセレクタ２０１又はメダルセレクタ３０１を備える遊技用装置６００によれば、上記実施形態又は上記変形例と同様の作用効果を奏する。
【０３３９】
以上、本実施形態の変形例及び応用例１〜３について説明したが、本実施形態の各構成と変形例の各構成と応用例１〜３各構成とは、矛盾が無い限り、任意に組み合わせることができる。
【０３４０】
［付記１］
付記１の遊技機は以下の通りである。
［背景技術］
【０３４１】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０３４２】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０３４３】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０３４４】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０３４５】
［特許文献１］特開２００２−３４２８１４号公報
［発明の概要］
［発明が解決しようとする課題］
【０３４６】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０３４７】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０３４８】
本発明は、上記課題を解決するためになされたものであり、本発明の目的は、遊技機に正規の遊技媒体が用いられていると誤認させて遊技を行う不正行為を検知することができる遊技機を提供することにある。
［課題を解決するための手段］
【０３４９】
上記目的を達成するために、本発明は、以下のような構成の遊技機を提供する。
【０３５０】
遊技媒体を投入する投入口（例えば、後述のメダル投入口２１）と、前記投入口から投入された遊技媒体を検出する遊技媒体検出手段（例えば、後述のメダルセレクタ２０１）と、前記遊技媒体検出手段による前記遊技媒体の検出に基づいて遊技者による開始操作を検出する開始操作検出手段（例えば、後述のスタートスイッチ７９）と、前記開始操作検出手段による開始操作の検出に基づいて予め定められた確率で内部当籤役を決定する内部当籤役決定手段（例えば、後述の内部抽籤処理を行う主制御回路９１）と、複数の表示列によって構成され、前記開始操作検出手段による開始操作の検出に基づいて、遊技に必要な図柄を変動表示する変動表示手段（例えば、後述の３つのリール３Ｌ，３Ｃ，３Ｒ及びステッピングモータ）と、遊技者による停止操作の検出を行う停止操作検出手段（例えば、後述のストップスイッチ）と、前記内部当籤役決定手段の決定結果と前記停止操作検出手段による停止操作の検出とに基づいて、前記図柄の変動表示を停止させる停止制御手段（例えば、後述のリール停止制御処理を行う主制御回路９１）と、前記複数の表示列における前記変動表示の停止により、前記複数の表示列に亘って延びる入賞判定ラインに沿って表示された図柄組合せに基づいて所定の特典（例えば、後述のメダルの払い出し）を付与する特典付与手段（例えば、後述の主制御回路９１）と、を備え、前記遊技媒体検出手段は、前記遊技媒体が通過する通路を形成する通路形成部（例えば、後述のメダルレール２１０）と、前記通路を通過する物体である通過物体を撮像する撮像手段（例えば、後述のＣＭＯＳイメージセンサ２３２）と、前記撮像手段が撮像した前記通過物体の画像データである通過物体画像データに基づいて前記通路を前記遊技媒体が通過したか否かを判定する通過判定手段（例えば、後述のカウント処理を実行する制御ＬＳＩ２３４）と、前記通過物体画像データに基づいて、前記通過物体の色調が所定の遊技媒体の色調であるか否かを判定する色調判定手段（例えば、後述の色判定処理を実行する制御ＬＳＩ２３４）と、前記通過物体画像データに基づいて、前記通過物体の模様が前記所定の遊技媒体の模様であるか否かを判定する模様判定処理を行う模様判定手段（例えば、後述の刻印判定処理を実行する制御ＬＳＩ２３４）と、を備えたことを特徴とする遊技機。
【０３５１】
また、上記構成の遊技機において、前記遊技媒体検出手段は、予め撮像した前記所定の遊技媒体の画像データを複数の角度で回転させて作成した複数の回転画像データを積算したテンプレートデータを記憶する記憶手段（例えば、後述のフラッシュメモリ２４４）を備え、前記模様判定手段は、前記模様判定処理において、前記通過物体画像データを複数の角度で回転させて作成した複数の回転通過遊技媒体画像データを積算した比較対象データを作成し、前記比較対象データと前記テンプレートデータとを比較し、比較結果が所定の閾値の範囲内であれば前記通過物体の模様が前記所定の遊技媒体の模様であると判定し、前記所定の閾値の範囲外であれば前記通過物体の模様が前記所定の遊技媒体の模様でないと判定してもよい。
【０３５２】
また、上記構成の遊技機において、前記遊技媒体検出手段は、前記通過物体画像データを前記通過判定手段、前記色調判定手段及び前記模様判定手段のそれぞれで行う判定に対応した画像データに加工する画像データ加工手段（例えば、後述のＩＳＰ回路２４５）を備えてもよい。
［発明の効果］
【０３５３】
本発明によれば、遊技機に正規の遊技媒体が用いられていると誤認させて遊技を行う不正行為を検知することができる。
【０３５４】
［付記２］
付記２の遊技機は以下の通りである。
［背景技術］
【０３５５】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０３５６】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０３５７】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０３５８】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０３５９】
［特許文献１］特開２００２−３４２８１４号公報
［特許文献２］特開２００６−２７１４６２号公報
［発明の概要］
［発明が解決しようとする課題］
【０３６０】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０３６１】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、遊技機に使用されているようなメダルは、表面が銀色又は金色にメッキされているものが一般的であり、定期的に洗浄（磨き）されているため、光が当たるとメダルの刻印で不規則に乱反射するので、イメージセンサやカメラを使用した画像処理では、その乱反射のために正確な画像を撮影するのが困難となる。
【０３６２】
本発明の目的は、遊技機に正規の遊技媒体が用いられていると誤認させて遊技を行う不正行為を高精度に検知するために、包囲状に光りを照射することで乱反射を抑止して遊技媒体の高精度の画像を撮影するための光源を提供することのできる遊技機を提供することにある。
［課題を解決するための手段］
【０３６３】
上記目的を達成するために、本発明は、以下のような構成の遊技機を提供する。各構成要素が実施形態と対応する要素を括弧内に記載するが、本発明の構成はこれに限定されるものではない。
【０３６４】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光のための光源（例えば、ＬＥＤ群２３３）と、撮像タイミングに応じて前記光源を駆動制御する駆動制御手段（例えば、ＬＥＤ駆動部２５２）と、を有し、前記導光体は、少なくとも一つの開放端部（例えば、端部２６５ａ）と、前記撮像手段による撮像領域を囲む照射面（例えば、外側面２６１ａ）と、を有し、前記光源は前記開放端部に配置されたことを特徴とする遊技機である。
【０３６５】
第１形態によれば、撮像タイミングに応じて光源を駆動制御することにより、導入光による照射光によって、撮像手段による通過物体画像データを取得可能にして媒体判定手段による判定処理を円滑に行うことができる。しかも、導光体は、少なくとも一つの開放端部と、撮像手段による撮像領域を囲む照射面を有し、光源は開放端部に配置されているので、撮像領域を略長円形等のリング様に囲むように導入光を均一照射することができる。したがって、遊技媒体のエッジや輪郭、刻印等の模様、色彩などを確実に撮像でき、正確な撮像データに基づいた高精度の判定処理を行える遊技機を実現することができる。すなわち、リング様に均一な照射光を照射可能になるので、通過遊技媒体の反射による光源の映り込み、つまり一次反射のハレーションを発生させず、被写体（通過遊技媒体）から正確な撮像データを得ることができ、高精度の判定処理、殊に、遊技媒体の刻印や輪郭の判定処理を行える遊技機を実現することができる。
【０３６６】
本発明に係る第２形態は、前記導光体は、それぞれ開放端部を備えた複数の導光体により構成され、前記光源は、前記複数の導光体の各開放端部に配置されたことを特徴とする遊技機である。
【０３６７】
第２形態によれば、導光体は、それぞれ開放端部を備えた複数の導光体により構成し各開放端部に前記光源を配置した構成により、通路の比較的狭い周辺空間にあっても、リング様に導入光を均一に照射し得る撮像用照射機構をコンパクトに搭載した遊技機を提供することができる。
【０３６８】
本発明に係る第３形態は、前記複数の導光体の各照射面は、前記撮像領域を囲むように略長円状または略長方形状に配置されたことを特徴とする遊技機である。
【０３６９】
第３形態によれば、前記複数の導光体の各照射面を、前記撮像領域を略長円状または略長方形状に囲むように配置することにより、リング様に導入光を均一に照射し得る撮像用照射機構をコンパクトに搭載した遊技機を提供することができる。
［発明の効果］
【０３７０】
本発明によれば、正規の遊技媒体が用いられていると誤認させて遊技を行う不正行為を高精度に検知するために、包囲状に光りを照射することで乱反射を抑止して遊技媒体の高精度の画像を撮影するための光源を提供することのできる遊技機を提供することができる。
【０３７１】
［付記３］
付記３の遊技機は以下の通りである。
［背景技術］
【０３７２】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０３７３】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０３７４】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０３７５】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０３７６】
［特許文献１］特開２００２−３４２８１４号公報
［特許文献２］特開２００６−２７１４６２号公報
［発明の概要］
［発明が解決しようとする課題］
【０３７７】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０３７８】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、遊技機内部において、ＣＣＤカメラでメダルを撮影するには、メダルに光りを照射する必要がある。ところが、遊技機に使用されているようなメダルは、表面が銀色又は金色にメッキされているものが一般的であり、定期的に洗浄（磨き）されているため、光が当たるとメダルの刻印で不規則に乱反射するので、イメージセンサやカメラを使用した画像処理では、その乱反射のために正確な画像を撮影するのが困難となる。
【０３７９】
本発明の目的は、遊技機に正規の遊技媒体が用いられていると誤認させて遊技を行う不正行為を高精度に検知するために、包囲状に光りを照射することで乱反射を抑止して遊技媒体の高精度の画像を撮影するための光源を提供することのできる遊技機を提供することにある。
［課題を解決するための手段］
【０３８０】
上記目的を達成するために、本発明は、以下のような構成の遊技機を提供する。各構成要素が実施形態と対応する要素を括弧内に記載するが、本発明の構成はこれに限定されるものではない。
【０３８１】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光のための光源（例えば、ＬＥＤ群２３３）と、撮像タイミングに応じて前記光源を駆動制御する駆動制御手段（例えば、ＬＥＤ駆動部２５２）と、を有し、前記導光体は、前記通路の前方から前記撮像手段の撮像領域に光を照射する第１の導光体（例えば、導光体２６１）と、前記通路の後方から前記撮像領域に前記導入光を照射する第２の導光体（例えば、導光体２６３）と、を少なくとも含み、前記第２の導光体は、前記撮像領域に前記導入光を照射する第１の導光面（例えば、三角側面２６３ｃ）と、前記撮像領域と反対側に前記導入光を照射する第２の導光面（例えば、三角側面２６３ｄ）と、を有することを特徴とする遊技機である。
【０３８２】
第１形態によれば、撮像タイミングに応じて光源を駆動制御することにより、導入光を光源として、撮像手段による通過物体画像データを取得可能にして媒体判定手段による判定処理を円滑に行うことができる。しかも、第１の導光体と第２の導光体を撮像領域を囲むように配置したので、通過遊技媒体に向けて導入光の均一照射を行うことができ、遊技媒体のエッジや輪郭、刻印等の模様、色彩などを確実に撮像でき、正確な撮像データに基づいた高精度の判定処理を行える遊技機を実現することができる。
特に、第１の導光体からの照射光と、第１の導光面からの照射光とによって撮像領域を囲む均一照射が可能になるので、通過遊技媒体の反射による光源の映り込み、つまり一次反射のハレーションを発生させず、被写体（通過遊技媒体）から正確な撮像データを得ることができる。さらに、第２の導光面からの照射光を撮像領域以外の通路面に照射してハレーションを起こさせるので、該照射位置での反射の濃淡が鮮明になり、遊技媒体の通過判定に供することができる。したがって、本形態においては、一次反射のハレーションを防止して正確な撮像データを取得して通過遊技媒体の属性（例えば、刻印、輪郭、色等）の高精度の判定処理を行えるとともに、第２の導光面によるハレーションを利用して正確な通路通過判定処理を行える遊技機を実現することができる。
【０３８３】
本発明に係る第２形態は、前記第２の導光体は、三角錐形状を有し、該三角錐の底面側に前記光源が配置され、該三角錐の一側面を前記第１の導光面とし、該一側面と異なる側面を前記第２の導光面としたことを特徴とする遊技機である。
【０３８４】
第２形態によれば、第２の導光体の三角錐の二側面から、撮像領域向けの照射光と、撮像領域以外に向けた照射光とを照射できるので、通過遊技媒体の属性判定処理および通路通過判定処理を高精度に行え、単一の導光体により該２種の光照射機構をコンパクトかつ安価に構成した遊技機を実現することができる。
【０３８５】
本発明に係る第３形態は、前記導光体は、前記撮像領域に前記導入光を照射する第３の導光体を含むことを特徴とする遊技機である。
【０３８６】
第３形態によれば、略長方形等のリング様に導入光を均一に照射し得る照射機構を、第１〜第３の導光体により３分割して構成することができるので、各導光体を通路周辺の狭い空間に分散配置してコンパクトかつ安価に構成でき、通過遊技媒体の属性判定処理および通路通過判定処理を高精度に行える遊技機を実現することができる。
［発明の効果］
【０３８７】
本発明によれば、遊技機に正規の遊技媒体が用いられていると誤認させて遊技を行う不正行為を高精度に検知するために、包囲状に光りを照射することで乱反射を抑止して遊技媒体の高精度の画像を撮影するための光源を提供することのできる遊技機を提供することができる。
【０３８８】
［付記４］
付記４の遊技機は以下の通りである。
［背景技術］
【０３８９】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０３９０】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０３９１】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０３９２】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０３９３】
［特許文献１］特開２００２−３４２８１４号公報
［特許文献２］特開２００６−２７１４６２号公報
［発明の概要］
［発明が解決しようとする課題］
【０３９４】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０３９５】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、遊技を制御する主制御部で、ＣＣＤカメラにより撮像されたメダルの撮影画像から不正メダルか否かを判定する。しかしながら、遊技機の主制御部は、処理能力が制限されている。一方、撮影画像から不正メダルか否かを判定する処理は、画像処理であり、制御部に多大な負荷が生ずる。このため、処理能力が制限されている主制御部で、撮影画像から不正メダルか否かを判定する処理を行った場合、主制御部の処理能力を超えてしまい、不正メダルか否かを適正に判定できなくなるだけでなく、遊技の制御に支障をきたす虞もある。
【０３９６】
本発明の目的は、遊技機に正規の遊技媒体が用いられていると誤認させて遊技を行う不正行為を高精度に検知するための画像データを適正に処理することが可能な遊技機を提供することにある。
［課題を解決するための手段］
【０３９７】
上記目的を達成するために、本発明は、以下のような構成の遊技機を提供する。各構成要素が実施形態と対応する要素を括弧内に記載するが、本発明の構成はこれに限定されるものではない。
【０３９８】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、前記遊技媒体の投入を前記通路を通じて遊技機内に受け入れる受入手段（例えば、主制御回路９１およびメダルソレノイド２０８）と、を有し、前記受入手段は、前記媒体判定手段による判定結果が正常でない場合、前記遊技媒体の投入受け入れを不能にする受入不能手段（例えば、メダルソレノイド２０８）を含むことを特徴とする遊技機である。
【０３９９】
第１形態によれば、媒体判定手段が、撮像手段により撮像された通過物体の画像データに基づき遊技媒体を判定するので、適正な判定処理を高精度に行うことができる。しかも、高精度な判定結果に基づいて遊技媒体の投入受入れを行えるとともに、判定結果が正常でない場合、遊技媒体の投入受入れを不能にすることができるので、正規の遊技媒体が用いられていると誤認させて遊技を行う不正行為を未然にかつ確実に防止し得る遊技機を提供することができる。
【０４００】
本発明に係る第２形態は、前記受入手段は、前記通路を前記遊技媒体の受入側にまたは返却側に切り換える切換手段（例えば、セレクトプレート２０７、アフタメダルプレッシャ２１８）を含み、前記媒体判定手段による判定結果が正常でない場合、前記切換手段により前記返却側に切り換えて前記遊技媒体の投入受け入れを不能にすることを特徴とする遊技機である。
【０４０１】
第２形態によれば、通過判定手段による判定結果が正常でない場合、切換手段により返却側に切り換えて遊技媒体の投入受け入れを不能にすることができるので、正規の遊技媒体が用いられていると誤認させて遊技を行う不正行為を未然にかつ確実に防止し得る遊技機を提供することができる。
［発明の効果］
【０４０２】
本発明によれば、遊技機に正規の遊技媒体が用いられていると誤認させて遊技を行う不正行為を高精度に検知するための画像データを適正に処理することが可能な遊技機を提供することができる。
【０４０３】
［付記５］
付記５の遊技機は以下の通りである。
［背景技術］
【０４０４】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４０５】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４０６】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４０７】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４０８】
［特許文献１］特開２００２−３４２８１４号公報
［特許文献２］特開２００６−２７１４６２号公報
［発明の概要］
［発明が解決しようとする課題］
【０４０９】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４１０】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、イメージセンサやカメラを使用して対象物を撮影して画像処理を行う場合は、イメージセンサやカメラの撮影に光源が必要となる、遊技機のメダルの判定に使用する場合には、ゴトを防止するためにも常時点灯させる必要があり、撮影に十な光量を確保して点灯する必要があるので、光源に使用するＬＥＤ等の寿命や消費電力が問題となる。
【０４１１】
本発明の目的は、遊技機に正規の遊技媒体が用いられていると誤認させて遊技を行う不正行為を高精度に検知するために使用するイメージセンサの撮影用光源のＬＥＤを適切な制御で発光させることのできる遊技機を提供することにある。
［課題を解決するための手段］
【０４１２】
上記目的を達成するために、本発明は、以下のような構成の遊技機を提供する。各構成要素が実施形態と対応する要素を括弧内に記載するが、本発明の構成はこれに限定されるものではない。
【０４１３】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光の光源であるＬＥＤ（例えば、ＬＥＤ群２３３）と、撮像タイミングに応じて前記ＬＥＤを駆動制御する駆動制御手段（例えば、ＬＥＤ駆動部２５２）と、を有し、前記撮像手段は、所定の撮像周期で撮像し、前記駆動制御手段は、該撮像周期に応じて駆動制御可能であり、撮像時に前記ＬＥＤに駆動電流を供給し、非撮像時に該駆動電流の供給を行わないことを特徴とする遊技機である。
【０４１４】
第１形態によれば、ＬＥＤ光を光源として、駆動制御手段により撮像タイミングに応じてＬＥＤを駆動制御し、撮像手段による通過物体画像データを取得可能にして通過判定手段による判定処理を行え、しかも、撮像手段により所定の撮像周期で撮像を行い、駆動制御手段により、該撮像周期に応じて駆動制御可能であり、撮像時に前記ＬＥＤに駆動電流を供給し、非撮像時に該駆動電流の供給を行わないことによって、撮像タイミング、つまり露光のタイミングのずれを生ずることなく、撮像データを取得して該判定処理を高精度に行うことのできる遊技機を実現することができる。特に、本形態においては、露光のタイミングのずれを生じた場合の補正処理を行うプログラムを不要にし、撮像周期に応じたＬＥＤ駆動電流の供給のオンオフを行うので、ＬＥＤの消費電力の削減、それによる長寿命化を可能にして、低コストでの判定処理機能を遊技機に付加することができる。
【０４１５】
本発明に係る第２形態は、導入光を線状ないし面状に照射可能な導光体を有し、前記ＬＥＤを前記導光体の端部に配置してＬＥＤ発光を前記導光体を介して前記通過物体に照射することを特徴とする遊技機である。
【０４１６】
第２形態によれば、導入光を線状ないし面状に照射可能な導光体を有し、ＬＥＤを該導光体の端部に配置してＬＥＤ発光を導光体を介して前記通過物体に照射するので、ＬＥＤ部品数を最小限に使用し、撮像に必要なＬＥＤ光を撮像タイミングに応じて点滅駆動して、撮像タイミング、つまり露光のタイミングのずれを生ずることなく、撮像データを取得して該判定処理を高精度に行うことのできる遊技機を実現することができる。
【０４１７】
本発明に係る第３形態は、前記駆動制御手段は、非撮像時に前記ＬＥＤの駆動電流を蓄積する蓄積部を備え、前記駆動制御手段により、撮像時に前記ＬＥＤに供給する駆動電流は前記蓄積部に蓄積された駆動電流であることを特徴とする遊技機である。
【０４１８】
第３形態によれば、非撮像時に蓄積部に蓄積した駆動電流を、撮像時に前記ＬＥＤに供給することにより、ＬＥＤに、常時点灯時よりも大きい駆動電流をサージ電流レベルで流して、高輝度によるＬＥＤ光の照射による高画質の画像データの取得が可能になるので、該判定処理を高精度に行うことのできる遊技機を実現することができる。
［発明の効果］
【０４１９】
本発明によれば、正規の遊技媒体が用いられていると誤認させて遊技を行う不正行為を高精度に検知するために使用するイメージセンサの撮影用光源のＬＥＤを適切な制御で発光させることのできる遊技機を提供することができる。
【０４２０】
［付記６］
付記６の遊技機は以下の通りである。
［背景技術］
【０４２１】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４２２】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４２３】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４２４】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４２５】
［特許文献１］特開２００２−３４２８１４号公報
［特許文献２］特開２００６−２７１４６２号公報
［発明の概要］
［発明が解決しようとする課題］
【０４２６】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４２７】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、イメージセンサやカメラを使用して対象物を撮影して画像処理を行う場合は、イメージセンサやカメラの撮影に光源が必要となるが、光源にＬＥＤを使用して十分な光量を確保する方法としては電流を多く流すのが一般的な手法とされているが、電流を多く流すとＬＥＤが破壊される懸念がある。
【０４２８】
本発明の目的は、遊技機に正規の遊技媒体が用いられていると誤認させて遊技を行う不正行為を安定して検知するために使用するイメージセンサの撮影用光源のＬＥＤの破壊を防ぐことのできる遊技機を提供することである。
［課題を解決するための手段］
【０４２９】
上記目的を達成するために、本発明は、以下のような構成の遊技機を提供する。各構成要素が実施形態と対応する要素を括弧内に記載するが、本発明の構成はこれに限定されるものではない。
【０４３０】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光の光源であるＬＥＤ（例えば、ＬＥＤ群２３３）と、撮像タイミングに応じて前記ＬＥＤを駆動制御する駆動制御手段（例えば、ＬＥＤ駆動部２５２）と、を有し、前記駆動制御手段は、所定の定電流を発生する定電流回路（例えば、トランジスタＴ１およびＴ２で構成されたカレントミラー回路）と、前記定電流をＬＥＤ駆動電流に変換して前記ＬＥＤに供給する駆動電流供給回路（例えば、ＬＥＤ定電流駆動回路２５５）と、規定時間を超えて前記定電流が発生した場合に定格電流に低下させる保護回路（例えば、ＬＥＤ電源部２５３に設けたコンデンサＣ１）と、を有することを特徴とする遊技機である。
【０４３１】
第１形態によれば、定電流回路および駆動電流供給回路を介してＬＥＤに、撮像タイミングに応じてＬＥＤ駆動電流を供給することにより、撮像手段による通過物体画像データを取得可能にして媒体判定手段による判定処理を円滑に行うことができる。しかも、規定時間を超えて定電流回路による定電流が発生した場合に保護回路によって定格電流に低下させるので、規定時間を超えるサージ電流からＬＥＤが破壊されることを未然に防止でき、常時、定格電流を保持して安定した該判定処理の実行が可能になる。さらに、定電流回路に保護回路を設けるので、外付けの不要な回路部品や基板スペースの拡大を要しないので、低コストで該判定処理の安定化を図ることができる。
【０４３２】
本発明に係る第２形態は、前記定電流回路は、所定の電流源から前記定電流を発生させるカレントミラー回路により構成されたことを特徴とする遊技機である。
【０４３３】
第２形態によれば、所定の電流源から前記定電流を発生させるカレントミラー回路により構成された定電流回路によって、ＬＥＤへのＬＥＤ駆動電流の安定供給を図り、不正行為の安定的検知機能を具備した遊技機を実現することができる。
【０４３４】
本発明に係る第３形態は、前記規定時間は、少なくとも１ｍｓｅｃ以下であることを特徴とする遊技機である。
【０４３５】
第３形態によれば、規定時間は、少なくとも１ｍｓｅｃ以下であるので、ＬＥＤへのサージ電流が流れるのを確実に防止でき、不正行為の安定的検知機能を具備した遊技機を実現することができる。
［発明の効果］
【０４３６】
本発明によれば、正規の遊技媒体が用いられていると誤認させて遊技を行う不正行為を安定して検知するために使用するイメージセンサの撮影用光源のＬＥＤの破壊を防ぐことのできる遊技機を提供することができる。
【０４３７】
［付記７］
付記７の遊技機は以下の通りである。
［背景技術］
【０４３８】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４３９】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４４０】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４４１】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４４２】
［特許文献１］特開２００２−３４２８１４号公報
［特許文献２］特開２００６−２７１４６２号公報
［発明の概要］
［発明が解決しようとする課題］
【０４４３】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４４４】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、イメージセンサやカメラを使用して対象物を撮影して画像処理を行う場合は、イメージセンサで使用されている撮影用素子が熱の影響を受けることで、同じ対象物であっても、温度の影響を受けることで撮影され画像処理されると違う対象物と判断される懸念がある。
【０４４５】
本発明の目的は、遊技機に正規の遊技媒体が用いられていると誤認させて遊技を行う不正行為を高精度に検知するために、イメージセンサに温度変化があっても安定した画像を撮影することのできる遊技機を提供することである。
［課題を解決するための手段］
【０４４６】
上記目的を達成するために、本発明は、以下のような構成の遊技機を提供する。各構成要素が実施形態と対応する要素を括弧内に記載するが、本発明の構成はこれに限定されるものではない。
【０４４７】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射する導光体（例えば、導光体２６１〜２６３）と、前記導入光の光源であるＬＥＤ（例えば、ＬＥＤ群２３３）と、撮像タイミングに応じて前記ＬＥＤを駆動制御する駆動制御手段（例えば、ＬＥＤ駆動部２５２）と、を有し、前記撮像手段は、前記通過物体を撮像するイメージセンサ（例えば、ＣＭＯＳイメージセンサ２３２）と、前記イメージセンサの温度を検出する温度センサ（例えば、温度センサ２３２ａ）と、前記温度センサが検出した温度が予め定められた閾値温度を超えた場合に前記イメージセンサのオフセット補正を行うオフセット補正手段（例えば、ＬＥＤ制御ＬＳＩ２３４）と、を有することを特徴とする遊技機である。
【０４４８】
第１形態によれば、撮像タイミングに応じてＬＥＤにＬＥＤ駆動電流を供給することにより、ＬＥＤ光を光源として、撮像手段による通過物体の画像データを取得可能にして媒体判定手段による判定処理を円滑に行うことができる。
遊技機に、撮像手段（例えば、ＣＭＯＳイメージセンサを使用したカメラ）を搭載すると、該カメラは常時、長時間にわたり高温にさらされる環境下に置かれる。また、メダル補給等の保守のときに遊技機の扉が開閉されると、カメラ周囲温度が大きく変動する事態が生ずる。一方、ＣＭＯＳイメージセンサの暗電流は温度上昇に伴って急激に上昇するため、撮像画像の基準黒レベルがずれて色再現性の低下や画質劣化の不具合を生ずる。本形態においては、係る不具合に鑑み、温度センサによってイメージセンサの温度を検出して監視し、オフセット補正手段により、温度センサが検出した温度が予め定められた閾値温度を超えた場合にイメージセンサのオフセット補正を行うので、周囲温度が急変したりしても基準黒レベルを適正に保持して高画質の画像データの取得が可能になり、周囲温度の変動に関係なく該判定処理を高精度に行うことができる。
【０４４９】
本発明に係る第２形態は、オフセット補正手段は、基準黒レベルの線形補間値により、前記オフセット補正を行うことを特徴とする遊技機である。
【０４５０】
第２形態によれば、基準黒レベルに線形補間値によって前記オフセット補正を確実に行うことによって、温度変化の影響を受けることなく、常時、安定した通過物体画像データの取得が可能になるので、該判定処理を高精度に行うことができる。
［発明の効果］
【０４５１】
本発明によれば、正規の遊技媒体が用いられていると誤認させて遊技を行う不正行為を高精度に検知するために、イメージセンサに温度変化があっても安定した画像を撮影することのできる遊技機を提供することができる。
【０４５２】
［付記８］
付記８の遊技機は以下の通りである。
［背景技術］
【０４５３】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４５４】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４５５】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４５６】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４５７】
［特許文献１］特開２００２−３４２８１４号公報
［特許文献２］特開２００６−２７１４６２号公報
［発明の概要］
［発明が解決しようとする課題］
【０４５８】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４５９】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、遊技機の筐体内にＣＣＤカメラ等を設置した場合、遊技機のコストが大幅にアップしてしまう問題がある。
【０４６０】
本発明の目的は、遊技機に正規の遊技媒体が用いられていると誤認させて遊技を行う不正行為を高精度に検知するためのイメージセンサ用の光学系のコストを下げるＬＥＤを提供することのできる遊技機を提供することである。
［課題を解決するための手段］
【０４６１】
上記目的を達成するために、本発明は、以下のような構成の遊技機を提供する。各構成要素が実施形態と対応する要素を括弧内に記載するが、本発明の構成はこれに限定されるものではない。
【０４６２】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光の光源であるＬＥＤ（例えば、ＬＥＤ群２３３）と、撮像タイミングに応じて前記ＬＥＤを駆動制御する駆動制御手段（例えば、ＬＥＤ駆動部２５２）と、を有し、前記撮像手段は、前記光源からの光で前記通過物体を撮像するイメージセンサ（例えば、ＣＭＯＳイメージセンサ２３２）と、前記イメージセンサの前方に配置された集光レンズ（例えば、レンズ２８５）と、を有し、前記ＬＥＤは、特定波長の範囲（例えば、波長４４０ｎｍ〜４６０ｎｍ）の光を照射し、前記集光レンズと前記イメージセンサの間に介在物のない空間を設け、前記撮像手段は、前記特定波長の範囲の光により照射された前記通過物体を撮像することを特徴とする遊技機である。
【０４６３】
第１形態によれば、導入光を光源として、撮像手段による通過物体の画像データを取得可能にして媒体判定手段による判定処理を行うことができる。しかも、光源としてＩＲ成分を含まないＬＥＤ光が使用可能である点に着目し、集光レンズとイメージセンサの間に介在物のない空間を設けて集光レンズをイメージセンサに結像可能にするので、照射光を直接的にイメージセンサに誘引可能になり、該結像に必要な光学長を最短距離に短縮でき、撮像ユニット構造を小型化、コンパクト化でき、該判定処理の精度の向上を図ることのできる遊技機を実現することができる。
【０４６４】
本発明に係る第２形態は、
前記ＬＥＤは、赤外放射領域の発光成分を含まないことを特徴とする遊技機である。
【０４６５】
第２形態によれば、光源であるＬＥＤは、赤外放射領域の発光成分を含まないので、ＩＲフィルタの部品点数を削減でき、その取付コストも不要になって大幅な低コスト化を実現でき、さらにＩＲフィルタを使用した場合の界面でノイズ成分も生じず、可視光領域の撮像データの有効活用が可能になり、コンパクトな構成で小型の撮像手段により、高精度な通過遊技媒体の判定処理を行える遊技機を実現することができる。
【０４６６】
本発明に係る第３形態は、
前記ＬＥＤは、紫外放射領域の発光成分を含まないことを特徴とする遊技機である。
【０４６７】
第３形態によれば、光源であるＬＥＤは、紫外放射領域の発光成分を含まないので、ＵＶフィルタの部品点数を削減でき、その取付コストも不要になって大幅な低コスト化を実現でき、さらに紫外放射領域の発光による褪色が軽減され、可視光領域の撮像データの有効活用が可能になり、コンパクトな構成で小型の撮像手段により、高精度な通過遊技媒体の判定処理を行える遊技機を実現することができる。
［発明の効果］
【０４６８】
本発明によれば、正規の遊技媒体が用いられていると誤認させて遊技を行う不正行為を高精度に検知するためのイメージセンサ用の光学系のコストを下げるＬＥＤを提供することのできる遊技機を提供することができる。
【０４６９】
［付記９］
付記９の遊技機は以下の通りである。
［背景技術］
【０４７０】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４７１】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４７２】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４７３】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４７４】
［特許文献１］特開２００２−３４２８１４号公報
［特許文献２］特開２００６−２７１４６２号公報
［発明の概要］
［発明が解決しようとする課題］
【０４７５】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４７６】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、メダル通路上を流れるメダルを撮影するためには、ある程度の範囲を撮影する必要があり、高機能のシステムを導入すれば、必要以上の遊技機のコストアップの要因になってしまう。
【０４７７】
本発明の目的は、遊技機に正規の遊技媒体が用いられていると誤認させて遊技を行う不正行為を高精度に検知するために必要な撮影範囲を低コストで撮影可能にする撮影用レンズが搭載された遊技機を提供することである。
［課題を解決するための手段］
【０４７８】
上記目的を達成するために、本発明は、以下のような構成の遊技機を提供する。各構成要素が実施形態と対応する要素を括弧内に記載するが、本発明の構成はこれに限定されるものではない。
【０４７９】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光のための光源（例えば、ＬＥＤ群２３３）と、を有し、前記撮像手段は、前記導入光を光源にして前記通過物体を撮像するイメージセンサ（例えば、ＣＭＯＳイメージセンサ２３２）と、前記通路に対向して前記イメージセンサの前方に配置された集光レンズ（例えば、レンズ２８５）と、を含み、前記集光レンズは、樽型に歪む歪曲収差を伴う結像作用を生ずるレンズであることを特徴とする遊技機である。
【０４８０】
第１形態によれば、導入光を光源として、撮像手段による通過物体の画像データを取得可能にして媒体判定手段による判定処理を円滑に行うことができる。特に、歪みのない集光レンズでは画像取得範囲が狭まり、判定精度が低下するが、本形態においては、通過物体画像データを樽型に歪む歪曲収差を伴う結像作用を生ずる樽型歪みが発生するレンズを介して広範囲の画像データの取得が可能であり、高精度の該判定処理を行うことのできる低コストなイメージセンサ用レンズが搭載された遊技機を実現することができる。
【０４８１】
本発明に係る第２形態は、前記媒体判定手段は、前記集光レンズを介して得られた通過物体画像データの全データ領域のうち、中心領域の画像データ以外の前記樽型に歪んだ歪曲収差した画像データを補正することを特徴とする遊技機である。
【０４８２】
第２形態によれば、樽型歪みが発生するレンズを介して広範囲の画像データを取得して、媒体判定手段により、中心領域の画像データ以外の樽型に歪んだ歪曲収差した画像データを補正するので、高精度の該判定処理を行うことのできる遊技機を実現することができる。
［発明の効果］
【０４８３】
本発明によれば、正規の遊技媒体が用いられていると誤認させて遊技を行う不正行為を高精度に検知するために必要な撮影範囲を低コストで撮影可能にする撮影用レンズが搭載された遊技機を提供することができる。
【０４８４】
［付記１０］
付記１０の遊技機は以下の通りである。
［背景技術］
【０４８５】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０４８６】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０４８７】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０４８８】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０４８９】
［特許文献１］特開２００２−３４２８１４号公報
［特許文献２］特開２００６−２７１４６２号公報
［発明の概要］
［発明が解決しようとする課題］
【０４９０】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０４９１】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、限られた空間である遊技機内にイメージセンサやカメラを搭載するには、遊技機内に搭載するための光学系を専用設計する必要がある。さらに、温度が高い環境下では、レンズが歪んで、想定している画像が撮影できない状態が発生することがある。
【０４９２】
本発明の目的は、遊技機に正規の遊技媒体が用いられていると誤認させて遊技を行う不正行為を高精度に検知するための熱による歪みが発生しにくい撮影用レンズを搭載することが可能となる遊技機を提供することである。
［課題を解決するための手段］
【０４９３】
上記目的を達成するために、本発明は、以下のような構成の遊技機を提供する。各構成要素が実施形態と対応する要素を括弧内に記載するが、本発明の構成はこれに限定されるものではない。
【０４９４】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体（例えば、導光体２６１〜２６３）と、前記導入光のための光源（例えば、ＬＥＤ群２３３）と、を有し、前記撮像手段は、前記導入光を光源にして前記通過物体を撮像するイメージセンサ（例えば、ＣＭＯＳイメージセンサ２３２）と、前記通路に対向して前記イメージセンサの前方に配置された集光レンズ（例えば、レンズ２８５）と、前記集光レンズを前記イメージセンサの前方に保持するレンズ保持手段（例えば、レンズホルダ２７５およびレンズユニット２８７）と、を含み、前記レンズ保持手段は、少なくとも樹脂成分と、前記樹脂成分に対し所定の配合比（例えば、ＧＦが３０％）で混合したガラスフィラーと、により成形され、前記配合比は第１の配合比、乃至、第２の配合比（例えば、ＧＦが１０〜４０％）であることを特徴とする遊技機である。
【０４９５】
第１形態によれば、導入光を光源として、撮像手段による通過物体の画像データを取得可能にして媒体判定手段による判定処理を円滑に行うことができる。特に、レンズ保持手段は、少なくとも樹脂成分と、該樹脂成分に対し１０〜４０％の配合比で混合したガラスフィラーとにより成形されているので、温度上昇による構造歪み、例えば、集光レンズがレンズ保持手段と干渉した場合の圧力作用による歪みをレンズ保持手段側で打ち消すように変形して、相殺して抑止ないし抑制することができるので、構造歪みによるピントずれを起こすことなく高画質の撮像を行って高精度の該判定処理を行うことのできる遊技機を実現することができる。殊に、温度上昇によるレンズ歪みが多少生ずるが、該構造歪みを解消しているので、あらかじめ分析可能なレンズ歪みに撮像処理上の対策を講じるだけで済み、構造歪み対策用パーツを追加しなくてよく、無駄なコストアップを招来せずにレンズ保持機構の製造コストの低減を図れ、遊技機のコストダウンに寄与する。
【０４９６】
本発明に係る第２形態は、前記レンズ保持手段は、前記イメージセンサの前方において複数個の集光レンズを多層状に保持するレンズ保持構造を有することを特徴とする遊技機である。
【０４９７】
第２形態によれば、前記レンズ保持手段は、前記イメージセンサの前方において複数個の集光レンズを多層状に保持するレンズ保持構造を有しても、各集光レンズとの構造歪に対して、少なくとも樹脂成分と、該樹脂成分に対し１０〜４０％の配合比で混合したガラスフィラーとにより成形されたレンズ保持手段側で打ち消すように変形して、相殺して抑止ないし抑制することができるので、構造歪みによるピントずれを起こすことなく高画質の撮像を行って高精度の該判定処理を行うことのできる遊技機を実現することができる。
【０４９８】
本発明に係る第３形態は、前記樹脂成分は液晶ポリマー材であることを特徴とする遊技機である。
【０４９９】
第３形態によれば、前記樹脂成分は、耐熱性や剛性に富んだ液晶ポリマー材であるので、温度上昇による熱変形を起こさず、高画質の撮像取得を可能にして高精度の該判定処理を行うことのできる遊技機を実現することができる。
［発明の効果］
【０５００】
本発明によれば、正規の遊技媒体が用いられていると誤認させて遊技を行う不正行為を高精度に検知するための熱による歪みが発生しにくい撮影用レンズを搭載することが可能となる遊技機を提供することができる。
【０５０１】
［付記１１］
付記１１の遊技機は以下の通りである。
［背景技術］
【０５０２】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５０３】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５０４】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０５０５】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０５０６】
［特許文献１］特開２００２−３４２８１４号公報
［特許文献２］特開２００６−２７１４６２号公報
［発明の概要］
［発明が解決しようとする課題］
【０５０７】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０５０８】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、フォーカス機能を有さない定点撮影を行う場合では、設計時に想定した撮像距離とのズレが大きいと、想定したフォーカス精度を確保するのが困難になり撮影の精度が低下する。
【０５０９】
本発明の目的は、遊技機に正規の遊技媒体が用いられていると誤認させて遊技を行う不正行為を高精度に検知するための撮影用レンズで一定水準以上のフォーカス精度を確保できる遊技機および該遊技機の製造方法を提供することである。
［課題を解決するための手段］
【０５１０】
上記目的を達成するために、本発明は、以下のような構成の遊技機を提供する。各構成要素が実施形態と対応する要素を括弧内に記載するが、本発明の構成はこれに限定されるものではない。
【０５１１】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、前記通過物体に照射可能に配置された光源（例えば、ＬＥＤ群２３３）と、を有し、前記撮像手段は、前記光源からの照射光で前記通過物体を撮像するイメージセンサ（例えば、ＣＭＯＳイメージセンサ２３２）と、前記通路に対向して前記イメージセンサの前方に配置された集光レンズ（例えば、レンズ２８５）と、前記集光レンズを前記イメージセンサに結像可能に保持するレンズ保持手段（例えば、レンズホルダ２７５）と、を有し、前記レンズ保持手段は、前記集光レンズを収容するレンズ収容部（例えば、レンズユニット２８７）と、前記レンズ収容部を装着する、外周部に外向きに開いた傾斜部（例えば、テーパー部２８２）が形成された貫通孔（例えば、貫通孔２７８）を有したホルダ部（例えば、レンズホルダ２７５）と、前記貫通孔に装着された前記レンズ収容部と前記傾斜部とにより形成される領域の間に注入されることで、前記レンズ収容部と前記ホルダ部とを接着する接着手段（例えば、接着剤２９２）と、を有することを特徴とする遊技機である。
【０５１２】
第１形態によれば、前記光源からの照射光で、撮像手段による通過物体の画像データを取得可能にして媒体判定手段による判定処理を円滑に行うことができる。特に、撮像手段のレンズ系を組み立てる際に、ホルダ部とレンズ収容部とを単に接着するだけでは、組立時の位置ずれが生じて、フォーカス精度のばらつき要因になるが、本形態では、貫通孔に装着されたレンズ収容部と傾斜部とにより形成される領域の間に注入される接着手段によって、レンズ収容部とホルダ部とを接着するので、イメージセンサと集光レンズの組立時の位置ずれが生じないため、撮影用レンズで一定水準以上のフォーカス精度を確保でき、高精度の該判定処理を行うことのできる遊技機を実現することができる。
【０５１３】
本発明に係る第２形態は、前記接着手段は、前記傾斜部と前記レンズ収容部との間の隙間に充填する接着剤であることを特徴とする遊技機である。
【０５１４】
第２形態によれば、本形態では、レンズ収容部をホルダ部の貫通孔に装着した状態で、貫通孔の外周部に外向きに開いた傾斜部とレンズ収容部との間の隙間に接着剤を充填してホルダ部とレンズ収容部とを固着するので、撮像手段のレンズ取着構造が強固になり、接着剤のレンズへのはみだし等が生じないため、撮影用レンズで一定水準以上のフォーカス精度を確保でき、高精度の該判定処理を行うことのできる遊技機を実現することができる。
【０５１５】
本発明に係る第３形態は、前記接着剤は、紫外線硬化型樹脂接着剤であることを特徴とする遊技機である。
【０５１６】
レンズ系部品には製造段階での寸法公差を生じやすいので、集光レンズを適切な位置に取着するに位置合わせ調整を行う必要がある。このため、レンズ系に使用する接着剤としては、接着剤が固化するまで制御しやすい性質のものが好ましい。種々の接着剤の中で紫外線硬化型樹脂接着剤は、熱硬化型樹脂接着剤等の接着剤と比較して硬化速度が速く、紫外線照射により短時間に重合硬化し、接着工程上、制御しやすい特性を有する。
第３形態によれば、紫外線硬化型樹脂接着剤を使用してホルダ部とレンズ収容部とを固着したレンズ取着構造であるので、ホルダ部とレンズ収容部とを固着する前の製造段階で、位置合わせした後に塗布により即座に仮接着でき、紫外線照射により速やかに固化させることができ、レンズ取着構造の組立作業時間を短縮でき、また組立工程の簡素化も実現でき、製造コストを低価格化し、高精度の該判定処理を行うことのできる遊技機を実現することができる。
【０５１７】
本発明に係る第４形態は、第２形態又は第３形態に係る遊技機の製造方法であって、前記レンズ収容部を前記貫通孔に装着した状態で前記集光レンズのレンズ位置の調整を行うレンズ位置調整工程と、前記傾斜部と前記レンズ収容部との間の隙間に接着剤を充填して仮止めする仮止め工程と、仮止め状態で前記接着剤を焼成する焼成工程と、を有することを特徴とする遊技機の製造方法である。
【０５１８】
第４形態によれば、レンズ位置調整工程により、レンズ収容部を貫通孔に装着した状態で集光レンズのレンズ位置の調整を行い、仮止め工程により、傾斜部とレンズ収容部との間の隙間に接着剤を充填して調整済みレンズを仮止めした後、焼成工程により仮止め状態で接着剤を焼成するので、製造立段階でイメージセンサと集光レンズの位置ずれ、あるいは接着剤のレンズへのはみだし等が生じず、高画質の撮像画像をもとに高精度の該判定処理を行うことのできる遊技機を得ることができる。
［発明の効果］
【０５１９】
本発明によれば、正規の遊技媒体が用いられていると誤認させて遊技を行う不正行為を高精度に検知するための撮影用レンズで一定水準以上のフォーカス精度を確保できる遊技機および該遊技機の製造方法を提供することができる。
【０５２０】
［付記１２］
付記１２の遊技機は以下の通りである。
［背景技術］
【０５２１】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５２２】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５２３】
また、このような遊技機には、メダル投入口の先に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０５２４】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０５２５】
［特許文献１］特開２００２−３４２８１４号公報
［特許文献２］特開２００６−２７１４６２号公報
［発明の概要］
［発明が解決しようとする課題］
【０５２６】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０５２７】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、撮影対象をイメージセンサやカメラで撮影する場合には、安定し、且つ、十分な輝度を確保する必要があるが、遊技機の内部には、光源がないため、メダルを撮影するための専用の光源を設置する必要がある。
【０５２８】
本発明の目的は、遊技機に正規の遊技媒体が用いられていると誤認させて遊技を行う不正行為を安定して検知するためのイメージセンサへの安定した輝度の光源を供給することのできる遊技機を提供することである。
［課題を解決するための手段］
【０５２９】
上記目的を達成するために、本発明は、以下のような構成の遊技機を提供する。各構成要素が実施形態と対応する要素を括弧内に記載するが、本発明の構成はこれに限定されるものではない。
【０５３０】
本発明に係る第１形態は、遊技媒体を投入する投入口（例えば、メダル投入口２１）と、前記投入口から投入された遊技媒体を検出する遊技媒体検出手段（例えば、メダルセレクタ２０１）と、を備え、前記遊技媒体検出手段は、前記遊技媒体が通過する通路を形成する通路形成部（例えば、メダルレール２１０）と、前記通路を通過する物体である通過物体を撮像する撮像手段（例えば、ＣＭＯＳイメージセンサ２３２）と、前記撮像手段が撮像した前記通過物体の画像データに基づいて前記遊技媒体を判定する媒体判定手段（例えば、制御ＬＳＩ２３４）と、導入光を面状に照射可能な導光体と、前記導入光の光源であるＬＥＤ（例えば、ＬＥＤ群２３３）と、撮像タイミングに応じて前記ＬＥＤを駆動制御する駆動制御手段（例えば、ＬＥＤ駆動部２５２）と、を有し、前記駆動制御手段は、所定の定電流を発生する定電流回路（例えば、トランジスタＴ１およびＴ２で構成されたカレントミラー回路）と、前記定電流をＬＥＤ駆動電流に変換して前記ＬＥＤに供給する駆動電流供給回路（例えば、ＬＥＤ定電流駆動回路２５５）と、前記定電流回路と前記駆動電流供給回路とを熱結合させてＬＥＤ輝度を安定化する輝度安定化手段（例えば、カレントミラー接続されたトランジスタＴ６およびＴ７）と、を有することを特徴とする遊技機。
【０５３１】
第１形態によれば、撮像タイミングに応じてＬＥＤにＬＥＤ駆動電流を供給することにより、ＬＥＤ光を光源として、撮像手段による通過物体の画像データを取得可能にして媒体判定手段による判定処理を円滑に行うことができる。しかも、輝度安定化手段により、駆動電流供給回路の出力電流の温度特性が正になるように、定電流回路と駆動電流供給回路とを熱結合させてＬＥＤ輝度を安定化するので、ＬＥＤのもつ負の温度特性により温度上昇に伴ってＬＥＤ発光強度が低下しても、該発光強度の低下を相殺して、高温時にＬＥＤ発光輝度が低下することなく、安定した判定処理を実行することができる。さらに、輝度安定化手段の熱結合は、簡単かつ安価に構成できるので、例えば、プログラム制御のための回路別温度センサや、電流コントロール用回路が不要になり、部品点数の軽減によるコストダウン、不要なプログラムを搭載しないことによる不要なバグの発生を排除でき、遊技機の高機能および低価格化に寄与し得る。
【０５３２】
本発明に係る第２形態は、前記定電流回路の出力側に設けたトランジスタ素子と、前記駆動電流供給回路に設けた入力側トランジスタ素子の温度係数を異ならせて熱結合させ、温度上昇に応じて前記駆動電流供給回路による供給電流を増加可能にしたことを特徴とする遊技機である。
【０５３３】
第２形態によれば、定電流回路側に設けたトランジスタ素子の温度係数と、駆動電流供給回路側に設けたトランジスタ素子の温度係数に差を生じるように熱結合させ、温度上昇に応じて駆動電流供給回路による供給電流を増加可能にしたことによって、温度変化の影響を受けることなく、常時、安定した通過物体画像データの取得が可能になるので、該判定処理を高精度に行うことができる。
【０５３４】
本発明に係る第３形態は、前記輝度安定化手段は、前記定電流回路からの前記定電流を前記ＬＥＤ駆動電流に変換するカレントミラー回路により構成されたことを特徴とする遊技機である。
【０５３５】
第３形態によれば、輝度安定化手段を、定電流回路からの定電流をＬＥＤ駆動電流に変換するカレントミラー回路により構成することによって、簡単かつ安価な構成により熱結合を形成することができ、安定かつ高精度な判定処理を実行し得る遊技機を実現することができる。
［発明の効果］
【０５３６】
本発明によれば、正規の遊技媒体が用いられていると誤認させて遊技を行う不正行為を安定して検知するためのイメージセンサへの安定した輝度の光源を供給することのできる遊技機を提供することができる。
【０５３７】
［付記１３］
付記１３の遊技機は以下の通りである。
［背景技術］
【０５３８】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５３９】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５４０】
また、このような遊技機には、メダル投入口に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０５４１】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０５４２】
［特許文献１］特開２００２−３４２８１４号公報
［特許文献２］特開２００６−２７１４６２号公報
［発明の概要］
［発明が解決しようとする課題］
【０５４３】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０５４４】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、遊技機内部の空間は限られているので、メダルを流すレールとＣＣＤカメラのレンズとの距離が近くなってしまい、ＣＣＤカメラで撮像できる画角が狭くなり、撮像可能範囲が狭くなる。このため、不正メダルの判定を行うための画像が、メダルが見切れている等の不適切な画像となり、当該判定の精度が低下するという問題がある。
【０５４５】
本発明の目的は、遊技機に正規の遊技媒体が用いられていると誤認させて遊技を行う不正行為を、撮像された画像に基づき高精度に検知するために必要な撮像可能範囲を確保可能な遊技機を提供することにある。
［課題を解決するための手段］
【０５４６】
上記目的を達成するために、本発明は、以下のような構成の遊技機を提供する。各構成要素が実施形態と対応する要素を括弧内に記載するが、本発明の構成はこれに限定されるものではない。
【０５４７】
本発明に係る第１形態は、
遊技媒体を投入可能な投入口（例えば、メダル投入口２１）と、
前記投入口から投入された遊技媒体を検出する遊技媒体検出手段（例えば、メダルセレクタ２０１）と、を備え、
前記遊技媒体検出手段は、
前記遊技媒体が通過する通路（例えば、メダルレール２１０）が形成されている通路形成部（例えば、ベース板部２０４）と、
前記通路を通過する物体である通過物体を撮像する撮像手段（例えば、カメラユニット２０９）と、
前記通路に面して配置され、前記撮像手段を保持する保持手段（例えば、中間部材２９３）と、を有し、
前記保持手段は、
前記撮像手段の画角を干渉することのない開口領域となる開口部（例えば、開口部２９３ａ）が形成されており、
前記開口部の周縁において、前記通路と反対側の面から突出し、前記撮像手段が配置されている突出部（例えば、突出部２９３ｂ）が形成されていることを特徴とする遊技機である。
【０５４８】
第１形態によれば、遊技機は、投入口と、遊技媒体検出手段と、を備える。投入口は、遊技媒体を投入可能に設けられている。遊技媒体検出手段は、投入口から投入された遊技媒体を検出し、通路形成部と、撮像手段と、保持手段と、を有する。通路形成部は、遊技媒体が通過する通路が形成されている。撮像手段は、通路を通過する物体である通過物体を撮像する。保持手段は、通路に面して配置され、撮像手段を保持する。そして、保持手段は、撮像手段の画角を干渉することのない開口領域となる開口部が形成されており、この開口部の周縁において、通路と反対側の面から突出し、撮像手段が配置されている突出部が形成されている。
【０５４９】
このように、画角を干渉することのない開口領域となる開口部の周縁に、通過物体が通過する通路と反対側の面に突出部を形成し、この突出部に撮像手段を配置することで、撮像手段と通路とをより離すことが可能となり、撮像手段で撮像できる画角が広くなり、撮像可能範囲が広くなる。よって、より広い範囲で、通路を通過する通過物体を撮像できる。
したがって、遊技機に正規の遊技媒体が用いられていると誤認させて遊技を行う不正行為を、撮像された画像に基づき高精度に検知するために必要な撮像可能範囲を確保可能な遊技機を提供できる。
また、開口部の周縁に突出部を形成することで、保持手段の強度が向上し、保持手段が撓み、保持手段に保持された撮像手段の光軸がズレてしまい、適正位置で通過物体を撮像できなくなり、不正行為を検知する精度が低下するのを防止できる。
【０５５０】
本発明に係る第２形態は、
前記保持手段は、前記開口部の周縁において、前記開口部の内法寸法が前記通路に向かって広がるテーパー処理がなされていることを特徴とする遊技機である。
【０５５１】
第２形態によれば、開口部の周縁に、内法寸法が通路に向かって広がるテーパー処理をしたので、開口部の通路側の縁が、撮像手段の撮像範囲に入ってしまい、通路を通過する通過物体を撮像できる範囲が狭くなってしまうことを防止できる。また、開口部の周縁通路側をテーパー処理することで、通路を通過する通過物体が、保持手段側に倒れ、開口部の周縁に接触した場合に、この通過物体をスムーズに受け流すことができる。よって、通過物体が開口部の周縁に接触した状態で詰まってしまい、適正位置で通過物体を撮像できなくなり、不正行為を検知する精度が低下するのを防止できる。また、開口部の周縁通路側をテーパー処理することで、開口部の周縁に塵等の異物が溜まるのを防止できる。よって、開口部の周縁に異物が溜まり、この異物が通過物体とともに、撮像手段に撮像されてしまい、不正行為を検知する精度が低下するのを防止できる。
したがって、遊技機に正規の遊技媒体が用いられていると誤認させて遊技を行う不正行為を、撮像された画像に基づき高精度に検知するために必要な撮像可能範囲を確保可能であり、不適切な画像が撮像されることを防止可能な遊技機を提供できる。
【０５５２】
本発明に係る第３形態は、
前記保持手段と前記撮像手段との間に配置されており、前記開口部を塞ぎ、透光性素材で形成されている透光板（例えば、アクリル樹脂製板２９６ａ）を備えることを特徴とする遊技機である。
【０５５３】
第３形態によれば、保持手段と撮像手段との間に開口部を塞ぐ透光板を配置したので、通路側から、塵等の異物が撮像手段の内部に侵入するのを防止できる。よって、撮像手段の内部へ異物が侵入し、撮像手段により適切に通過物体を撮像できなくなり、不正行為を検知する精度が低下するのを防止できる。また、このような異物が透光板に付着したとしても、撮像手段を通路に合焦させておくことで、異物が付着した透光板の位置は、撮像手段の結像距離より短いので、撮像手段による通過物体の撮像に対する影響が少ない。
したがって、遊技機に正規の遊技媒体が用いられていると誤認させて遊技を行う不正行為を、撮像された画像に基づき高精度に検知するために必要な撮像可能範囲を確保可能であり、不適切な画像が撮像されることを防止可能な遊技機を提供できる。
［発明の効果］
【０５５４】
本発明によれば、遊技機に正規の遊技媒体が用いられていると誤認させて遊技を行う不正行為を、撮像された画像に基づき高精度に検知するために必要な撮像可能範囲を確保可能な遊技機を提供できる。
【０５５５】
［付記１４］
付記１４の遊技機は以下の通りである。
［背景技術］
【０５５６】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５５７】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５５８】
また、このような遊技機には、メダル投入口に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０５５９】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０５６０】
［特許文献１］特開２００２−３４２８１４号公報
［特許文献２］特開２００６−２７１４６２号公報
［発明の概要］
［発明が解決しようとする課題］
【０５６１】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０５６２】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。しかしながら、遊技場において、遊技機は、煙草の煙や埃に曝されている。このような煙草の脂や埃等の異物が、不正メダルの判定のためのＣＣＤカメラのレンズに付着すると、撮像した画像にこの異物が写り込み、不正メダルの判定の精度が低下するという問題がある。
【０５６３】
本発明の目的は、遊技機に正規の遊技媒体が用いられていると誤認させて遊技を行う不正行為を高精度に検知するためのレンズに異物が付着することを防止可能な遊技機を提供することにある。
［課題を解決するための手段］
【０５６４】
上記目的を達成するために、本発明は、以下のような構成の遊技機を提供する。各構成要素が実施形態と対応する要素を括弧内に記載するが、本発明の構成はこれに限定されるものではない。
【０５６５】
本発明に係る第１形態は、
遊技媒体を投入可能な投入口（例えば、メダル投入口２１）と、
前記投入口から投入された遊技媒体を検出する遊技媒体検出手段（例えば、メダルセレクタ２０１）と、を備え、
前記遊技媒体検出手段は、
前記遊技媒体が通過する通路（例えば、メダルレール２１０）が形成されている通路形成部（例えば、ベース板部２０４）と、
前記通路を通過する物体である通過物体を撮像する撮像手段（例えば、カメラユニット２０９）と、
前記通路形成部と前記撮像手段との間に配置されており、透光性素材で形成されている透光板（例えば、アクリル樹脂製板２９６ａ）と、を有し、
前記撮像手段は、
基板（例えば、配線基板２８８）に固定され、前記通過物体を撮像するイメージセンサ（例えば、ＣＭＯＳイメージセンサ２３２）と、
撮像レンズ（例えば、レンズユニット２８７）を前記イメージセンサに結像可能に保持するレンズ保持手段（例えば、レンズホルダ２７５）と、
前記撮像レンズを囲い、前記レンズ保持手段を、前記通路と前記イメージセンサとの間に固定するレンズ保護手段（例えば、レンズ保護カバー２９５）と、を有し、
前記レンズ保護手段は、前記通路側の端部が前記透光板と密着し、前記イメージセンサ側の端部が前記基板と密着した状態で組み込まれていることを特徴とする遊技機である。
【０５６６】
第１形態によれば、遊技機は、投入口と、遊技媒体検出手段と、を備える。投入口は、遊技媒体を投入可能に設けられている。遊技媒体検出手段は、投入口から投入された遊技媒体を検出する。遊技媒体検出手段は、通路形成部と、撮像手段と、保持手段と、透光板と、を有する。通路形成部は、遊技媒体が通過する通路が形成されている。撮像手段は、通路を通過する物体である通過物体を撮像する。透光板は、通路形成部と撮像手段との間に配置されており、透光性素材で形成されている。撮像手段は、イメージセンサと、レンズ保持手段と、レンズ保護手段と、を有する。イメージセンサは、基板に固定され、通過物体を撮像する。レンズ保持手段は、撮像レンズをイメージセンサに結像可能に保持する。レンズ保護手段は、撮像レンズを囲い、レンズ保持手段を、通路とイメージセンサとの間に固定する。そして、レンズ保護手段は、通路側の端部が透光板と密着し、イメージセンサ側の端部が基板と密着した状態で組み込まれている。
【０５６７】
このように、撮像レンズを保持するレンズ保持手段を、レンズ保護手段で囲み、このレンズ保護手段の通路側の端部を透光板と密着させ、イメージセンサ側の端部を基板と密着させた状態で組み込むことで、撮像レンズが収容されているレンズ保護手段の内部に煙草の脂や埃等の異物が侵入するのを防止できる。したがって、遊技機に正規の遊技媒体が用いられていると誤認させて遊技を行う不正行為を高精度に検知するためのレンズに異物が付着することを防止可能な遊技機を提供できる。
【０５６８】
本発明に係る第２形態は、
前記レンズ保護手段は、前記イメージセンサ側の端部に、前記レンズ保持手段の外周と係合するレンズ係合部（例えば、レンズ係合部２９５ａ）を有し、
前記レンズ係合部には、前記レンズ保持手段の外周の一部が、前記レンズ係合部から突出可能である一対の凹部（例えば、凹部２９５ｂ）が形成され、
前記レンズ保持手段の外周の一部と前記レンズ係合部の一対の前記凹部とが嵌合することを特徴とする遊技機である。
【０５６９】
第２形態によれば、レンズ保護手段のイメージセンサ側の端部において、レンズ保持手段の外周と係合するレンズ係合部に、レンズ保持手段の外周の一部がレンズ係合部から突出可能である一対の凹部を形成した。そして、レンズ保持手段の外周の一部と一対の凹部とが嵌合する。これにより、撮像手段の組立時において、撮像レンズを保持したレンズ保持手段の外周の一部を一対の凹部に嵌め込んで、レンズ保持手段の外周をレンズ係合部に係合させることで、撮像レンズをイメージセンサに対する適切な位置に配置し固定できる。よって、撮像手段の組立作業が容易になる。また、撮像レンズを保持したレンズ保持手段の外周の一部とレンズ係合部の一対の凹部とが嵌合するので、振動等により、レンズ保持手段が適切な位置からズレてしまうことを防止できる。
【０５７０】
本発明に係る第３形態は、
前記基板には、ハーネスを接続可能なコネクタ（例えば、ＧＰＩＯ用コネクタ２８８ａ）が配置されており、
前記レンズ保護手段は、前記基板に密接し、前記コネクタの少なくとも一部を囲うコネクタ保護部（例えば、コネクタ保護部２９５ｃ）が一体に形成されていることを特徴とする遊技機である。
【０５７１】
第３形態によれば、コネクタ保護部により、基板に配置されたコネクタの少なくとも一部を囲うことで、コネクタへの異物の侵入を防止できるので、コネクタに異物を挿入し不正行為を行う、所謂ゴトを防止可能となる。また、撮像レンズを囲むレンズ保護手段にコネクタの少なくとも一部を囲うコネクタ保護部を形成したので、撮像レンズを保護する部材とコネクタを保護する部材が一体となり、１つの金型で複数の機能を有する部材（レンズ保護手段）を作成することが可能となるため、設計・製造コストを抑えることが可能となる。
【０５７２】
本発明に係る第４形態は、前記レンズ保護手段は、前記基板に密接することで、前記コネクタの前記ハーネスが接続されている面以外の面を囲うことを特徴とする遊技機である。
【０５７３】
第４形態によれば、レンズ保護手段を基板に密接することで、コネクタのハーネスが接続されている面以外の面を囲うことできるので、より確実にコネクタへの異物の侵入を防止できるので、コネクタに異物を挿入し不正行為を、より確実に防止可能となる。
［発明の効果］
【０５７４】
本発明によれば、遊技機に正規の遊技媒体が用いられていると誤認させて遊技を行う不正行為を高精度に検知するためのレンズに異物が付着することを防止可能な遊技機を提供できる。
【０５７５】
［付記１５］
付記１５の遊技機は以下の通りである。
［背景技術］
【０５７６】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５７７】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５７８】
また、このような遊技機には、メダル投入口に投入されたメダルを検知するためのメダルセレクタが設けられている。また、このメダルセレクタに対しては、メダル投入口に適正なメダル（正規メダル）でないメダル（不正メダル）を投入したり、器具をメダル投入口に挿入したりして、遊技機に正規メダルが投入されたと誤認させて遊技が行われる不正行為に対する対策がとられている。
【０５７９】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが記載されている。
［先行技術文献］
［特許文献］
【０５８０】
［特許文献１］特開２００２−３４２８１４号公報
［特許文献２］特開２００６−２７１４６２号公報
［発明の概要］
［発明が解決しようとする課題］
【０５８１】
しかしながら、特許文献１に記載されたスロットマシンでは、板状体のような器具を用いず、不正メダルを用いて行われる不正行為を検知することができない。例えば、このスロットマシンが設置されるホールで貸し出される貸出単価が１枚２０円のメダルと１枚５円のメダルとが同径で色や刻印（模様）のみ異なる場合、このスロットマシンでは、これらを判別することができない。このため、貸出単価が１枚２０円のメダルを正規メダルとして扱う遊技機で、貸出単価が１枚５円のメダル（不正メダル）を用いて遊技を行う不正行為を検知することができなかった。
【０５８２】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
また、特許文献２に記載されたスロットマシンでは、ＣＣＤカメラを用いて、投入された不正メダルの判定を行う。ところで、このようなＣＣＤカメラには、ハーネスが接続されている。このハーネスは、組立作業時に、結束バント等により束ねられる。しかしながら、遊技機内部の空間は限られているため、このようなハーネスを結束バント等により束ねる作業は、狭い空間で行われ、組立作業の作業効率を低下させる一因になっている。
【０５８３】
本発明の目的は、遊技機に正規の遊技媒体が用いられていると誤認させて遊技を行う不正行為を高精度に検知するための装置の組立作業の作業効率を向上可能な遊技機を提供することにある。
［課題を解決するための手段］
【０５８４】
上記目的を達成するために、本発明は、以下のような構成の遊技機を提供する。各構成要素が実施形態と対応する要素を括弧内に記載するが、本発明の構成はこれに限定されるものではない。
【０５８５】
本発明に係る第１形態は、
遊技媒体を投入可能な投入口（例えば、メダル投入口２１）と、
前記投入口から投入された遊技媒体を検出する遊技媒体検出手段（例えば、メダルセレクタ２０１）と、を備え、
前記遊技媒体検出手段は、
前記遊技媒体が通過する通路（例えば、メダルレール２１０）が形成されている通路形成部（例えば、ベース板部２０４）と、
前記通路を通過する物体である通過物体を検出する検出手段（例えば、カメラユニット２０９）と、
前記検出手段を保持する保持手段（例えば、中間部材２９３）と、を有し、
前記保持手段は、所定方向に延びるハーネスが配置されるハーネス受け部（例えば、ハーネス受け部２９３ｃ）を有し、
前記ハーネス受け部には、前記所定方向と直交する方向に延び、前記ハーネスを束ねる帯形状の結束部材（例えば、結束バンド）が配置される溝（例えば、溝２９３ｆ）が形成されており、
前記溝は、前記所定方向と直交する方向において、前記ハーネス受け部の中心側から端部側に上り傾斜する傾斜部（例えば、傾斜部２９３ｇ）を有することを特徴とする遊技機である。
【０５８６】
第１形態によれば、遊技機は、投入口と、遊技媒体検出手段と、を備える。投入口は、遊技媒体を投入可能に設けられている。遊技媒体検出手段は、投入口から投入された遊技媒体を検出し、通路形成部と、検出手段と、保持手段と、を有する。通路形成部は、遊技媒体が通過する通路が形成されている。検出手段は、通路を通過する物体である通過物体を検出する。保持手段は、検出手段を保持する。保持手段は、所定方向に延びるハーネスが配置される配置面を有するハーネス受け部を有する。ハーネス受け部には、所定方向と直交する方向に延び、ハーネスを束ねる帯形状の結束部材が配置される溝が形成されている。そして、溝は、所定方向と直交する方向において、ハーネス受け部の中心側から端部側に上り傾斜する傾斜部を有する。
【０５８７】
これにより、遊技媒体検出手段を組み立てる場合、作業者は、ハーネス受け部に、所定方向に延びるハーネスを配置する。そして、ハーネスの表面側から溝に結束部材を挿入することで、ハーネスの背面側に結束部材を配置する。その後さらに結束部材を溝に押し込むことで、結束部材の先端が、溝の傾斜部に当接し、ハーネスの表面側に突出する。この状態で、作業者は、ハーネスの背面側を通って、先端がハーネスの表面側に突出した結束部材の両端を結束することで、ハーネスを束ねたり、固定したりすることができる。このように、ハーネス受け部に、傾斜部を有する溝を形成することで、結束部材をハーネスの背面側に回してから表面側に突出させる作業が容易になる。
したがって、遊技機に正規の遊技媒体が用いられていると誤認させて遊技を行う不正行為を高精度に検知するための装置の組立作業の作業効率を向上可能な遊技機を提供できる。
【０５８８】
本発明に係る第２形態は、
前記保持手段は、前記ハーネス受け部を覆うカバー部材（例えば、カバー部材２９４）を備え、
前記カバー部材は、
前記溝の両端近傍に夫々形成されており、前記カバー部材を貫通し、前記結束部材が挿通する一対の通し孔（例えば、通し孔２９４ｂ）と、
一対の前記通し孔の間に形成されており、前記ハーネス受け部側の面の一部が、前記ハーネス受け部側に突出している押え部（例えば、先端側押え部２９４ｃ）と、を有することを特徴とする遊技機である。
【０５８９】
第２形態によれば、
保持手段は、ハーネス受け部を覆うカバー部材を備える。カバー部材は、一対の通し孔と、押え部と、を有する。一対の通し孔は、溝の両端近傍に夫々形成されており、カバー部材を貫通し、結束部材が挿通する。押え部は、一対の通し孔の間に形成されており、ハーネス受け部側の面の一部が、ハーネス受け部側に突出している。
【０５９０】
これにより、遊技媒体検出手段を組み立てる場合、作業者は、ハーネス受け部に、所定方向に延びるハーネスを配置し、カバー部材によりハーネス受け部を覆う。そして、結束部材の先端を、カバー部材の外部から一方の通し孔に通して、カバー部材の内部に挿入する。すると、結束部材は、溝に挿入され、ハーネスの背面側に配置される。その後さらに結束部材を溝に押し込むことで、結束部材の先端は、溝の傾斜部に当接し、ハーネスの表面側に突出し、他方の通し孔を通って、カバー部材の外部に突出する。この状態で、作業者は、結束部材の両端を結束することで、ハーネスが押え部に押え付けられた状態で、カバー部材に固定する。このように、ハーネス受け部を覆うカバー部材に、一対の通し孔の間に押え部を形成することで、ハーネスをカバー部材で覆った後でも、容易に結束部材をハーネスの背面側に回して、カバー部材に固定することができる。
したがって、遊技機に正規の遊技媒体が用いられていると誤認させて遊技を行う不正行為を高精度に検知するための装置の組立作業の作業効率を向上可能な遊技機を提供できる。
【０５９１】
本発明に係る第３形態は、
前記ハーネス受け部の前記溝の側面は、前記結束部材が前記溝から脱落しないための壁を形成し、前記ハーネス受け部の前記溝の両端部は前記カバー部材の一対の前記通し孔と対向する位置に形成されていることを特徴とする遊技機である。
【０５９２】
これにより、ハーネス受け部をカバー部材で覆った後に、ハーネスを結束部材で固定する場合に、一方の通し孔に検束部材を通すと、結束部材が自然に溝に案内され、結束部材が溝から脱落することなく、他方の通し孔から突出する。よって、ハーネスをカバー部材で覆った後でも、より容易に結束部材をハーネスの背面側に回して、カバー部材に固定することができる。
したがって、遊技機に正規の遊技媒体が用いられていると誤認させて遊技を行う不正行為を高精度に検知するための装置の組立作業の作業効率をより向上可能な遊技機を提供できる。
［発明の効果］
【０５９３】
本発明によれば、遊技機に正規の遊技媒体が用いられていると誤認させて遊技を行う不正行為を高精度に検知するための装置の組立作業の作業効率を向上可能な遊技機を提供できる。
【０５９４】
［付記１６］
付記１６の遊技機は以下の通りである。
［背景技術］
【０５９５】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０５９６】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０５９７】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０５９８】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０５９９】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
［先行技術文献］
［特許文献］
【０６００】
［特許文献１］特開２００２−３４２８１４号公報
［特許文献２］特許第５３１７２５０号公報
［発明の概要］
［発明が解決しようとする課題］
【０６０１】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０６０２】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０６０３】
また、特許文献２に記載された技術は、適正な入力画像が撮像されることで、対象物が正しいか否かを判定できるが、撮像された画像が乱れていたり、判定の対象が写っていなければ適正な判定はできない。このため、遊技媒体を用いた不正行為の検知するために、判定の対象となる遊技媒体を高精度に検知する必要がある。
【０６０４】
本発明の目的は、遊技媒体の判定精度を向上することで、正規の遊技媒体が用いられていると誤認させる不正行為を高精度に検知可能な遊技機又は遊技用装置を提供することにある。
［課題を解決するための手段］
【０６０５】
上記目的を達成するために、本発明は、以下のような構成の遊技機又は遊技用装置を提供する。各構成要素が実施形態と対応する要素を括弧内に記載するが、本発明の構成はこれに限定されるものではない。
【０６０６】
本発明に係る第１形態は、
遊技媒体の投入を検出する遊技媒体検出手段（例えば、メダルセレクタ３０１等）を備え、
前記遊技媒体検出手段は、
前記遊技媒体が通過する遊技媒体通過部（例えば、ベース板部３０４等）と、
前記遊技媒体通過部を通過する前記遊技媒体を撮像する撮像手段（例えば、カメラユニット２０９等）と、
前記撮像手段の撮像のための光を照射する照射手段（例えば、第１の導光体２６１、第２の導光体２６２及び第３の導光体２６３等）と、を備え、
前記遊技媒体通過部は、複数の孔（例えば、判定用孔３１２等）と、前記複数の孔に応じて設けられた遮蔽部材（例えば、遮蔽部材３１２ａ等）を有し、
前記遊技媒体通過部の前記遮蔽部材は、前記照射手段からの光を反射し、
前記撮像手段は、前記遮蔽部材で反射した光によって、前記複数の孔を判別することを特徴とする遊技機である。
【０６０７】
第１形態によれば、遊技機は、遊技媒体の投入を検出する遊技媒体検出手段を備える。遊技媒体検出手段は、遊技媒体通過部と、撮像手段と、照射手段と、を備える。遊技媒体通過部は、遊技媒体が通過する。撮像手段は、遊技媒体通過部を通過する遊技媒体を撮像する。照射手段は、撮像手段の撮像のための光を照射する。そして、遊技媒体通過部は、複数の孔と、複数の孔に応じて設けられた、遮蔽部材を有する。遊技媒体通過部の遮蔽部材は、照射手段からの光を反射する。撮像手段は、遮蔽部材で反射した光によって、複数の孔を判別する。
【０６０８】
これにより、撮像手段は、遊技媒体通過部を通過する遊技媒体を撮像するときに、遊技媒体とともに遊技媒体通過部の複数の孔も撮像する。例えば、撮像手段が、遊技媒体通過部の表面を通過する遊技媒体を、この通過する遊技媒体側から撮像した場合、複数の孔は部分的に撮像される。撮像手段は、撮像された複数の孔の部分を判別することで、遊技媒体の通過を判定できる。このとき、複数の孔に反射防止シートが設けられていた場合や、遮蔽部材が設けられておらず、撮像された画像において、遊技媒体通過部の裏側（遊技媒体が通過する面と反対側）に配設された部材が孔の中に写り込んだ場合、照射手段からの光が乱反射してしまい、孔と遊技媒体通過部の他の部分との識別が困難な画像となる。本発明によれば、複数の孔に応じて、照射手段からの光を反射する遮蔽部材を設けたので、撮像手段により撮像された画像において、照射手段からの光が、複数の孔において、遊技媒体通過部の他の部分と比べ一定の反射をすることで、この他の部分と比べ輝度が高くなり、複数の孔の形状がより明確に撮像できるので、複数の孔の判別精度が向上する。
したがって、遊技媒体の判定精度を向上することで、遊技機に正規の遊技媒体が用いられていると誤認させて遊技を行う不正行為を高精度に検知可能な遊技機を提供できる。
【０６０９】
本発明に係る第２形態は、
前記遮蔽部材は、遊技媒体通過部における前記撮像手段による非撮像面（例えば、前面３０４ａ等）側から貼付されている遊技機である。
【０６１０】
これにより、遮蔽部材を撮像手段による非撮像面側から貼付したので、遊技媒体通過部における撮像手段による撮像面側から貼付した場合に比べ、複数の孔の輪郭が明確になり、より複数の孔の判別精度が向上する。また、遊技媒体通過部における撮像手段による撮像面側を通過する遊技媒体が、遮蔽部材に接触し遊技媒体の通過を妨げ、遊技媒体が詰まってしまうのを防止できる。
【０６１１】
本発明に係る第３形態は、
前記遊技媒体通過部の上流側と下流側とに設けられた複数の前記孔は、前記上流側の前記孔よりも前記下流側の前記孔が前記遊技媒体が通過する進行方向に対して短い遊技機である。
【０６１２】
これにより、遊技媒体通過部の上流側の孔よりも下流側の孔を、遊技媒体が通過する進行方向に対して短くしたので、遊技媒体の通過速度が比較的遅くなる、遊技媒体通過部の下流側の孔を、上流側の孔より、遊技媒体が通過する進行方向に対して短くしたことで、遊技媒体を孔とともに撮像する精度を低下させることなく、省スペース化が可能となる。また、遊技媒体通過部の上流側の孔を、下流側の孔より、遊技媒体が通過する進行方向に対して長くしたことで、遊技媒体の通過速度が比較的速い上流側でも、確実に遊技媒体を孔とともに撮像することが可能となり、遊技媒体の判定処理の精度が向上する。
【０６１３】
本発明に係る第４形態は、
遊技媒体の投入を検出する遊技媒体検出手段を備え、
前記遊技媒体検出手段は、
前記遊技媒体が通過する遊技媒体通過部と、
前記遊技媒体通過部を通過する前記遊技媒体を撮像する撮像手段と、
前記撮像手段の撮像のための光を照射する照射手段と、を備え、
前記遊技媒体通過部は、複数の孔と、前記複数の孔に応じて設けられた遮蔽部材を有し、
前記遊技媒体通過部の前記遮蔽部材は、前記照射手段からの光を反射し、
前記撮像手段は、前記遮蔽部材で反射した光によって、前記複数の孔を判別することを特徴とする遊技用装置（例えば、遊技用装置５００，６００，７００等）である。
【０６１４】
第４形態によれば、第１形態の遊技機と同様の作用効果を奏する。したがって、遊技媒体の判定精度を向上することで、正規の遊技媒体が用いられていると誤認させる不正行為を高精度に検知可能な遊技用装置を提供できる。
［発明の効果］
【０６１５】
本発明によれば、遊技媒体の判定精度を向上することで、正規の遊技媒体が用いられていると誤認させる不正行為を高精度に検知可能な遊技機又は遊技用装置を提供できる。
【０６１６】
［付記１７］
付記１７の遊技機は以下の通りである。
［背景技術］
【０６１７】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０６１８】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０６１９】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０６２０】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０６２１】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
［先行技術文献］
［特許文献］
【０６２２】
［特許文献１］特開２００２−３４２８１４号公報
［特許文献２］特許第５３１７２５０号公報
［発明の概要］
［発明が解決しようとする課題］
【０６２３】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０６２４】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０６２５】
また、特許文献２に記載された技術は、適正な入力画像が撮像されることで、対象物が正しいか否かを判定できるが、撮像された画像が乱れていたり、判定の対象が写っていなければ適正な判定はできない。このため、遊技媒体を用いた不正行為の検知するために、判定の対象となる遊技媒体を高精度に検知する必要がある。
【０６２６】
本発明の目的は、遊技媒体の判定精度を向上することで、正規の遊技媒体が用いられていると誤認させる不正行為を高精度に検知可能な遊技機又は遊技用装置を提供することにある。
［課題を解決するための手段］
【０６２７】
上記目的を達成するために、本発明は、以下のような構成の遊技機又は遊技用装置を提供する。各構成要素が実施形態と対応する要素を括弧内に記載するが、本発明の構成はこれに限定されるものではない。
【０６２８】
本発明に係る第１形態は、
遊技媒体の投入を検出する遊技媒体検出手段（例えば、メダルセレクタ３０１等）と、
前記遊技媒体を滞留する滞留手段（例えば、メダルトレイユニット３４等）と、
前記遊技媒体を貯留する貯留手段（例えば、ホッパー装置５１等）と、を備え、
前記遊技媒体検出手段は、
前記遊技媒体が通過する経路が形成された遊技媒体通過部（例えば、ベース板部３０４等）と、
前記遊技媒体通過部の少なくとも一部を覆い、前記遊技媒体通過部に回動可能に取り付けられた補助部材（例えば、サブプレート３０５等）と、を備え、
前記補助部材には、
前記遊技媒体を前記貯留手段に導かない場合に、前記貯留手段に導く方向とは異なる方向に、前記遊技媒体を導くための第１誘導部（例えば、第１誘導部３２１ａ等）と、
前記遊技媒体を前記滞留手段の方向に導くための第２誘導部（例えば、第２誘導部３２１ｂ等）と、が形成されていることを特徴とする遊技機である。
【０６２９】
第１形態によれば、遊技機は、遊技媒体検出手段と、滞留手段と、貯留手段と、を備える。遊技媒体検出手段は、遊技媒体の投入を検出する。滞留手段は、遊技媒体を滞留する。貯留手段は、遊技媒体を貯留する。遊技媒体検出手段は、遊技媒体通過部と、補助部材と、を備える。遊技媒体通過部は、遊技媒体が通過する経路が形成されている。補助部材は、遊技媒体通過部の少なくとも一部を覆い、前記遊技媒体通過部に回動可能に取り付けられている。そして、補助部材には、第１誘導部と、第２誘導部と、が形成されている。第１誘導部は、遊技媒体を貯留手段に導かない場合に、貯留手段に導く方向とは異なる方向に、遊技媒体を導く。第２誘導部は、遊技媒体を滞留手段の方向に導く。
【０６３０】
これにより、例えば、遊技媒体が貯留手段に向かう寸前でも、遊技媒体を前記貯留手段に導かない場合には、第１誘導部により、貯留手段に導く方向とは異なる方向（例えば、滞留手段の方向）に遊技媒体をスムーズに導くことができるとともに、第２誘導部を形成したので、滞留手段へ遊技媒体をスムーズに導くことができる。これにより、例えば、遊技媒体通過部を通過する遊技媒体を撮像した画像の画像処理による判定（例えば、刻印判定及び色判定等）により、正規メダルか否かを判定し、この判定の結果により、貯留手段又は滞留手段にスムーズに導くことができるので、遊技媒体通過部を通過する遊技媒体が詰まり、遊技媒体の判定精度が低下するのを防止できる。
したがって、遊技媒体の判定精度を向上することで、遊技機に正規の遊技媒体が用いられていると誤認させて遊技を行う不正行為を高精度に検知可能な遊技機を提供できる。
【０６３１】
本発明に係る第２形態は、
前記滞留手段は、前記第２誘導部の下方に設けられ、
前記第２誘導部は、前記経路より下方において、前記経路が延びる方向に延び、前記経路側から、前記経路から離れる方向に下り傾斜する傾斜面を有する。
【０６３２】
これにより、遊技媒体を貯留手段に導かない場合、遊技媒体は、経路から一旦落下し、落下する方向に勢いが付いた状態で、傾斜面に当接し、下方に設けられた滞留手段に導かれるので、遊技媒体が経路を通過する方向と直交する方向に、遊技媒体を倒さずに落下させることができる。このため、例えば、経路を通過する方向と直交する方向から遊技媒体を撮像し、撮像した画像の画像処理による判定を行う場合に、経路から落下した遊技媒体が倒れていないので、この落下した遊技媒体が正常に滞留手段の方向に移動しているかを正確に判断できる。
【０６３３】
本発明に係る第３形態は、
前記遊技媒体検出手段から、前記貯留手段に前記遊技媒体を導くための誘導部（例えば、スロープ２０３等）を更に備え、
前記第１誘導部は、前記誘導部に向かって傾斜する傾斜面を有する。
【０６３４】
これにより、補助部材の第１誘導部が、貯留手段に遊技媒体を導くための誘導部に向かって傾斜する傾斜面を有することで、誘導部の入口において遊技媒体が滞留し、誘導部の入口に遊技媒体が詰まってしまうのを防止できる。
【０６３５】
本発明に係る第４形態は、
遊技媒体の投入を検出する遊技媒体検出手段と、
前記遊技媒体を滞留する滞留手段と、
前記遊技媒体を貯留する貯留手段と、を備え、
前記遊技媒体検出手段は、
前記遊技媒体が通過する経路が形成された遊技媒体通過部と、
前記遊技媒体通過部の少なくとも一部を覆い、前記遊技媒体通過部に回動可能に取り付けられた補助部材と、を備え、
前記補助部材には、
前記遊技媒体を前記貯留手段に導かない場合に、前記貯留手段に導く方向とは異なる方向に、前記遊技媒体を導くための第１誘導部と、
前記遊技媒体を前記滞留手段の方向に導くための第２誘導部と、が形成されていることを特徴とする遊技用装置（例えば、遊技用装置５００，６００，７００等）である。
【０６３６】
第４形態によれば、第１形態の遊技機と同様の作用効果を奏する。したがって、遊技媒体の判定精度を向上することで、正規の遊技媒体が用いられていると誤認させる不正行為を高精度に検知可能な遊技用装置を提供できる。
［発明の効果］
【０６３７】
本発明によれば、遊技媒体の判定精度を向上することで、正規の遊技媒体が用いられていると誤認させる不正行為を高精度に検知可能な遊技機又は遊技用装置を提供できる。
【０６３８】
［付記１８］
付記１８の遊技機は以下の通りである。
［背景技術］
【０６３９】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０６４０】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０６４１】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０６４２】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０６４３】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
［先行技術文献］
［特許文献］
【０６４４】
［特許文献１］特開２００２−３４２８１４号公報
［特許文献２］特許第５３１７２５０号公報
［発明の概要］
［発明が解決しようとする課題］
【０６４５】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０６４６】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０６４７】
また、特許文献２に記載された技術は、適正な入力画像が撮像されることで、対象物が正しいか否かを判定できるが、撮像された画像が乱れていたり、判定の対象が写っていなければ適正な判定はできない。このため、遊技媒体を用いた不正行為の検知するために、判定の対象となる遊技媒体を高精度に検知する必要がある。
【０６４８】
本発明の目的は、遊技媒体の受付の可否とは別に、不正行為による遊技媒体を選別することで、正規の遊技媒体が用いられていると誤認させる不正行為を高精度に検知可能な遊技機又は遊技用装置を提供することにある。
［課題を解決するための手段］
【０６４９】
上記目的を達成するために、本発明は、以下のような構成の遊技機又は遊技用装置を提供する。各構成要素が実施形態と対応する要素を括弧内に記載するが、本発明の構成はこれに限定されるものではない。
【０６５０】
本発明に係る第１形態は、
遊技に関する制御を行う制御手段（例えば、主制御回路９１等）と、
遊技媒体の投入を検出する遊技媒体検出手段（例えば、メダルセレクタ３０１等）と、を備え、
前記遊技媒体検出手段は、
前記遊技媒体が通過する経路（例えば、メダルレール２１０等）が形成された遊技媒体通過部（例えば、ベース板部３０４等）と、
前記制御手段によって制御され、前記遊技媒体の投入受付を制御する遊技媒体受付手段（例えば、メダル受付ソレノイド３０８ｂ等）と、
投入された前記遊技媒体を選別する遊技媒体選別手段（例えば、メダル選別ソレノイド３０８ａ等）と、
前記遊技媒体を判別して前記遊技媒体選別手段を制御する判定選別制御手段（例えば、制御ＬＳＩ２３４等）と、を備え、
前記制御手段は、所定の遊技媒体投入条件が成立した場合に、前記遊技媒体受付手段による前記投入受付を許可する制御信号を出力し、
前記判定選別制御手段は、
投入された前記遊技媒体が予め定められた前記遊技媒体と一致しない場合には、前記遊技媒体選別手段に前記遊技媒体を排除する制御信号を出力し、
投入された前記遊技媒体が予め定められた前記遊技媒体と一致する場合には、前記遊技媒体選別手段に前記遊技媒体を受け入れる制御信号を出力することで、前記遊技媒体を選別することを特徴とする遊技機である。
【０６５１】
第１形態によれば、遊技機は、制御手段と、遊技媒体検出手段と、を備える。制御手段は、遊技に関する制御を行う。遊技媒体検出手段は、遊技媒体の投入を検出し、遊技媒体通過部と、遊技媒体受付手段と、判定選別制御手段と、を備える。遊技媒体通過部は、遊技媒体が通過する経路が形成されている。そして、制御手段は、所定の遊技媒体投入条件が成立した場合に、遊技媒体受付手段による投入受付を許可する制御信号を出力する。判定選別制御手段は、投入された遊技媒体が予め定められた遊技媒体と一致しない場合には、遊技媒体選別手段に遊技媒体を排除する制御信号を出力し、投入された遊技媒体が予め定められた遊技媒体と一致する場合には、遊技媒体選別手段に遊技媒体を受け入れる制御信号を出力することで、遊技媒体を選別する。
【０６５２】
このように、所定の遊技媒体投入条件が成立したか否かにより、遊技媒体の投入受付の可否を行う制御手段に加え、投入された遊技媒体が予め定められた遊技媒体と一致するか否かにより、投入された遊技媒体を排除又は受け入れる。これにより、遊技に関する制御を行う制御手段で遊技媒体の投入可又は不可を行う従来のセレクタ機能とは別に、遊技媒体検出手段において、投入された遊技媒体の有効性を判断して、遊技媒体選別手段により不正な遊技媒体を排除することが可能であるため、ゴト行為を排除することが可能となる。
したがって、遊技媒体の受付の可否とは別に、不正行為による遊技媒体を選別することで、遊技機に正規の遊技媒体が用いられていると誤認させて遊技を行う不正行為を高精度に検知可能な遊技機を提供できる。
【０６５３】
本発明に係る第２形態は、
前記遊技媒体検出手段は、
前記遊技媒体選別手段の駆動により、可動する選別用可動手段（例えば、メダル選別用メダルプレッシャ２１３ａ等）を備え、
前記遊技媒体選別手段及び前記選別用可動手段は、前記遊技媒体通過部の前記経路が形成されている面の裏面（例えば、前面３０４ａ等）に設けられており、
前記選別用可動手段は、
中間部において、前記遊技媒体通過部の前記裏面に回動可能に支持され、基端部が前記遊技媒体選別手段に回動自在に接続され、
前記遊技媒体選別手段は、前記判定選別制御手段から前記遊技媒体を排除する制御信号を受信した場合に駆動し、前記選別用可動手段の先端部を、前記経路内に形成された選別用孔（例えば、メダル選別用中央孔２１２ａ等）から、前記経路内に突出させることを特徴とする遊技機である。
【０６５４】
第２形態によれば、遊技媒体検出手段は、選別用可動手段と、を備える。選別用可動手段は、遊技媒体選別手段の駆動により、可動する。遊技媒体選別手段及び選別用可動手段は、遊技媒体通過部の経路が形成されている面の裏面に設けられている。そして、選別用可動手段は、中間部において、遊技媒体通過部の裏面に回動可能に支持され、基端部が遊技媒体選別手段に回動自在に接続されている。また、遊技媒体選別手段は、判定選別制御手段から遊技媒体を排除する制御信号を受信した場合に駆動し、選別用可動手段の先端部を、経路内に形成された選別用孔から、経路内に突出させる。
【０６５５】
これにより、遊技媒体が通過する経路から遊技媒体を排除するための構成（不正行為による遊技媒体を選別するための構成）を、この経路が形成されている面の裏面に設けたので、このような構成を経路が形成されている遊技媒体通過部とは別に設けた場合に比べ、遊技媒体検出手段を小型化することができる。また、遊技媒体選別手段を、遊技媒体を排除する制御信号を受信した場合に駆動させ、選別用可動手段の先端部を経路内に突出させることで、遊技媒体選別手段を常時駆動させて選別用可動手段を可動させる場合に比べ、遊技媒体検出手段の消費電力を低減できる。
【０６５６】
本発明に係る第３形態は、
前記遊技媒体受付手段は、前記遊技媒体通過部の前記遊技媒体が通過する通過方向に対して、前記遊技媒体選別手段が前記遊技媒体を選別する位置より上流側で、前記遊技媒体を排除することを特徴とする遊技機である。
【０６５７】
これにより、遊技媒体受付手段は、遊技媒体通過部の遊技媒体が通過する通過方向に対して、遊技媒体選別手段が遊技媒体を選別する位置より上流側で、遊技媒体を排除する。このため、遊技媒体選別手段は、遊技媒体受付手段が遊技媒体を排除する位置より、下流側で、遊技媒体を選別することができるので、遊技媒体受付手段が遊技媒体を排除する位置より上流側で遊技媒体を選別する場合に比べ、判定選別制御手段が遊技媒体を判別する処理時間を長くとることが可能となる。よって、判定選別制御手段における判別する処理の負荷を軽減できる。
【０６５８】
本発明に係る第４形態は、
遊技媒体の投入を検出する遊技媒体検出手段を備え、
前記遊技媒体検出手段は、
前記遊技媒体が通過する経路が形成された遊技媒体通過部と、
遊技機の遊技に関する制御を行う制御手段によって制御され、前記遊技媒体の投入受付を制御する遊技媒体受付手段と、
投入された前記遊技媒体を選別する遊技媒体選別手段と、
前記遊技媒体を判別して前記遊技媒体選別手段を制御する判定選別制御手段と、を備え、
前記制御手段は、所定の遊技媒体投入条件が成立した場合に、前記遊技媒体受付手段による前記投入受付を許可する制御信号を出力し、
前記判定選別制御手段は、
投入された前記遊技媒体が予め定められた前記遊技媒体と一致しない場合には、前記遊技媒体選別手段に前記遊技媒体を排除する制御信号を出力し、
投入された前記遊技媒体が予め定められた前記遊技媒体と一致する場合には、前記遊技媒体選別手段に前記遊技媒体を受け入れる制御信号を出力することで、前記遊技媒体を選別することを特徴とする遊技用装置（例えば、遊技用装置５００，６００，７００等）である。
【０６５９】
第４形態によれば、第１形態の遊技機と同様の作用効果を奏する。したがって、遊技媒体の受付の可否とは別に、不正行為による遊技媒体を選別することで、正規の遊技媒体が用いられていると誤認させる不正行為を高精度に検知可能な遊技用装置を提供できる。
［発明の効果］
【０６６０】
本発明によれば、遊技媒体の受付の可否とは別に、不正行為による遊技媒体を選別することで、正規の遊技媒体が用いられていると誤認させる不正行為を高精度に検知可能な遊技機又は遊技用装置を提供できる。
［付記１９］
付記１９の遊技機は以下の通りである。
［背景技術］
【０６６１】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０６６２】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０６６３】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０６６４】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０６６５】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
［先行技術文献］
［特許文献］
【０６６６】
［特許文献１］特開２００２−３４２８１４号公報
［特許文献２］特許第５３１７２５０号公報
［発明の概要］
［発明が解決しようとする課題］
【０６６７】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０６６８】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０６６９】
また、特許文献２に記載された技術は、適正な入力画像が撮像されることで、対象物が正しいか否かを判定できるが、撮像された画像が乱れていたり、判定の対象が写っていなければ適正な判定はできない。このため、遊技媒体を用いた不正行為の検知するために、判定の対象となる遊技媒体を高精度に検知する必要がある。
【０６７０】
また、スロットマシンでは、メダルの詰まりを解消するための返却レバー等を操作することで、投入されたメダルが受皿に返却され、このメダルにより遊技可能な状態にはならない。即ち、返却レバー等が操作された状態で投入されたメダルは、受付されず、遊技可能な状態にはならない。ところが、返却レバー等を操作された状態として、偽造メダルをスロットマシンに受付させ、遊技可能な状態にする不正行為も行われている。特許文献１に記載されたスロットマシンでは、特許文献２に記載された技術を用いたとしても、このような不正行為を検出することはできない。
【０６７１】
本発明の目的は、遊技媒体を受付可能な状態か否かを判断することで、正規の遊技媒体が用いられていると誤認させる不正行為を高精度に検知可能な遊技機又は遊技用装置を提供することにある。
［課題を解決するための手段］
【０６７２】
上記目的を達成するために、本発明は、以下のような構成の遊技機又は遊技用装置を提供する。各構成要素が実施形態と対応する要素を括弧内に記載するが、本発明の構成はこれに限定されるものではない。
【０６７３】
本発明に係る第１形態は、
遊技媒体の投入を検出する遊技媒体検出手段（例えば、メダルセレクタ３０１等）を備え、
前記遊技媒体検出手段は、
前記遊技媒体が通過する経路が形成された遊技媒体通過部（例えば、ベース板部３０４等）と、
前記遊技媒体通過部に取り付けられて覆うように回動可能な補助部材（例えば、サブプレート３０５等）と、
前記遊技媒体通過部に前記補助部材の一部と重畳するように取り付けられた保護部材（例えば、保護部材３０４ｄ等）と、
前記補助部材を回動させる回動手段（例えば、サブプレートプレッシャ２１３ｃ等）と、
前記遊技媒体通過部に形成された前記経路を含む所定領域を撮像する撮像手段（例えば、カメラユニット２０９等）と、
前記撮像手段が撮像するための光を照射する照射手段（例えば、第２の導光体２６２等）と、を備え、
前記補助部材は、
前記遊技媒体通過部に設けられた前記経路を前記撮像手段が撮像可能に形成された貫通孔（例えば、貫通孔３２１ａ等）と、
前記貫通孔の近傍であって、前記所定領域に形成された複数の孔（例えば、サブプレート状態検知用孔３２１ｃ等）と、を有し、
前記回動手段により回動した状態では、前記遊技媒体が前記経路から落下し、
複数の前記孔は、
前記回動手段によって前記補助部材が回動していない状態の場合には、前記照射手段からの光が反射され、
前記回動手段によって前記補助部材が回動した状態の場合には、前記照射手段からの光は前記補助部材が回動していない状態の場合とは異なる反射となり、
前記撮像手段は、前記孔における前記照射手段からの光の反射によって、前記補助部材が回動しているか否かを判断することを特徴とする遊技機である。
【０６７４】
第１形態によれば、遊技機は、遊技媒体検出手段を備える。遊技媒体検出手段は、遊技媒体の投入を検出し、遊技媒体通過部と、補助部材と、保護部材と、回動手段と、撮像手段と、照射手段と、を備える。遊技媒体通過部は、遊技媒体が通過する経路が形成されている。補助部材は、遊技媒体通過部に取り付けられて覆うように回動可能であり、遊技媒体通過部に設けられた経路を撮像手段が撮像可能に形成された貫通孔と、貫通孔の近傍であって、所定領域に形成された孔と、を有し、回動手段により回動した状態では、遊技媒体が経路から落下する。保護部材は、遊技媒体通過部に補助部材の一部と重畳するように取り付けられている。回動手段は、補助部材を回動させる。撮像手段は、遊技媒体通過部に形成された経路を含む所定領域を撮像する。照射手段は、撮像手段が撮像するための光を照射する。複数の孔は、回動手段によって補助部材が回動していない状態の場合には、照射手段からの光が反射され、回動手段によって補助部材が回動した状態の場合には、照射手段からの光は補助部材が回動していない状態の場合とは異なる反射となる。そして、撮像手段は、孔における照射手段からの光の反射によって、補助部材が回動しているか否かを判断する。
【０６７５】
このように、遊技媒体検出手段は、補助部材が回動した状態では、遊技媒体通過部の経路から遊技媒体が落下する。そして、補助部材が回動していない状態では、補助部材の複数の孔において、照射手段からの光が反射し、補助部材が回動した状態では、照射手段からの光は補助部材が回動していない状態の場合とは異なる反射となる。このような照射手段からの光の反射によって、撮像手段は、補助部材が回動しているか否かを判断する。
【０６７６】
これにより、補助部材が回動し、遊技媒体が経路から落下する状態であるか否か（遊技媒体を受付可能な状態か否か）を判断できる。例えば、継続して補助部材が回動した状態である場合や、補助部材が回動し、遊技媒体が経路から落下する状態であるにもかかわらず、遊技媒体が受付された場合には、不正行為が行われている可能性が高い。したがって、遊技媒体を受付可能な状態か否かを判断することで、遊技機に正規の遊技媒体が用いられていると誤認させて遊技を行う不正行為を高精度に検知可能な遊技機を提供できる。
【０６７７】
本発明に係る第２形態は、
前記撮像手段は、撮像した前記所定領域の画像を画像処理する画像処理手段（例えば、制御ＬＳＩ２３４等）を備え、
前記画像処理手段は、画像処理した前記所定領域の画像により、前記補助部材が回動しているか否かを判断することを特徴とする遊技機である。
【０６７８】
これにより、撮像手段は、撮像した所定領域の画像を画像処理することで、補助部材が回動していない状態（孔において光が反射された状態）の画像と、補助部材が回動した状態（孔において光が反射されていない状態）の画像と、の違いがより明確になり、補助部材が回動しているか否かの判断の精度が向上する。したがって、遊技媒体を受付可能な状態か否かをより正確に判断することで、遊技機に正規の遊技媒体が用いられていると誤認させて遊技を行う不正行為を高精度に検知可能な遊技機を提供できる。
【０６７９】
本発明に係る第４形態は、
遊技媒体の投入を検出する遊技媒体検出手段を備え、
前記遊技媒体検出手段は、
前記遊技媒体が通過する経路が形成された遊技媒体通過部と、
前記遊技媒体通過部に取り付けられて覆うように回動可能な補助部材と、
前記遊技媒体通過部に前記補助部材の一部と重畳するように取り付けられた保護部材と、
前記補助部材を回動させる回動手段と、
前記遊技媒体通過部に形成された前記経路を含む所定領域を撮像する撮像手段と、
前記撮像手段が撮像するための光を照射する照射手段と、を備え、
前記補助部材は、
前記遊技媒体通過部に設けられた前記経路を前記撮像手段が撮像可能に形成された貫通孔と、
前記貫通孔の近傍であって、前記所定領域に形成された複数の孔と、を有し、
前記回動手段により回動した状態では、前記遊技媒体が前記経路から落下し、
複数の前記孔は、
前記回動手段によって前記補助部材が回動していない状態の場合には、前記照射手段からの光が反射され、
前記回動手段によって前記補助部材が回動した状態の場合には、前記照射手段からの光は前記補助部材が回動していない状態の場合とは異なる反射となり、
前記撮像手段は、前記孔における前記照射手段からの光の反射によって、前記補助部材が回動しているか否かを判断することを特徴とする遊技用装置（例えば、遊技用装置５００，６００，７００等）である。
【０６８０】
第４形態によれば、第１形態の遊技機と同様の作用効果を奏する。したがって、遊技媒体を受付可能な状態か否かを判断することで、正規の遊技媒体が用いられていると誤認させる不正行為を高精度に検知可能な遊技用装置を提供できる。
［発明の効果］
【０６８１】
本発明によれば、遊技媒体を受付可能な状態か否かを判断することで、正規の遊技媒体が用いられていると誤認させる不正行為を高精度に検知可能な遊技機又は遊技用装置を提供できる。
【０６８２】
［付記２０］
付記２０の遊技機は以下の通りである。
［背景技術］
【０６８３】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０６８４】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。
【０６８５】
また、このような遊技機には、メダル投入口に投入されたメダルを検知するためのメダルセレクタが設けられている。
ここで、遊技機に対する不正行為（所謂、ゴト行為）のうち代表的なゴト行為に、メダル投入口から不正行為用器具を挿入しメダルセレクタの計数機能を不正に動作させることで、メダルを投入しているように見せかけて多数のクレジットを得るものがある。遊技機では、このようなゴト行為に対する対策がとられている。
【０６８６】
例えば、特許文献１には、メダル通路に２個のメダル検知用の近接センサを設け、各近接センサの出力に基づいてメダル通路を遊技用のメダルが通過したかどうかを判断することで、板状体のような器具が用いられた不正行為を検知するスロットマシンが開示されている。
【０６８７】
また、特許文献２には、テンプレート画像に幾何変換を加えることで、幾何変換の量が異なる複数の幾何変換後のテンプレート画像からなる第１の画像群を生成し、固有値分解を施すことで固有関数を算出し、これらの内積演算を施すことで、第２の画像群を生成し、入力画像と第２の画像群との画像類似度を算出することで、画像処理で対象物が正しいか否かを判定する技術が開示されている。
［先行技術文献］
［特許文献］
【０６８８】
［特許文献１］特開２００２−３４２８１４号公報
［特許文献２］特開２００６−２７１４６２号公報
［発明の概要］
［発明が解決しようとする課題］
【０６８９】
しかしながら、特許文献１に記載されたスロットマシンでは、板状体のような器具を用いず、不正メダルを用いて行われる不正行為を検知することができない。例えば、スロットマシンが設置されるホールでは、１枚５円のメダルで遊技可能な所謂５スロと呼ばれる低賭け遊技機と、１枚２０円のメダルで遊技可能な通常の遊技機（所謂２０スロ）と、を設置している場合がある。このようなホールでは、５スロで取得したメダルを２０スロで、使用することで、その差額（（２０円−５円）×所有枚数）分を不正に取得する不正行為を行う者により、被害が発生している。ところが、特許文献１に記載されたスロットマシンでは、貸し出される貸出単価が１枚２０円のメダルと１枚５円のメダルとが同径で色や刻印（模様）のみ異なる場合、これらを判別することができず、このような不正行為を防止できなかった。
【０６９０】
また、特許文献１に記載されたスロットマシンでは、遊技機が設置されているホールで貸し出されたメダルと、別のホールで貸し出されたメダルや中古機販売店で購入した遊技機に附属しているメダル、又は、偽造メダル（メダルに見せかけた器具を含む）等とが同径で色や刻印（模様）のみ異なる場合、これらを判別することができない。このため、正規メダル以外のメダル（不正メダル）を用いて遊技を行う不正行為を検知（検出）することが困難だった。
【０６９１】
また、特許文献２に記載されたスロットマシンでは、ＣＣＤカメラを用いて、投入された不正メダルの判定を行う。ところで、このようなＣＣＤカメラは、接続部材であるコネクタにより、遊技制御部と電気的に接続されている。コネクタは、遊技機の機種等に応じて専用のものがあり、ある機種のコネクタを別の機種で使用した場合、法を犯したり、遊技機が正常に動作しないおそれがある。一方で、遊技機の製造工場では、多様な機種が製造されており、ある機種のコネクタを別の機種で使用してしまうヒューマンエラーが発生してしまうおそれがある。
【０６９２】
本発明の目的は、遊技機に正規の遊技媒体が用いられていると誤認させて遊技を行う不正行為を高精度に検知するための装置を遊技機に取り付ける際に発生するヒューマンエラーを防止できる接続部材を提供することにある。
［課題を解決するための手段］
【０６９３】
上記目的を達成するために、本発明は、以下のような構成の接続部材を提供する。各構成要素が実施形態と対応する要素を括弧内に記載するが、本発明の構成はこれに限定されるものではない。
【０６９４】
本発明に係る第１形態は、
遊技機（例えば、パチスロ１等）において、遊技媒体の投入を検出する遊技媒体検出手段（例えば、メダルセレクタ３０１等）と他の電気機器（例えば、ドア中継端子板６８等）とを電気的に接続する接続部材（例えば、コネクタ４００等）であって、
前記遊技媒体検出手段に接続される第１部材（例えば、第１部材４１０等）と、前記第１部材と着脱自在に所定方向から係合し、前記他の電気機器に接続される第２部材（例えば、第２部材４２０等）と、を備え、
前記第１部材又は前記第２部材は、
いずれか一方が、前記所定方向に突出する突出部（例えば、突出部４１２等）と、前記所定方向に延びる複数のピン部材（例えば、ピン部材４１３等）と、を有し、
他方が、前記突出部を挿入可能な凹部（例えば、凹部４２２等）と、前記突出部が前記凹部に挿入されたときに、複数の前記ピン部材がそれぞれ挿入可能な複数の挿入穴（例えば、挿入穴４２３等）と、を有し、
複数の前記ピン部材及び複数の前記挿入穴は、前記遊技機の分類に応じて、異なる位置に配置されることを特徴とする接続部材である。
【０６９５】
第１形態によれば、接続部材は、遊技機において、遊技媒体の投入を検出する遊技媒体検出手段と他の電気機器とを電気的に接続し、第１部材と、第２部材と、を備える。
第１部材は、遊技媒体検出手段に接続される。
第２部材は、第１部材と着脱自在に所定方向から係合し、他の電気機器に接続される。
第１部材又は第２部材は、いずれか一方が、所定方向に突出する突出部と、前記所定方向に延びる複数のピン部材と、を有し、他方が、突出部を挿入可能な凹部と、前記突出部が凹部に挿入されたときに、複数のピン部材がそれぞれ挿入可能な複数の挿入穴と、を有する。そして、複数のピン部材及び複数の挿入穴は、遊技機の分類に応じて、異なる位置に配置される。
【０６９６】
このように、遊技機において、遊技媒体の投入を検出する遊技媒体検出手段と他の電気機器とを電気的に接続する接続部材の複数のピン部材及び複数の挿入穴を、遊技機の分類（例えば、機種等）に応じて、異なる位置に配置する。これにより、ある遊技機に取り付けられている第１部材には、他の分類の遊技機の第２部材を取り付けても、互いに係合しない。このため、仮に、組立中の遊技機とは分類が異なる第１部材又は第２部材を取り付けても、第１部材と第２部材とが係合しないので、誤った接続部材が取り付けられていることが即座に分かる。
したがって、遊技機に正規の遊技媒体が用いられていると誤認させて遊技を行う不正行為を高精度に検知するための装置を遊技機に取り付ける際に発生するヒューマンエラーを防止できる接続部材を提供できる。
【０６９７】
本発明に係る第２形態は、
遊技機（例えば、パチスロ１等）において、遊技媒体を貯留及び該貯留した前記遊技媒体を排出する貯留手段（例えば、ホッパー装置５１等）と他の電気機器（例えば、ドア中継端子板６８等）とを電気的に接続する接続部材（例えば、コネクタ４００等）であって、
前記貯留手段に接続される第１部材（例えば、第１部材４１０等）と、前記第１部材と着脱自在に所定方向から係合し、前記他の電気機器に接続される第２部材（例えば、第２部材４２０等）と、を備え、
前記第１部材又は前記第２部材は、
いずれか一方が、前記所定方向に突出する突出部（例えば、突出部４１２等）と、前記所定方向に延びる複数のピン部材（例えば、ピン部材４１３等）と、を有し、
他方が、前記突出部を挿入可能な凹部（例えば、凹部４２２等）と、前記突出部が前記凹部に挿入されたときに、複数の前記ピン部材がそれぞれ挿入可能な複数の挿入穴（例えば、挿入穴４２３等）と、を有し、
複数の前記ピン部材及び複数の前記挿入穴は、前記遊技機の分類に応じて、異なる位置に配置されることを特徴とする接続部材である。
【０６９８】
第２形態によれば、接続部材は、遊技機において、遊技媒体を貯留及び該貯留した遊技媒体を排出する貯留手段と他の電気機器とを電気的に接続し、第１部材と、第２部材と、を備える。第１部材は、貯留手段に接続される。第２部材は、第１部材と着脱自在に所定方向から係合し、他の電気機器に接続される。第１部材又は第２部材は、いずれか一方が、所定方向に突出する突出部と、前記所定方向に延びる複数のピン部材と、を有し、他方が、突出部を挿入可能な凹部と、前記突出部が凹部に挿入されたときに、複数のピン部材がそれぞれ挿入可能な複数の挿入穴と、を有する。そして、複数のピン部材及び複数の挿入穴は、遊技機の分類に応じて、異なる位置に配置される。
【０６９９】
このように、遊技機において、遊技媒体を貯留及び該貯留した遊技媒体を排出する貯留手段と他の電気機器とを電気的に接続する接続部材の複数のピン部材及び複数の挿入穴を、遊技機の分類（例えば、機種等）に応じて、異なる位置に配置する。これにより、ある遊技機に取り付けられている第１部材には、他の分類の遊技機の第２部材を取り付けても、互いに係合しない。このため、仮に、組立中の遊技機とは分類が異なる第１部材又は第２部材を取り付けても、第１部材と第２部材とが係合しないので、誤った接続部材が取り付けられていることが即座に分かる。
したがって、遊技機に正規の遊技媒体が用いられていると誤認させて遊技を行う不正行為を高精度に検知するための装置を備える遊技機に、貯留手段を取り付ける際に発生するヒューマンエラーを防止できる接続部材を提供できる。
【０７００】
本発明に係る第３形態は、
前記突出部及び前記凹部は、遊技機の分類に応じて、異なる色であることを特徴とする接続部材である。
【０７０１】
これにより、突出部及び凹部の色により、組立中の遊技機の分類に適合している接続部材であるか否かが分かる。また、仮に、組立中の遊技機とは分類が異なる第１部材又は第２部材を取り付けていた場合でも、これらを互いに係合させるまでもなく、色が違っているのを見るだけでで、誤った接続部材が取り付けられていることが即座に分かる。
したがって、遊技機に正規の遊技媒体が用いられていると誤認させて遊技を行う不正行為を高精度に検知するための装置や貯留手段を遊技機に取り付ける際に発生するヒューマンエラーをより確実に防止できる接続部材を提供できる。
［発明の効果］
【０７０２】
本発明によれば、遊技機に正規の遊技媒体が用いられていると誤認させて遊技を行う不正行為を高精度に検知するための装置を遊技機に取り付ける際に発生するヒューマンエラーを防止できる接続部材を提供できる。
【符号の説明】
【０７０３】
１…パチスロ、３４…メダルトレイユニット、５１…ホッパー装置、６８…ドア中継端子板、９１…主制御回路、２０９…カメラユニット、２１０…メダルレール、２１２ａ…メダル選別用中央孔、２１３ａ…メダル選別用メダルプレッシャ、２１３ｃ…サブプレートプレッシャ、２２１ａ…貫通孔、２３４…制御ＬＳＩ、２６１…第１の導光体、２６２…第２の導光体、２６３…第３の導光体、３０１…メダルセレクタ、３０４…ベース板部、３０４ａ…前面、３０４ｄ…保護部材、３０５…サブプレート、３０８ａ…メダル選別ソレノイド、３０８ｂ…メダル受付ソレノイド、３１２…判定用孔、３１２ａ…遮蔽部材、３２１ａ…第１誘導部、３２１ｂ…第２誘導部、３２１ｃ…サブプレート状態検知用孔、４００…コネクタ、４１０…第１部材、４１２…突出部、４１３…ピン部材、４２０…第２部材、４２２…凹部、４２３…挿入穴
【図１】
2020114493.tif 000003
【図２】
2020114493.tif 000004
【図３】
2020114493.tif 000005
【図４】
2020114493.tif 000006
【図５】
2020114493.tif 000007
【図６】
2020114493.tif 000008
【図７】
2020114493.tif 000009
【図８】
2020114493.tif 000010
【図９】
2020114493.tif 000011
【図１０】
2020114493.tif 000012
【図１１】
2020114493.tif 000013
【図１２】
2020114493.tif 000014
【図１３】
2020114493.tif 000015
【図１４】
2020114493.tif 000016
【図１５】
2020114493.tif 000017
【図１６】
2020114493.tif 000018
【図１７】
2020114493.tif 000019
【図１８】
2020114493.tif 000020
【図１９】
2020114493.tif 000021
【図２０】
2020114493.tif 000022
【図２１】
2020114493.tif 000023
【図２２】
2020114493.tif 000024
【図２３】
2020114493.tif 000025
【図２４】
2020114493.tif 000026
【図２５】
2020114493.tif 000027
【図２６】
2020114493.tif 000028
【図２７】
2020114493.tif 000029
【図２８】
2020114493.tif 000030
【図２９】
2020114493.tif 000031
【図３０】
2020114493.tif 000032
【図３１】
2020114493.tif 000033
【図３２】
2020114493.tif 000034
【図３３】
2020114493.tif 000035
【図３４】
2020114493.tif 000036
【図３５】
2020114493.tif 000037
【図３６】
2020114493.tif 000038
【図３７】
2020114493.tif 000039
【図３８】
2020114493.tif 000040
【図３９】
2020114493.tif 000041
【図４０】
2020114493.tif 000042
【図４１】
2020114493.tif 000043
【図４２】
2020114493.tif 000044
【図４３】
2020114493.tif 000045
【図４４】
2020114493.tif 000046
【図４５】
2020114493.tif 000047
【図４６】
2020114493.tif 000048
【図４７】
2020114493.tif 000049
【図４８】
2020114493.tif 000050
【図４９】
2020114493.tif 000051
【図５０】
2020114493.tif 000052
【図５１】
2020114493.tif 000053
【図５２】
2020114493.tif 000054
【図５３】
2020114493.tif 000055
【図５４】
2020114493.tif 000056